(57)【要約】【課題】セッション間で通信を切り替えてサービスを継続するサービス継続に対して最適なセッションを確立する通信制御方法やサービス継続のための最適な通信制御方法等を提供すること。【解決手段】ネットワークが主導して端末装置とネットワーク間のセッションを確立する通信制御手段、及び／又は、サービス継続をサポートするための接続制御手段、及び／又はサービス継続をサポートするためのセッション確立制御手段、及び／又はサービス継続のための通信制御手段などを提供する。【選択図】図１
2019134197.tif 000002
【特許請求の範囲】
【請求項１】
端末装置であって、
第１のセッション確立手続きに基づいて、第１のＩＰアドレスが対応づけられる第１のセッションを第１のゲートウェイと確立する制御部を備え、
前記制御部は、第２のセッション確立手続きに基づいて、第２のＩＰアドレスが対応づけられる第２のセッションを第２のゲートウェイと確立し、
第１の識別情報は、コアネットワークから取得する情報であり、且つ第１のセッションから第２のセッションに通信を切り替えるサービス継続に基づいて前記第１のセッションを削除するか否かを示す情報であり、
前記制御部は、前記第１のセッションの通信を前記第２のセッションに切り替えて通信を継続し、
前記制御部は、前記第１のセッションから前記第２のセッションへの通信の切り替えに基づいて、前記第１の識別情報が前記第１のセッションを削除することを示す場合には、前記第１のセッションを削除し、前記第１の識別情報が前記第１のセッションを削除しないことを示す場合には、前記第１のセッションを維持する
ことを特徴とする端末装置。
【請求項２】
前記第２のセッション確立手続きにおいて、少なくとも前記第１の識別情報を含むセッション確立要求メッセージを前記コアネットワークから受信する送受信部を備える
ことを特徴とする請求項１に記載の端末装置。
【請求項３】
前記第２のセッション確立手続きにおいて、少なくとも前記第１の識別情報を含むセッション確立受諾メッセージを前記コアネットワークから受信する送受信部を備える
ことを特徴とする請求項１に記載の端末装置。
【請求項４】
少なくとも前記第１の識別情報を含むセッション切り替え要求メッセージを前記コアネットワークから受信する送受信部を備える
ことを特徴とする請求項１に記載の端末装置。
【請求項５】
少なくとも前記第１の識別情報を含むセッション切り替え受諾メッセージを前記コアネットワークから受信する送受信部を備える
ことを特徴とする請求項１に記載の端末装置。
【請求項６】
前記第１のセッション及び前記第２のセッションは、同一のＤＮ（Ｄａｔａ  Ｎｅｔｗｏｒｋ）に対する確立するセッションであり、及び／又は、同一のＡＰＮ（Ａｃｃｅｓｓ
Ｐｏｉｎｔ  Ｎａｍｅ）又はＴＦＴ（Ｔｒａｆｆｉｃ  Ｆｌｏｗ  Ｔｅｍｐｌａｔｅ）又はアプリケーション識別情報に対応づけて確立するセッションであり、及び／又は、同一のＮｅｔｗｏｒｋ  Ｓｌｉｃｅに対して確立するセッションである
ことを特徴とする請求項１から請求項５に記載の端末装置。
【請求項７】
ＳＭＥ（Ｓｅｓｓｉｏｎ  Ｍａｎａｇｅｍｅｎｔ  Ｅｎｔｉｔｙ）であって、
第１の識別情報は、第１のセッションから第２のセッションに通信を切り替えるサービス継続に基づいて第１のセッションを削除するか否かを示す情報であり、
前記第１のセッションは第１のセッション確立手続きに基づいて端末装置と第１のゲートウェイとの間に確立するセッションであり、
前記第２のセッションは第２のセッション確立手続きに基づいて前記端末装置と第２のゲートウェイとの間に確立するセッションであり、
少なくとも第１の識別情報を含む制御メッセージを前記端末装置に送信する送受信部
を備えることを特徴とするＳＭＥ。
【請求項８】
前記制御メッセージは、前記第２のセッション確立手続きにおいて送信するセッション確立要求メッセージである
ことを特徴とする請求項７に記載のＳＭＥ。
【請求項９】
前記制御メッセージは、前記第２のセッション確立手続きにおいて送信するセッション確立受諾メッセージである
ことを特徴とする請求項７に記載のＳＭＥ。
【請求項１０】
前記制御メッセージは、セッション切り替え要求メッセージである
ことを特徴とする請求項７に記載のＳＭＥ。
【請求項１１】
前記制御メッセージは、セッション切り替え要求メッセージである
ことを特徴とする請求項７に記載のＳＭＥ。
【請求項１２】
前記第１のセッション及び前記第２のセッションは、同一のＤＮ（Ｄａｔａ  Ｎｅｔｗｏｒｋ）に対する確立するセッションであり、及び／又は、同一のＡＰＮ（Ａｃｃｅｓｓ
Ｐｏｉｎｔ  Ｎａｍｅ）又はＴＦＴ（Ｔｒａｆｆｉｃ  Ｆｌｏｗ  Ｔｅｍｐｌａｔｅ）又はアプリケーション識別情報に対応づけて確立するセッションであり、及び／又は、同一のＮｅｔｗｏｒｋ  Ｓｌｉｃｅに対して確立するセッションである
ことを特徴とする請求項７から請求項１１に記載のＳＭＥ。
【請求項１３】
端末装置の通信制御方法であって、
第１のセッション確立手続きに基づいて、第１のＩＰアドレスが対応づけられる第１のセッションを第１のゲートウェイと確立するステップと、
第２のセッション確立手続きに基づいて、第２のＩＰアドレスが対応づけられる第２のセッションを第２のゲートウェイと確立するステップを有し、
第１の識別情報は、コアネットワークから取得する情報であり、且つ第１のセッションから第２のセッションに通信を切り替えるサービス継続に基づいて前記第１のセッションを削除するか否かを示す情報であり、
前記第１のセッションの通信を前記第２のセッションに切り替えるステップを有し、
前記第１のセッションから前記第２のセッションへの通信の切り替えに基づいて、前記第１の識別情報が前記第１のセッションを削除することを示す場合には、前記第１のセッションを削除するステップを有し、前記第１の識別情報が前記第１のセッションを削除しないことを示す場合には、前記第１のセッションを維持する
ことを特徴とする端末装置の通信制御方法。
【請求項１４】
前記第２のセッション確立手続きにおいて、少なくとも前記第１の識別情報を含むセッション確立要求メッセージを前記コアネットワークから受信するステップ
を有することを特徴とする請求項１３に記載の端末装置の通信制御方法。
【請求項１５】
前記第２のセッション確立手続きにおいて、少なくとも前記第１の識別情報を含むセッション確立受諾メッセージを前記コアネットワークから受信するステップ
を有することを特徴とする請求項１３に記載の端末装置の通信制御方法。
【請求項１６】
少なくとも前記第１の識別情報を含むセッション切り替え要求メッセージを前記コアネットワークから受信するステップ
を有することを特徴とする請求項１３に記載の端末装置の通信制御方法。
【請求項１７】
少なくとも前記第１の識別情報を含むセッション切り替え受諾メッセージを前記コアネ
ットワークから受信するステップ
を有することを特徴とする請求項１３に記載の端末装置の通信制御方法。
【請求項１８】
前記第１のセッション及び前記第２のセッションは、同一のＤＮ（Ｄａｔａ  Ｎｅｔｗｏｒｋ）に対する確立するセッションであり、及び／又は、同一のＡＰＮ（Ａｃｃｅｓｓ
Ｐｏｉｎｔ  Ｎａｍｅ）又はＴＦＴ（Ｔｒａｆｆｉｃ  Ｆｌｏｗ  Ｔｅｍｐｌａｔｅ）又はアプリケーション識別情報に対応づけて確立するセッションであり、及び／又は、同一のＮｅｔｗｏｒｋ  Ｓｌｉｃｅに対して確立するセッションである
ことを特徴とする請求項１３から請求項１７に記載の端末装置の通信制御方法。
【請求項１９】
ＳＭＥ（Ｓｅｓｓｉｏｎ  Ｍａｎａｇｅｍｅｎｔ  Ｅｎｔｉｔｙ）の通信制御方法であって、
第１の識別情報は、第１のセッションから第２のセッションに通信を切り替えるサービス継続に基づいて第１のセッションを削除するか否かを示す情報であり、
前記第１のセッションは第１のセッション確立手続きに基づいて端末装置と第１のゲートウェイとの間に確立するセッションであり、
前記第２のセッションは第２のセッション確立手続きに基づいて前記端末装置と第２のゲートウェイとの間に確立するセッションであり、
少なくとも第１の識別情報を含む制御メッセージを前記端末装置に送信するステップ
を有することを特徴とするＳＭＥの通信制御方法。
【請求項２０】
前記制御メッセージは、前記第２のセッション確立手続きにおいて送信するセッション確立要求メッセージである
ことを特徴とする請求項１９に記載のＳＭＥの通信制御方法。
【請求項２１】
前記制御メッセージは、前記第２のセッション確立手続きにおいて送信するセッション確立受諾メッセージである
ことを特徴とする請求項１９に記載のＳＭＥの通信制御方法。
【請求項２２】
前記制御メッセージは、セッション切り替え要求メッセージである
ことを特徴とする請求項１９に記載のＳＭＥの通信制御方法。
【請求項２３】
前記制御メッセージは、セッション切り替え要求メッセージである
ことを特徴とする請求項１９に記載のＳＭＥの通信制御方法。
【請求項２４】
前記第１のセッション及び前記第２のセッションは、同一のＤＮ（Ｄａｔａ  Ｎｅｔｗｏｒｋ）に対する確立するセッションであり、及び／又は、同一のＡＰＮ（Ａｃｃｅｓｓ
Ｐｏｉｎｔ  Ｎａｍｅ）又はＴＦＴ（Ｔｒａｆｆｉｃ  Ｆｌｏｗ  Ｔｅｍｐｌａｔｅ）又はアプリケーション識別情報に対応づけて確立するセッションであり、及び／又は、同一のＮｅｔｗｏｒｋ  Ｓｌｉｃｅに対して確立するセッションである
ことを特徴とする請求項１９から請求項２３に記載のＳＭＥの通信制御方法。
【発明の詳細な説明】
【技術分野】
【０００１】
本発明は、端末装置、ＳＭＥ（Ｓｅｓｓｉｏｎ  Ｍａｎａｇｅｍｅｎｔ  Ｅｎｔｉｔｙ）、および通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ
Ｅｖｏｌｕｔｉｏｎ）のシステムアーキテクチャであるＳＡＥ（Ｓｙｓｔｅｍ  Ａｒｃｈｉｔｅｃｔｕｒｅ  Ｅｎｈａｎｃｅｍｅｎｔ）の検討を行っている。３ＧＰＰは、オールＩＰ化を実現する通信システムとしてＥＰＳ（Ｅｖｏｌｖｅｄ  Ｐａｃｋｅｔ  Ｓｙｓｔｅｍ）の仕様化を行っている。なお、ＥＰＳを構成するコアネットワークはＥＰＣ（Ｅｖｏｌｖｅｄ  Ｐａｃｋｅｔ  Ｃｏｒｅ）と呼ばれる。
【０００３】
また、近年３ＧＰＰでは、次世代移動通信システムである５Ｇ（５ｔｈ  Ｇｅｎｅｒａｔｉｏｎ）移動通信システムの次世代通信技術やシステムアーキテクチャの検討も行っており、次世代通信技術の検討として、ＮｅｘｔＧｅｎ（Ａｒｃｈｉｔｅｃｔｕｒｅ  ｆｏｒ  Ｎｅｘｔ  Ｇｅｎｅｒａｔｉｏｎ  Ｓｙｓｔｅｍ）の検討を行っている。ＮｅｘｔＧｅｎでは、多種多様な端末をセルラーネットワークに接続するための技術課題を抽出し、解決策を仕様化している。
【０００４】
例えば、多種多様な端末に応じた、継続的な移動通信サービスをサポートするための通信手続きの最適化及び多様化や、通信手続きの最適化及び多様化に合わせたシステムアーキテクチャの最適化なども要求条件として挙げられている。
【先行技術文献】
【非特許文献】
【０００５】
【非特許文献１】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍ；  （Ｒｅｌｅａｓｅ  １４）
【発明の概要】
【発明が解決しようとする課題】
【０００６】
ＮｅｘｔＧｅｎでは、端末、ネットワーク装置間の移動通信サービスにおけるセッション管理の最適化のための検討が行われている。
【０００７】
より具体的には、セッション確立手続きや移動通信サービスの継続性の粒度を多様化することで、端末やネットワーク装置に適した継続的な移動通信サービスを提供するための検討行われている。
【０００８】
しかし、多種多様な端末やネットワーク装置のための、セッションを確立するための手段や、最適化された移動通信サービスの継続性を実現するための手段等が明らかになっていない。
【０００９】
本発明は、このような事情を鑑みてなされたもので、その目的は、セッション確立のた
めの手段や、最適化された移動通信サービスの継続性を実現するための通信制御手段等を提供することである。
端末や通信路に好適なモビリティを提供する通信制御手段を提供する事である。
【課題を解決するための手段】
【００１０】
本発明の端末装置は、第１のセッション確立手続きに基づいて、第１のＩＰアドレスが対応づけられる第１のセッションを第１のゲートウェイと確立する制御部を備え、前記制御部は、第２のセッション確立手続きに基づいて、第２のＩＰアドレスが対応づけられる第２のセッションを第２のゲートウェイと確立し、第１の識別情報は、コアネットワークから取得する情報であり、且つ第１のセッションから第２のセッションに通信を切り替えるサービス継続に基づいて前記第１のセッションを削除するか否かを示す情報であり、前記制御部は、前記第１のセッションの通信を前記第２のセッションに切り替えて通信を継続し、前記制御部は、前記第１のセッションから前記第２のセッションへの通信の切り替えに基づいて、前記第１の識別情報が前記第１のセッションを削除することを示す場合には、前記第１のセッションを削除し、前記第１の識別情報が前記第１のセッションを削除しないことを示す場合には、前記第１のセッションを維持することを特徴とする。
【００１１】
本発明のＳＭＥ（Ｓｅｓｓｉｏｎ  Ｍａｎａｇｅｍｅｎｔ  Ｅｎｔｉｔｙ）は、第１の識別情報は、第１のセッションから第２のセッションに通信を切り替えるサービス継続に基づいて第１のセッションを削除するか否かを示す情報であり、前記第１のセッションは第１のセッション確立手続きに基づいて端末装置と第１のゲートウェイとの間に確立するセッションであり、前記第２のセッションは第２のセッション確立手続きに基づいて前記端末装置と第２のゲートウェイとの間に確立するセッションであり、少なくとも第１の識別情報を含む制御メッセージを前記端末装置に送信する送受信部を備えることを特徴とする。
【００１２】
本発明の端末装置の通信制御方法は、第１のセッション確立手続きに基づいて、第１のＩＰアドレスが対応づけられる第１のセッションを第１のゲートウェイと確立するステップと、第２のセッション確立手続きに基づいて、第２のＩＰアドレスが対応づけられる第２のセッションを第２のゲートウェイと確立するステップを有し、第１の識別情報は、コアネットワークから取得する情報であり、且つ第１のセッションから第２のセッションに通信を切り替えるサービス継続に基づいて前記第１のセッションを削除するか否かを示す情報であり、前記第１のセッションの通信を前記第２のセッションに切り替えるステップを有し、前記第１のセッションから前記第２のセッションへの通信の切り替えに基づいて、前記第１の識別情報が前記第１のセッションを削除することを示す場合には、前記第１のセッションを削除するステップを有し、前記第１の識別情報が前記第１のセッションを削除しないことを示す場合には、前記第１のセッションを維持することを特徴とする。
【００１３】
本発明のＳＭＥ（Ｓｅｓｓｉｏｎ  Ｍａｎａｇｅｍｅｎｔ  Ｅｎｔｉｔｙ）の通信制御方法は、第１の識別情報は、第１のセッションから第２のセッションに通信を切り替えるサービス継続に基づいて第１のセッションを削除するか否かを示す情報であり、前記第１のセッションは第１のセッション確立手続きに基づいて端末装置と第１のゲートウェイとの間に確立するセッションであり、前記第２のセッションは第２のセッション確立手続きに基づいて前記端末装置と第２のゲートウェイとの間に確立するセッションであり、少なくとも第１の識別情報を含む制御メッセージを前記端末装置に送信するステップを有することを特徴とする。
【発明の効果】
【００１４】
本発明によれば、端末は、ネットワーク主導でセッションを確立することができ、さらに、最適化された移動通信サービスの継続性に応じた接続性を確立することができる。ま
たコアネットワークは、ネットワーク主導でセッションを確立することができ、さらに、最適化された移動通信サービスの継続性に応じた通信路を確立することができる。
【図面の簡単な説明】
【００１５】
【図１】移動通信システムの概略を説明するための図である。
【図２】移動通信ネットワークの構成等の一例を説明するための図である。
【図３】移動通信ネットワークの構成等の一例を説明するための図である。
【図４】ＰＤＵセッション確立状態を説明するための図である。
【図５】ＵＥの装置構成を説明するための図である。
【図６】ＵＥの記憶部を説明するための図である。
【図７】ｅＮＢの装置構成を説明するための図である。
【図８】５ＧＢＳの装置構成を説明するための図である。
【図９】ＷＡＧの装置構成を説明するための図である。
【図１０】ＳＣＥＦの装置構成を説明するための図である。
【図１１】ＭＭＥの装置構成を説明するための図である。
【図１２】ＭＭＥの記憶部を説明するための図である。
【図１３】ＭＭＥの記憶部を説明するための図である。
【図１４】ＳＧＷの装置構成を説明するための図である。
【図１５】ＳＧＷの記憶部を説明するための図である。
【図１６】ＰＧＷの装置構成を説明するための図である。
【図１７】ＰＧＷの記憶部を説明するための図である。
【図１８】通信手続きの概要を説明するための図である。
【図１９】アタッチ手続きを説明するための図である。
【図２０】ＵＥ主導のＰＤＵセッション確立手続きを説明するための図である。
【図２１】第１のネットワーク主導のＰＤＵセッション確立手続きを説明するための図である。
【図２２】第２のネットワーク主導のＰＤＵセッション確立手続きを説明するための図である。
【図２３】ＵＥ主導のフロー切り替え手続きを説明するための図である。
【図２４】ネットワーク主導のフロー切り替え手続きを説明するための図である。
【発明を実施するための形態】
【００１６】
以下、図面を参照して本発明を実施する為に最良の形態について説明する。なお、本実施形態では一例として、本発明を適用した場合の移動通信システムの実施形態について説明する。
【００１７】
［１．システム概要］
図１は、本実施形態における移動通信システムの概略を説明するための図である。本図に示すように、移動通信システム１は、移動端末装置ＵＥ＿Ａ１０とアクセスネットワークとコアネットワーク＿Ａ９０とＰＤＮ＿Ａ５により構成されている。
【００１８】
ここで、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００１９】
また、ＵＥ＿Ａ１０は、ＣＩｏＴ端末であってもよい。なお、ＣＩｏＴ端末とはコアネットワークＡ９０へ接続可能なＩｏＴ端末であり、ＩｏＴ端末とは、スマートフォン等の携帯電話端末を含み、パソコンやセンサー装置などの様々なＩＴ機器であってよい。
【００２０】
ここで、コアネットワーク＿Ａ９０は、移動通信事業者（Ｍｏｂｉｌｅ  Ｏｐｅｒａｔ
ｏｒ）が運用するＩＰ移動通信ネットワークのことである。
【００２１】
例えば、コアネットワーク＿Ａ９０は移動通信システム１を運用、管理する移動通信事業者のためのコアネットワークであってもよい、またはＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。または、コアネットワーク＿Ａ９０はＣＩｏＴ端末を収容する為のコアネットワークであってもよい。
【００２２】
また、アクセスネットワークは、３ＧＰＰアクセスネットワークであってもよく、ｎｏｎ−３ＧＰＰアクセスネットワークであってもよい。
【００２３】
なお、３ＧＰＰアクセスネットワークは、ＬＴＥ  ＡＮ＿Ａ８０、Ｅ−ＵＴＲＡＮ８０、ＵＴＲＡＮ＿Ａ２０、ＧＥＲＡＮ＿Ａ２５、５Ｇ  ＲＡＮ１２０であってもよく、ｎｏｎ−３ＧＰＰアクセスネットワークは、ＷＬＡＮ  ＡＮｂ７５、ＷＬＡＮ  ＡＮａ７０、ＷＬＡＮ  ＡＮｃ１２５であってもよい。
【００２４】
また、ＵＥ＿Ａ１０はアクセスネットワークを用いてコアネットワーク＿Ａ９０に接続する。
【００２５】
また、コアネットワーク＿Ａ９０はＰＤＮ＿Ａ５に接続されている。ＰＤＮ＿Ａ５とは、ＵＥ＿Ａ１０に通信サービスを提供するＤＮ（Ｄａｔａ  Ｎｅｔｗｏｒｋ）であり、ＤＮはパケットデータサービス網としては、サービス毎に構成しても良い。ＰＤＮには、通信端末が接続されており、ＵＥ＿Ａ１０はＰＤＮ＿Ａ５に配置された通信端末とユーザデータの送受信を行うことができる。  なお、ユーザデータとは、ＵＥ＿Ａ１０とＰＤＮ＿Ａ５に含まれる装置との間で送受信するデータであってよい。なお、ＵＥ＿Ａ１０はコアネットワーク＿Ａ９０を介してＰＤＮ＿Ａ５にユーザデータを送信する。言い換えると、ＵＥ＿Ａ１０はＰＤＮ＿Ａ５にユーザデータを送受信するために、コアネットワーク＿Ａ９０とユーザデータを送受信する。より具体的には、ＵＥ＿Ａ１０はＰＤＮ＿Ａ５にユーザデータを送受信するために、ＰＧＷ＿Ａ３０等のコアネットワーク＿Ａ９０内のゲートウェイ装置やＳＣＥＦ＿Ａ４６等のゲートウェイ装置とユーザデータの送受信を行う。なお、ユーザデータの通信は、ＩＰ通信に限らず、ｎｏｎ−ＩＰ通信であってもよい。
【００２６】
次に、コアネットワーク＿Ａ９０の構成例を説明する。本実施形態では２つのコアネットワーク＿Ａ９０の構成例を説明する。
【００２７】
図２にコアネットワーク＿９０の構成の一例を示す。図２（ａ）のコアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ（Ｐａｃｋｅｔ  Ｄａｔａ  Ｎｅｔｗｏｒｋ  Ｇａｔｅｗａｙ）＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ（Ｓｅｒｖｉｎｇ  Ｇａｔｅｗａｙ）＿Ａ３５、ＭＭＥ（Ｍｏｂｉｌｉｔｙ  Ｍａｎａｇｅｍｅｎｔ  Ｅｎｔｉｔｙ）＿Ａ４０、ＳＧＳＮ（Ｓｅｒｖｉｎｇ  ＧＰＲＳ  Ｓｕｐｐｏｒｔ  Ｎｏｄｅ）＿Ａ４２、ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）＿Ａ４６により構成される。
【００２８】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００２９】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００３０】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ
ＡＮｂ７５）と、ＰＧＷ＿Ａ３０とＰＣＲＦ＿Ａ６０とＡＡＡ＿Ａ５５とに接続するＷＬＡＮアクセスネットワークａ（ＷＬＡＮ  ＡＮａ７０）とが構成可能である。
【００３１】
なお、各装置はＥＰＳを利用した移動通信システムにおける従来の装置と同様に構成されるため、詳細な説明は省略する。以下、各装置の簡単な説明をする。
【００３２】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５、及び／又はＤＮ（Ｄａｔａ  Ｎｅｔｗｏｒｋ）とコアネットワーク＿Ａ９０のゲートウェイ装置としてユーザデータの転送を行う中継装置である。なお、ＰＧＷ＿Ａ３０は、ＩＰ通信、及び／又はｎｏｎ−ＩＰ通信のためのゲートウェイ装置であってもよい。さらに、ＰＧＷ＿Ａ３０は、ＩＰ通信を転送する機能を持っていてもよく、ｎｏｎ−ＩＰ通信とＩＰ通信を変換する機能を持っていてもよい。なお、こうしたゲートウェイはコアネットワーク＿Ａ９０に複数配置されてよい。さらに、コアネットワーク＿Ａ９０と単一のＤＮを接続するゲートウェイも複数配置されて良い。
【００３３】
ここで、ＩＰ通信とは、ＩＰ（Ｉｎｔｅｒｎｅｔ  Ｐｒｏｔｏｃｏｌ）を用いたデータの通信のことであり、ＩＰヘッダが付与されたＩＰパケットの送受信によって実現されるデータ通信のことである。なお、ＩＰパケットを構成するペイロード部にはＵＥ＿Ａ１０が送受信するユーザデータが含まれて良い。
【００３４】
また、ｎｏｎ−ＩＰ通信とは、ＩＰ（Ｉｎｔｅｒｎｅｔ  Ｐｒｏｔｏｃｏｌ）を用いないデータの通信のことであり、ＩＰヘッダが付与されていないデータの送受信によって実現されるデータ通信のことである。例えば、ｎｏｎ−ＩＰ通信は、ＩＰパケットが付与されていないアプリケーションデータの送受信によって実現されるデータ通信であってもよいし、マックヘッダやＥｔｈｅｒｎｅｔ（登録商標）フレームヘッダ等の別のヘッダを付与してＵＥ＿Ａ１０が送受信するユーザデータを送受信してもよい。
【００３５】
ＳＧＷ＿Ａ３５は、ＰＧＷ＿Ａ３０とＭＭＥ＿Ａ４０とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００３６】
ＭＭＥ＿Ａ４０は、ＳＧＷ＿Ａ３５とＬＴＥ  ＡＮ８０とＨＳＳ＿Ａ５０とＳＣＥＦ＿Ａ４６に接続されており、ＬＴＥ  ＡＮ８０を経由してＵＥ＿Ａ１０のモビリティ管理を含む位置情報管理と、アクセス制御を行う制御装置である。さらに、ＭＭＥ＿Ａ４０は、ＵＥ＿Ａ１０が確立するセッションを管理するセッション管理装置としての機能を含んでも良い。また、コアネットワーク＿Ａ９０には、こうした制御装置を複数配置してもよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ８０と、ＨＳＳ＿Ａ５０と接続されてよい。
【００３７】
また、コアネットワーク＿Ａ９０内に複数のＭＭＥが含まれている場合、ＭＭＥ同士が
接続されてもよい。これにより、ＭＭＥ間で、ＵＥ＿Ａ１０のコンテキストの送受信が行われてもよい。
【００３８】
このように、ＭＭＥ＿Ａ４０は、ＵＥ＿Ａ１０とモビリティ管理やセッション管理に関連する制御情報を送受信する管理装置であり、言い換えるとコントロールプレーンの制御装置であればよい。さらに、ＭＭＥ＿Ａ４０はコアネットワーク９０に含まれて構成される例を説明したが、ＭＭＥ＿Ａ４０は、複数のコアネットワークやネットワークスライスが構成される場合、一つ以上のコアネットワークに接続される管理装置であってもよいし、ＭＭＥ＿Ａ４０は複数のネットワークスライスに接続される管理装置であってもよい。
【００３９】
また、複数のコアネットワーク又はネットワークスライスは単一の通信事業者によって運用されるネットワークであってもよいし、それぞれ異なる通信事業者によって運用されるネットワークであってよい。ここで、ネットワークスライスとは、サービス等によって配送されるユーザデータを分けるために構成された論理的なネットワークであってよい。
【００４０】
ＨＳＳ＿Ａ５０はＭＭＥ＿Ａ４０とＡＡＡ＿Ａ５５とＳＣＥＦ＿Ａ４６とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００４１】
ＡＡＡ＿Ａ５５は、ＰＧＷ３０と、ＨＳＳ＿Ａ５０と、ＰＣＲＦ＿Ａ６０と、ＷＬＡＮ
ＡＮａ７０とに接続されており、ＷＬＡＮ  ＡＮａ７０を経由して接続するＵＥ＿Ａ１０のアクセス制御を行う。
【００４２】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００４３】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４４】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４５】
ＳＣＥＦ＿Ａ４６はＰＤＮ＿Ａ５とＭＭＥ＿Ａ４０とＨＳＳ＿Ａ５０とに接続されており、ＰＤＮ＿Ａ５、及び／又はＤＮ（Ｄａｔａ  Ｎｅｔｗｏｒｋ）とコアネットワーク＿Ａ９０とを繋ぐゲートウェイ装置としてユーザデータの転送を行う中継装置である。なお、ＳＣＥＦ＿Ａ４６は、ｎｏｎ−ＩＰ通信のためのゲートウェイ装置であってもよい。さらに、ＳＣＥＦ＿Ａ４６は、ｎｏｎ−ＩＰ通信とＩＰ通信を変換する機能を持っていてもよい。また、こうしたゲートウェイはコアネットワーク＿Ａ９０に複数配置されてよい。さらに、コアネットワーク＿Ａ９０と単一のＤＮを接続するゲートウェイも複数配置されて良い。
【００４６】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４７】
本実施形態においては、ＬＴＥ  ＡＮ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。
【００４８】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００４９】
コアネットワーク＿Ａ９０を運営する事業者とＷＬＡＮ  ＡＮａ７０を運営する事業者が異なる場合でも、事業者間の契約や規約によりこのような構成での実現が可能となる。
【００５０】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００５１】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００５２】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ２２と接続されてよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されてよい。
【００５３】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００５４】
次に、第２のコアネットワーク＿Ａ９０の構成の一例を説明する。図３にコアネットワーク＿９０の構成の一例を示す。図２（ａ）のコアネットワーク＿Ａ９０は、ＨＳＳ（Ｈｏｍｅ  Ｓｕｂｓｃｒｉｂｅｒ  Ｓｅｒｖｅｒ）＿Ａ５０、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ（Ｐａｃｋｅｔ  Ｄａｔａ  Ｎｅｔｗｏｒｋ  Ｇａｔｅｗａｙ）＿Ａ３０、ＳＧＷ（Ｓｅｒｖｉｎｇ
Ｇａｔｅｗａｙ）＿Ａ３５、ＭＭＥ（Ｍｏｂｉｌｉｔｙ  Ｍａｎａｇｅｍｅｎｔ  Ｅｎｔｉｔｙ）＿Ａ４０、ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）＿Ａ４６により構成される。
【００５５】
また、コアネットワーク＿Ａ９０は、複数の無線アクセスネットワーク（Ｅ−ＵＴＲＡＮ８０、５Ｇ  ＲＡＮ１２０、ＷＬＡＮ  ＡＮｃ１２５）に接続することができる。
【００５６】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００５７】
さらに、３ＧＰＰアクセスシステムで接続可能なアクセスネットワークは、Ｅ−ＵＴＲＡＮ＿Ａ８０と５Ｇ  ＲＡＮ１２０とが構成可能である。
【００５８】
さらに、ＷＬＡＮアクセスシステムで接続可能なアクセスネットワークは、ＭＭＥ＿Ａ４０とＳＧＷ＿Ａ３５とに接続するＷＬＡＮアクセスネットワークｃ（ＷＬＡＮ  ＡＮｃ１２５）とが構成可能である。
【００５９】
なお、各装置はＥＰＳを利用した移動通信システムにおける従来の装置と同様に構成されるため、詳細な説明は省略する。以下、各装置の簡単な説明をする。
【００６０】
ＳＧＷ＿Ａ３５は、ＰＧＷ＿Ａ３０とＭＭＥ＿Ａ４０とＥ−ＵＴＲＡＮ８０と５Ｇ  ＲＡＮ１２０とＷＬＡＮ  ＡＮｃ１２６とに接続されており、コアネットワーク＿Ａ９０と３ＧＰＰアクセスネットワーク（Ｅ−ＵＴＲＡＮ８０、５Ｇ  ＲＡＮ１２０）、及び／又はｎｏｎ−３ＧＰＰアクセスネットワーク（ＷＬＡＮ  ＡＮｃ１２６）とのゲートウェイ装置としてユーザデータの転送を行う中継装置である。
【００６１】
ＭＭＥ＿Ａ４０は、ＳＧＷ＿Ａ３５とＥ−ＵＴＲＡＮ８０と５Ｇ  ＲＡＮ１２０とＷＬＡＮ  ＡＮｃ１２６とＨＳＳ＿Ａ５０とＳＣＥＦ＿Ａ４６に接続されており、３ＧＰＰアクセスネットワーク、及び／又はｎｏｎ−３ＧＰＰアクセスネットワークを経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＥ−ＵＴＲＡＮ８０と５Ｇ  ＲＡＮ１２０とＷＬＡＮ  ＡＮｃ１２６と、ＨＳＳ＿Ａ５０と接続されてよい。
【００６２】
また、ＭＭＥ＿Ａ４０は、コアネットワーク＿Ａ９０と３ＧＰＰアクセスネットワーク（Ｅ−ＵＴＲＡＮ８０、５Ｇ  ＲＡＮ１２０）、及び／又はｎｏｎ−３ＧＰＰアクセスネットワーク（ＷＬＡＮ  ＡＮｃ１２６）とのゲートウェイ装置としてユーザデータの転送を行う中継装置であってもよい。なお、ＭＭＥ＿Ａ４０がゲートウェイ装置となって送受信されるユーザデータは、スモールデータであってもよい
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００６３】
なお、ＰＧＷ＿Ａ３０、ＳＣＥＦ＿Ａ４６、ＨＳＳ＿Ａ５０、ＰＣＲＦ＿Ａ６０は、図２で説明した装置と同様の装置であってよい。従って、ここでの説明は省略する。
【００６４】
ＰＣＲＦ＿Ａ６０は、ＰＧＷ＿Ａ３０と、ＷＬＡＮ  ＡＮａ７５と、ＡＡＡ＿Ａ５５と、
また、図３（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００６５】
本実施形態においては、Ｅ−ＵＴＲＡＮ＿Ａ８０はｅＮＢ＿Ａ４５を含んで構成される。ｅＮＢ＿Ａ４５はＥ−ＵＴＲＡＮでＵＥ＿Ａ１０が接続する無線基地局であり、Ｅ−ＵＴＲＡＮ＿Ａ８０には１又は複数の無線基地局が含まれて構成されてよい。
【００６６】
５Ｇ  ＲＡＮ１２０は、５Ｇ移動通信で用いられるアクセスネットワークである。５Ｇ
ＲＡＮ１２０は、５ＧＢＳ＿Ａ１２２を含んで構成される。５ＧＢＳ＿Ａ１２２は５Ｇ
ＲＡＮ１２０でＵＥ＿Ａ１０が接続する無線基地局であり、５Ｇ  ＲＡＮ１２０には１又は複数の無線基地局が含まれて構成されてよい。
【００６７】
ＷＬＡＮ  ＡＮｃ１２５はＷＡＧ＿Ａ１２６が含まれて構成される。ＷＡＧ＿Ａ１２６はＵＥ＿Ａ１０が接続する無線基地局であり、ＷＬＡＮ  ＡＮｃ１２５には１又は複数の無線基地局が含まれて構成されてよい。さらに、ＷＡＧ＿Ａ１２６はコアネットワーク＿Ａ９０とＷＬＡＮ  ＡＮｃ１２５のゲートウェイ装置であってもよい。また、ＷＡＧ＿Ａ１２６は、無線基地局の機能部とゲートウェイ装置の機能部とが別の装置で構成されてもよい。
【００６８】
なお、第１のコアネットワーク及び又は第２のコアネットワークは、ＩｏＴのために最適化されたシステムで構成されてよい。
【００６９】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００７０】
［１．２．装置の構成］
以下、各装置の構成について説明する。
【００７１】
［１．２．１．ＵＥの構成］
図５にＵＥ＿Ａ１０の装置構成を示す。図に示すように、ＵＥ＿Ａ１０は送受信部＿Ａ５２０と、制御部＿Ａ５００と記憶部＿Ａ５４０で構成されている。送受信部＿Ａ５２０と記憶部＿Ａ５４０は制御部＿Ａ５００と、バスを介して接続されている。
【００７２】
制御部＿Ａ５００はＵＥ＿Ａ１０を制御するための機能部である。制御部＿Ａ５００は、記憶部＿Ａ５４０に記憶されている各種プログラムを読みだして実行することにより各種処理を実現する。
【００７３】
送受信部＿Ａ５２０は、ＵＥ＿Ａ１０がアクセスネットワーク内の基地局、及び／又はアクセスポイントに接続し、アクセスネットワークへ接続するための機能部である。また、送受信部＿Ａ５２０には、外部アンテナ＿Ａ５１０が接続されている。
【００７４】
言い換えると、送受信部＿Ａ５２０は、ＵＥ＿Ａ１０がアクセスネットワーク内の基地局、及び／又はアクセスポイントと接続するための機能部である。さらに、送受信部＿Ａ５２０は、ＵＥ＿Ａ１０が、アクセスネットワーク内の基地局、及び／又はアクセスポイントからユーザデータ及び又は制御データを送受信する送受信機能部である。
【００７５】
記憶部＿Ａ５４０は、ＵＥ＿Ａ１０の各動作に必要なプログラムや、データなどを記憶する機能部である。記憶部＿Ａ５４０は、例えば、半導体メモリや、ＨＤＤ（Ｈａｒｄ  Ｄｉｓｋ  Ｄｒｉｖｅ）等により構成されている。
【００７６】
記憶部＿Ａ５４０は、少なくとも、後述する通信手続き内で送受信する制御メッセージ
に含まれる識別情報及びまたは制御情報及び又はフラグ及び又はパラメータを記憶してもよい。
【００７７】
記憶部＿Ａ５４０は、図に示すように、ＵＥコンテキスト５４２を記憶する。以下、記憶部＿Ａ５４０で記憶される情報要素について説明する。
【００７８】
まず、図６（ｂ）にＵＥごとに記憶されるＵＥコンテキストに含まれる情報要素を示す。図に示すように、ＵＥごとに記憶されるＵＥコンテキストは、ＩＭＳＩ、ＥＭＭ  Ｓｔａｔｅ、ＧＵＴＩ、ＭＥ  Ｉｄｅｎｔｉｔｙ、ＵＥ  Ａｃｃｅｓｓ  Ｎｅｔｗｏｒｋ  Ｃａｐａｂｉｌｉｔｙ、ＮＷ  Ａｃｃｅｓｓ  Ｎｅｔｗｏｒｋ  Ｃａｐａｂｉｌｉｔｙ、Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙを含む。
【００７９】
ＩＭＳＩは、加入者の永久的な識別情報である。
【００８０】
ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、またはＵＥがネットワークに登録されていないＥＭＭ−ＤＥＲＥＧＩＳＴＥＲＤ（非登録状態、ｄｅｒｅｇｉｓｔｅｒｅｄ状態）であってもよい。
【００８１】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【００８２】
ＭＥ  Ｉｄｅｎｔｉｔｙは、ＭＥのＩＤであり、例えば、ＩＭＥＩ／ＩＭＩＳＶであってもよい。
【００８３】
ＵＥ  Ａｃｃｅｓｓ  Ｎｅｔｗｏｒｋ  Ｃａｐａｂｉｌｉｔｙは、ＵＥ＿Ａ１０が接続可能なアクセスネットワークを示す情報である。ここで、アクセスネットワークは、３ＧＰＰアクセスネットワークであってもよいし、ｎｏｎ−３ＧＰＰアクセスネットワークであってもよい。ＵＥ  Ａｃｃｅｓｓ  Ｎｅｔｗｏｒｋ  Ｃａｐａｂｉｌｉｔｙは、複数のアクセスネットワークを示す情報を含んでいてもよい。その場合、ＵＥ  Ａｃｃｅｓｓ  Ｎｅｔｗｏｒｋ  Ｃａｐａｂｉｌｉｔｙは、さらに、アクセスネットワーク間での優先度を示す情報を一緒に含んでいてもよい。
【００８４】
ＮＷ  Ａｃｃｅｓｓ  Ｎｅｔｗｏｒｋ  Ｃａｐａｂｉｌｉｔｙは、コアネットワーク＿Ａ９０が接続可能なアクセスネットワークを示す情報である。ＮＷ  Ａｃｃｅｓｓ  Ｎｅｔｗｏｒｋ  Ｃａｐａｂｉｌｉｔｙは、複数のアクセスネットワークを示す情報を含んでいてもよい。その場合、ＮＷ  Ａｃｃｅｓｓ  Ｎｅｔｗｏｒｋ  Ｃａｐａｂｉｌｉｔｙは、さらに、アクセスネットワーク間での優先度を示す情報を一緒に含んでいてもよい。
【００８５】
Ｎｅｔｗｏｒｋ−ｉｎｉｔｉａｔｅｄ  Ｓｅｓｓｉｏｎ  Ｅｓｔａｂｌｉｓｈｍｅｎｔ
Ｃａｐａｂｉｌｉｔｙは、ネットワーク主導のセッション確立手続きができるかを示す情報である。Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙは、さらに、ＵＥ＿Ａ１０がネットワーク主導のセッション確立手続きを許すことを示すＵＥ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙと、コアネットワーク＿Ａ９０がネットワーク主導のセッション確立手続きを許すことを示すＮＷ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉ
ｌｉｔｙに分類されてもよい。
【００８６】
次に、図６（ｃ）にＰＤＵ（Ｐａｃｋｅｔ  Ｄａｔａ  Ｕｎｉｔ）セッションごとに記憶されるＰＤＵセッションごとのＵＥコンテキストを示す。図に示すように、ＰＤＵセッションごとのＵＥコンテキストは、ＡＰＮ  ｉｎ  Ｕｓｅ（Ｄａｔａ  Ｎｅｔｗｏｒｋ  Ｉｄｅｎｔｉｆｉｅｒ）、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）、ＩＰ  Ａｄｄｒｅｓｓ、Ｄｅｆａｕｌｔ  Ｂｅａｒｅｒ、Ｍｏｂｉｌｉｔｙ  Ｔｙｐｅを含む。
【００８７】
なお、ＰＤＵセッションは、ＵＥ＿Ａ１０と、コアネットワーク＿Ａ９０、及び／又はデータネットワークとの間でユーザデータを送受信するために確立される通信路である。より詳細には、ＰＤＵセッションは、ＰＤＵを送受信するための通信路である。ＰＤＵセッションは、ＵＥ＿Ａ１０とコアネットワーク＿Ａ９０、及び／又はＤＮ（Ｄａｔａ  Ｎｅｔｗｏｒｋ）との間で確立されるセッションであってよく、移動通信システム１内の各装置間の一又は複数のベアラ等の転送路で構成される論理的な通信路であってもよい。
【００８８】
より具体的には、ＰＤＵセッションは、ＵＥ＿Ａ１０が、コアネットワーク＿Ａ９０とＤＮとを接続するゲートウェイとの間に確立するコネクションであってよい。さらに、ＤＮは、ＰＤＮ（Ｐａｃｋｅｔ  Ｄａｔａ  Ｎｅｔｗｏｒｋ）であってよい。したがって、ＰＤＵセッションはＵＥ＿Ａ１０とＰＧＷ＿Ａ３０との間に確立するＰＤＮコネクション等のコネクションであってよい。ＵＥ＿Ａ１０とＤＮに配置するアプリケーションサーバー等の装置は、ＰＤＵセッションを用いてユーザデータの送受信を実行することができる。言い換えると、ＰＤＵセッションは、ＵＥ＿Ａ１０とＤＮに配置するアプリケーションサーバー等の装置が送受信するユーザデータを、転送することができる。
【００８９】
また、ＡＰＮ（Ａｃｃｅｓｓ  Ｐｏｉｎｔ  Ｎａｍｅ）は、コアネットワーク＿Ａ９０とデータネットワーク等の外部ネットワークを識別する識別情報であってよい。さらに、ＡＰＮは、コアネットワークＡ＿９０を接続するＰＧＷ＿Ａ３０等のゲートウェイ装置を選択する情報として用いることもできる。なお、ＡＰＮは、こうしたゲートウェイ装置を識別する識別情報であってもよいし、データネットワーク等の外部ネットワークを識別する識別情報であってもよい。なお、コアネットワーク＿Ａ９０とＤＮとを接続するゲートウェイが複数配置される場合には、ＡＰＮによって選択可能なゲートウェイは複数あったてもよい。さらに、こうした複数のゲートウェイ装置のなかから一つのゲートウェイを選択する場合には、ＡＰＮ以外の識別情報を用いた別の手法によってゲートウェイが選択されてよい。  ＡＰＮ  ｉｎ  Ｕｓｅ（Ｄａｔａ  Ｎｅｔｗｏｒｋ  Ｉｄｅｎｔｉｆｉｅｒ）は、最近使用されたＡＰＮである。このＡＰＮは、ネットワークの識別情報と、デフォルトのオペレータの識別情報とで構成されてよい。さらに、ＡＰＮ  ｉｎ  Ｕｓｅ（Ｄａｔａ  Ｎｅｔｗｏｒｋ  Ｉｄｅｎｔｉｆｉｅｒ）は、ＰＤＵセッションの確立先のデータネットワークを識別する情報であってもよい。
【００９０】
Ａｓｓｉｇｎｅｄ  Ｓｅｓｓｉｏｎ  Ｔｙｐｅ（Ａｓｓｉｇｎｅｄ  ＰＤＮ  Ｔｙｐｅ）は、ＰＤＵセッションのタイプを示す情報である。ＰＤＵセッションのタイプは、ＩＰであってもよいし、ｎｏｎ−ＩＰであってもよい。さらに、ＰＤＵセッションのタイプがＩＰである場合、ネットワークから割り当てられたＰＤＮのタイプを示す情報をさらに含んでもよい。なお、ＰＤＮのタイプは、ＩＰｖ４や、ＩＰｖ６や、ＩＰｖ４ｖ６であってよい。
【００９１】
ＩＰ  Ａｄｄｒｅｓｓは、ＵＥに割り当てられたＩＰアドレスである。ＩＰアドレスは、ＩＰｖ４アドレスであってもよいし、ＩＰｖ６アドレスであってもよいし、ＩＰｖ６プレフィックスであってよい。なお、Ａｓｓｉｇｎｅｄ  Ｓｅｓｓｉｏｎ  Ｔｙｐｅ（Ａｓ
ｓｉｇｎｅｄ  ＰＤＮ  Ｔｙｐｅ）がｎｏｎ−ＩＰを示す場合、ＩＰ  Ａｄｄｒｅｓｓの要素を含まなくてもよい。
【００９２】
Ｄｅｆａｕｌｔ  Ｂｅａｒｅｒは、ＰＤＵセッション確立時にコアネットワーク＿Ａ９０から取得する情報であり、ＰＤＵセッションに対応づけられたデフォルトベアラを識別するＥＰＳベアラ識別情報である。
【００９３】
なお、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とアクセスネットワーク内の基地局、及び／又はアクセスポイントとの間で確立するＲＢ（Ｒａｄｉｏ
Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。なお、ＲＢは、ＳＲＢ（Ｓｉｇｎａｌｌｉｎｇ  Ｒａｄｉｏ  Ｂｅａｒｅｒ）であってもよいし、ＤＲＢ（Ｄａｔａ  Ｒａｄｉｏ  Ｂｅａｒｅｒ）であってもよい。
【００９４】
Ｍｏｂｉｌｉｔｙ  Ｔｙｐｅは、モビリティの粒度を示す情報である。さらに、Ｍｏｂｉｌｉｔｙ  Ｔｙｐｅはサービス継続の種類を示す情報であってもよい。
【００９５】
図６（ｄ）は、ＵＥの記憶部で記憶されるベアラごとのＵＥコンテキストを示す。図に示すように、ベアラごとのＵＥコンテキストは、ＥＰＳ  Ｂｅａｒｅｒ  ＩＤ、ＴＩ、ＴＦＴ、Ｒａｄｉｏ  Ｂｅａｒｅｒ  Ｔｙｐｅを含む。
【００９６】
また、ベアラごとのＵＥコンテキストは、エフィシェントパスとなる通信路を識別する情報を含んでもよい。
【００９７】
ＥＰＳ  Ｂｅａｒｅｒ  ＩＤは、ＥＰＳベアラの識別情報である。また、ＥＰＳ  Ｂｅａｒｅｒ  ＩＤは、ＳＲＢ、及び又は、ＣＲＢを識別する識別情報であってもよいし、ＤＲＢを識別する識別情報であってもよい。
【００９８】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【００９９】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、ＵＥ＿Ａ１０は、ＴＦＴによって識別されたユーザデータを、ＴＦＴに関連付けたＥＰＳベアラを用いて送受信する。さらに言い換えると、ＵＥ＿Ａ１０は、ＴＦＴによって識別されたユーザデータを、ＴＦＴに関連づけたＲＢを用いて送受信する。
【０１００】
また、ＴＦＴは、送受信するアプリケーションデータ等のユーザデータを適切な転送路に対応づけするものであってよく、アプリケーションデータを識別する識別情報であってもよい。
【０１０１】
また、ＵＥ＿Ａ１０は、ＴＦＴで識別できないユーザデータを、デフォルトベアラを用いて送受信してもよい。
【０１０２】
また、ＵＥ＿Ａ１０は、デフォルトベアラに関連付けられてＴＦＴを予め記憶しておいてもよい。
【０１０３】
Ｒａｄｉｏ  Ｂｅａｒｅｒ  Ｔｙｐｅは、ベアラの種類を示す情報である。なお、ベアラの種類を示す情報は、ＤＲＢであってもよく、ＳＲＢであってもよい。
【０１０４】
［１．２．２．ｅＮＢの構成］
以下、ｅＮＢ＿Ａ４５の構成について説明する。図７にｅＮＢ＿Ａ４５の装置構成を示す。図に示すように、ｅＮＢ＿Ａ４５はネットワーク接続部＿Ｂ７２０と、送受信部＿Ｂ７３０と、制御部＿Ｂ７００と記憶部＿Ｂ７４０で構成されている。ネットワーク接続部＿Ｂ７２０と送受信部＿Ｂ７３０と記憶部＿Ｂ７４０は制御部＿Ｂ７００と、バスを介して接続されている。
【０１０５】
制御部＿Ｂ７００はｅＮＢ＿Ａ４５を制御するための機能部である。制御部＿Ｂ７００は、記憶部＿Ｂ７４０に記憶されている各種プログラムを読みだして実行することにより各種処理を実現する。
【０１０６】
ネットワーク接続部＿Ｂ７２０は、ｅＮＢ＿Ａ４５がＭＭＥ＿Ａ４０及び／又はＳＧＷ＿Ａ３５と接続するための機能部である。さらに、ネットワーク接続部＿Ｂ７２０は、ｅＮＢ＿Ａ４５がＭＭＥ＿Ａ４０及び／又はＳＧＷ＿Ａ３５からユーザデータ及び又は制御データを送受信する送受信部である。
【０１０７】
送受信部＿Ｂ７３０は、ｅＮＢ＿Ａ４５がＵＥ＿Ａ１０と接続するための機能部である。さらに、送受信部＿Ｂ７３０は、ＵＥ＿Ａ１０からユーザデータ及び又は制御データを送受信する送受信機能部である。また、送受信部＿Ｂ７３０には、外部アンテナ＿Ｂ７１０が接続されている。
【０１０８】
記憶部＿Ｂ７４０は、ｅＮＢ＿Ａ４５の各動作に必要なプログラムや、データなどを記憶する機能部である。記憶部＿Ｂ７４０は、例えば、半導体メモリや、ＨＤＤ（Ｈａｒｄ
Ｄｉｓｋ  Ｄｒｉｖｅ）等により構成されている。
【０１０９】
記憶部＿Ｂ７４０は、少なくとも、後述する通信手続き内で送受信する制御メッセージに含まれる識別情報及び／又は制御情報及び又はフラグ及び又はパラメータを記憶してもよい。
【０１１０】
［１．２．３．５ＧＢＳの構成］
以下、５ＧＢＳ＿Ａ１２２の構成について説明する。図８に５ＧＢＳ＿Ａ１２２の装置構成を示す。図に示すように、５ＧＢＳ＿Ａ１２２はネットワーク接続部＿Ｃ８２０と、送受信部＿Ｃ８３０と、制御部＿Ｃ８００と記憶部＿Ｃ８４０で構成されている。ネットワーク接続部＿Ｃ８２０と送受信部＿Ｃ８３０と記憶部＿Ｃ８４０は制御部＿Ｃ８００と、バスを介して接続されている。
【０１１１】
制御部＿Ｃ８００は５ＧＢＳ＿Ａ１２２を制御するための機能部である。制御部＿Ｃ８００は、記憶部＿Ｃ８４０に記憶されている各種プログラムを読みだして実行することにより各種処理を実現する。
【０１１２】
ネットワーク接続部＿Ｃ８２０は、５ＧＢＳ＿Ａ１２２がＭＭＥ＿Ａ４０及び／又はＳＧＷ＿Ａ３５と接続するための機能部である。さらに、ネットワーク接続部＿Ｃ８２０は、５ＧＢＳ＿Ａ１２２がＭＭＥ＿Ａ４０及び／又はＳＧＷ＿Ａ３５からユーザデータ及び又は制御データを送受信する送受信部である。
【０１１３】
送受信部＿Ｃ８３０は、５ＧＢＳ＿Ａ１２２がＵＥ＿Ａ１０と接続するための機能部である。さらに、送受信部＿Ｃ８３０は、ＵＥ＿Ａ１０からユーザデータ及び又は制御デー
タを送受信する送受信機能部である。また、送受信部＿Ｃ８３０には、外部アンテナ＿Ｃ８１０が接続されている。
【０１１４】
記憶部＿Ｃ８４０は、５ＧＢＳ＿Ａ１２２の各動作に必要なプログラムや、データなどを記憶する機能部である。記憶部＿Ｃ８４０は、例えば、半導体メモリや、ＨＤＤ（Ｈａｒｄ  Ｄｉｓｋ  Ｄｒｉｖｅ）等により構成されている。
【０１１５】
記憶部＿Ｃ８４０は、少なくとも、後述する通信手続き内で送受信する制御メッセージに含まれる識別情報及び／又は制御情報及び又はフラグ及び又はパラメータを記憶してもよい。
【０１１６】
［１．２．４．ＷＡＧの構成］
以下、ＷＡＧ＿Ａ１２６の構成について説明する。図９にＷＡＧ＿Ａ１２６の装置構成を示す。図に示すように、ＷＡＧ＿Ａ１２６はネットワーク接続部＿Ｄ９２０と、送受信部＿Ｄ９３０と、制御部＿Ｄ９００と記憶部＿Ｄ９４０で構成されている。ネットワーク接続部＿Ｄ９２０と送受信部＿Ｄ９３０と記憶部＿Ｄ９４０は制御部＿Ｄ９００と、バスを介して接続されている。
【０１１７】
制御部＿Ｄ９００はＷＡＧ＿Ａ１２６を制御するための機能部である。制御部＿Ｄ９００は、記憶部＿Ｄ９４０に記憶されている各種プログラムを読みだして実行することにより各種処理を実現する。
【０１１８】
ネットワーク接続部＿Ｄ９２０は、ＷＡＧ＿Ａ１２６がＭＭＥ＿Ａ４０及び／又はＳＧＷ＿Ａ３５と接続するための機能部である。さらに、ネットワーク接続部＿Ｄ９２０は、ＷＡＧ＿Ａ１２６がＭＭＥ＿Ａ４０及び／又はＳＧＷ＿Ａ３５からユーザデータ及び又は制御データを送受信する送受信部である。
【０１１９】
送受信部＿Ｄ９３０は、ＷＡＧ＿Ａ１２６がＵＥ＿Ａ１０と接続するための機能部である。さらに、送受信部＿Ｄ９３０は、ＵＥ＿Ａ１０からユーザデータ及び又は制御データを送受信する送受信機能部である。また、送受信部＿Ｄ９３０には、外部アンテナ＿Ｄ９１０が接続されている。
【０１２０】
記憶部＿Ｄ９４０は、ＷＡＧ＿Ａ１２６の各動作に必要なプログラムや、データなどを記憶する機能部である。記憶部＿Ｄ９４０は、例えば、半導体メモリや、ＨＤＤ（Ｈａｒｄ  Ｄｉｓｋ  Ｄｒｉｖｅ）等により構成されている。
【０１２１】
記憶部＿Ｄ９４０は、少なくとも、後述する通信手続き内で送受信する制御メッセージに含まれる識別情報及び／又は制御情報及び又はフラグ及び又はパラメータを記憶してもよい。
【０１２２】
［１．２．５．ＳＣＥＦの構成］
図１０にＳＣＥＦ＿Ａ４６の装置構成を示す。図に示すように、ＳＣＥＦ＿Ａ４６は送受信部＿Ｅ１０２０と、制御部＿Ｅ１０００と記憶部＿Ｅ１０４０で構成されている。送受信部＿Ｅ１０２０と記憶部＿Ｅ１０４０は制御部＿Ｅ１０００と、バスを介して接続されている。
【０１２３】
制御部＿Ｅ１０００はＳＣＥＦ＿Ａ４６を制御するための機能部である。制御部＿Ｅ１０００は、記憶部＿Ｅ１０４０に記憶されている各種プログラムを読みだして実行することにより各種処理を実現する。
【０１２４】
送受信部＿Ｅ１０２０は、ＳＣＥＦ＿Ａ４６がコアネットワーク＿Ａ９０へ接続するための機能部である。言い換えると、送受信部＿Ｅ１０２０は、ＳＣＥＦ＿Ａ４６がＭＭＥ＿Ａ４０と接続するための機能部である。さらに、送受信部＿Ｅ１０２０は、ＳＣＥＦ＿Ａ４６が、ＭＭＥ＿Ａ４０からユーザデータ及び又は制御データを送受信する送受信機能部である。
【０１２５】
記憶部＿Ｅ１０４０は、ＳＣＥＦ＿Ａ４６の各動作に必要なプログラムや、データなどを記憶する機能部である。記憶部＿Ｅ１０４０は、例えば、半導体メモリや、ＨＤＤ（Ｈａｒｄ  Ｄｉｓｋ  Ｄｒｉｖｅ）等により構成されている。
【０１２６】
記憶部＿Ｅ１０４０は、少なくとも、後述する通信手続き内で送受信する制御メッセージに含まれる識別情報及びまたは制御情報及び又はフラグ及び又はパラメータを記憶してもよい。
【０１２７】
記憶部＿Ｅ１０４０は、図に示すように、ＥＰＳベアラコンテキスト１０４２を記憶する。以下、記憶部＿Ｅ１０４０で記憶される情報要素について説明する。
【０１２８】
図１０（ｂ）にＥＰＳベアラコンテキストに含まれる情報要素を示す。図に示すように、ＥＰＳベアラコンテキストは、Ｕｓｅｒ  Ｉｄｅｎｔｉｔｙ、ＡＰＮ  ｉｎ  Ｕｓｅ（Ｄａｔａ  Ｎｅｔｗｏｒｋ  Ｉｄｅｎｔｉｆｉｅｒ）、ＥＰＳ  Ｂｅａｒｅｒ  ＩＤ、Ｓｅｒｖｉｎｇ  Ｎｏｄｅ  Ｉｎｆｏｒｍａｔｉｏｎを含む。
【０１２９】
Ｕｓｅｒ  Ｉｄｅｎｔｉｔｙは、加入者を識別する情報である。Ｕｓｅｒ  Ｉｄｅｎｔｉｔｙは、ＩＭＳＩであってもよいし、ＭＳＩＳＤＮであってもよい。さらに、Ｕｓｅｒ
Ｉｄｅｎｔｉｔｙは、ＩＭＳＩ、ＭＳＩＳＤＮ以外の識別情報であってもよい。
【０１３０】
ＡＰＮ  ｉｎ  Ｕｓｅ（Ｄａｔａ  Ｎｅｔｗｏｒｋ  Ｉｄｅｎｔｉｆｉｅｒ）は、使用されたＡＰＮである。このＡＰＮは、ネットワークの識別情報と、デフォルトのオペレータの識別情報とで構成されてよい。さらに、ＡＰＮ  ｉｎ  Ｕｓｅ（Ｄａｔａ  Ｎｅｔｗｏｒｋ  Ｉｄｅｎｔｉｆｉｅｒ）は、ＰＤＵセッションの確立先のデータネットワークを識別する情報であってもよい。
【０１３１】
ＥＰＳ  Ｂｅａｒｅｒ  ＩＤは、ＥＰＳベアラの識別情報である。
【０１３２】
Ｓｅｒｖｉｎｇ  Ｎｏｄｅ  Ｉｎｆｏｒｍａｔｉｏｎは、ＰＤＵセッションで用いられているＭＭＥ＿Ａ４０のＩＰアドレスである。
【０１３３】
［１．２．６．ＭＭＥの構成］
以下、ＭＭＥ＿Ａ４０の構成について説明する。図１１にＭＭＥ＿Ａ４０の装置構成を示す。図に示すように、ＭＭＥ＿Ａ４０はネットワーク接続部＿Ｆ１１２０と、制御部＿Ｆ１１００と記憶部＿Ｆ１１４０で構成されている。ネットワーク接続部＿Ｆ１１２０と記憶部＿Ｆ１１４０は制御部＿Ｆ１１００と、バスを介して接続されている。
【０１３４】
制御部＿Ｆ１１００はＭＭＥ＿Ａ４０を制御するための機能部である。制御部＿Ｆ１１００は、記憶部＿Ｆ１１４０に記憶されている各種プログラムを読みだして実行することにより各種処理を実現する。
【０１３５】
ネットワーク接続部＿Ｆ１１２０は、ＭＭＥ＿Ａ４０が、アクセスネットワーク内の基地局、及び／又はアクセスネットワーク内のアクセスポイント、及び／又は、ＳＣＥＦ＿Ａ４６、及び／又はＨＳＳ＿Ａ５０及び／又はＳＧＷ＿Ａ３５と接続するための機能部で
ある。さらに、ネットワーク接続部＿Ｆ１１２０は、ＭＭＥ＿Ａ４０が、アクセスネットワーク内の基地局、及び／又はアクセスネットワーク内のアクセスポイント、及び／又は、ＳＣＥＦ＿Ａ４６、及び／又はＨＳＳ＿Ａ５０、及び／又はＳＧＷ＿Ａ３５からユーザデータ及び又は制御データを送受信する送受信部である。
【０１３６】
記憶部＿Ｆ１１４０は、ＭＭＥ＿Ａ４０の各動作に必要なプログラムや、データなどを記憶する機能部である。記憶部＿Ｆ１１４０は、例えば、半導体メモリや、ＨＤＤ（Ｈａｒｄ  Ｄｉｓｋ  Ｄｒｉｖｅ）等により構成されている。
【０１３７】
記憶部＿Ｆ１１４０は、少なくとも、後述する通信手続き内で送受信する制御メッセージに含まれる識別情報及びまたは制御情報及び又はフラグ及び又はパラメータを記憶してもよい。
【０１３８】
記憶部＿Ｆ１１４０は、図に示すように、ＭＭＥコンテキスト１１４２を記憶する。以下、記憶部＿Ｆ１１４０で記憶される情報要素について説明する。
【０１３９】
まず、図１２（ｂ）にＵＥごとに記憶されるＵＥコンテキストに含まれる情報要素を示す。図に示すように、ＵＥごとに記憶されるＭＭＥコンテキストは、ＩＭＳＩ、ＭＳＩＳＤＮ、ＭＭ  Ｓｔａｔｅ、ＧＵＴＩ、ＭＥ  Ｉｄｅｎｔｉｔｙ、ＵＥ  Ｒａｄｉｏ  Ａｃｃｅｓｓ  Ｃａｐａｂｉｌｉｔｙ、ＵＥ  Ｎｅｔｗｏｒｋ  Ｃａｐａｂｉｌｉｔｙ、ＭＳ
Ｎｅｔｗｏｒｋ  Ｃａｐａｂｉｌｉｔｙ、Ａｃｃｅｓｓ  Ｒｅｓｔｒｉｃｔｉｏｎ、ＭＭＥ  Ｆ−ＴＥＩＤ、ＳＧＷ  Ｆ−ＴＥＩＤ、ＭＭＥ  Ａｄｄｒｅｓｓ、ｅＮＢ  Ａｄｄｒｅｓｓ、ＭＭＥ  ＵＥ  Ｓ１ＡＰ  ＩＤ、ｅＮＢ  ＵＥ  Ｓ１ＡＰ  ＩＤ、  ５ＧＢＳ
Ａｄｄｒｅｓｓ、５ＧＢＳ  ＩＤ、ＷＡＧ  Ａｄｄｒｅｓｓ、ＷＡＧ  ＩＤ、ＵＥ  Ａｃｃｅｓｓ  Ｎｅｔｗｏｒｋ  Ｃａｐａｂｉｌｉｔｙ、ＮＷ  Ａｃｃｅｓｓ  Ｎｅｔｗｏｒｋ  Ｃａｐａｂｉｌｉｔｙ、Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙを含む。
【０１４０】
また、ＵＥごとのＭＭＥコンテキストは、エフィシェントパスとなる通信路を識別する情報を含んでもよい。
【０１４１】
ＩＭＳＩは、ユーザの永久的な識別情報である。ＨＳＳ＿Ａ５０が記憶するＩＭＳＩと等しい。
【０１４２】
ＭＳＩＳＤＮは、ＵＥの電話番号を表す。ＭＳＩＳＤＮはＨＳＳ＿Ａ５０の記憶部により示される。
【０１４３】
ＭＭ  Ｓｔａｔｅは、ＭＭＥの移動管理（Ｍｏｂｉｌｉｔｙ  ｍａｎａｇｅｍｅｎｔ）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態を示す。
【０１４４】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０１４５】
ＭＥ  ＩｄｅｎｔｉｔｙＵＥのＩＤであり、例えば、ＩＭＥＩ／ＩＭＩＳＶであってもよい。
【０１４６】
ＵＥ  Ｒａｄｉｏ  Ａｃｃｅｓｓ  Ｃａｐａｂｉｌｉｔｙは、ＵＥの無線アクセス能力を示す識別情報である。
【０１４７】
ＵＥ  Ｎｅｔｗｏｒｋ  Ｃａｐａｂｉｌｉｔｙは、ＵＥにサポートされるセキュリティーのアルゴリズムと鍵派生関数を含める。
【０１４８】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【０１４９】
Ａｃｃｅｓｓ  Ｒｅｓｔｒｉｃｔｉｏｎは、アクセス制限の登録情報である。
【０１５０】
ＭＭＥ  Ｆ−ＴＥＩＤは、ＭＭＥ＿Ａ４０を識別する情報である。ＭＭＥ  Ｆ−ＴＥＩＤには、ＭＭＥ＿Ａ４０のＩＰアドレスが含まれていてもよいし、ＭＭＥ＿Ａ４０のＴＥＩＤ（Ｔｕｎｎｅｌ  Ｅｎｄｐｏｉｎｔ  Ｉｄｅｎｔｉｆｉｅｒ）が含まれてもよい。
【０１５１】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０１５２】
ＭＭＥ  Ａｄｄｒｅｓｓは、ＭＭＥ＿Ａ４０のＩＰアドレスである。
【０１５３】
ｅＮＢ  Ａｄｄｒｅｓｓは、ｅＮＢ＿Ａ４５のＩＰアドレスである。
【０１５４】
ＭＭＥ  ＵＥ  Ｓ１ＡＰ  ＩＤは、ＭＭＥ＿Ａ４０内でのＵＥを識別する情報である。
【０１５５】
ｅＮＢ  ＵＥ  Ｓ１ＡＰ  ＩＤは、ｅＮＢ＿Ａ４５内でのＵＥを識別する情報である。
【０１５６】
５ＧＢＳ  Ａｄｄｒｅｓｓは、５ＧＢＳ＿Ａ１２２のＩＰアドレスである。
【０１５７】
５ＧＢＳ  ＩＤは、５ＧＢＳ＿Ａ１２２内でのＵＥを識別する情報である。
【０１５８】
ＷＡＧ  Ａｄｄｒｅｓｓは、ＷＡＧ＿Ａ１２６のＩＰアドレスである。
【０１５９】
ＷＡＧ  ＩＤは、ＷＡＧ＿Ａ１２６内でのＵＥを識別する情報である。
【０１６０】
ＵＥ  Ａｃｃｅｓｓ  Ｎｅｔｗｏｒｋ  Ｃａｐａｂｉｌｉｔｙは、ＵＥ＿Ａ１０が接続可能なアクセスネットワークを示す情報である。ここで、アクセスネットワークは、３ＧＰＰアクセスネットワークであってもよいし、ｎｏｎ−３ＧＰＰアクセスネットワークであってもよい。ＵＥ  Ａｃｃｅｓｓ  Ｎｅｔｗｏｒｋ  Ｃａｐａｂｉｌｉｔｙは、複数のアクセスネットワークを示す情報を含んでいてもよい。その場合、ＵＥ  Ａｃｃｅｓｓ  Ｎｅｔｗｏｒｋ  Ｃａｐａｂｉｌｉｔｙは、さらに、アクセスネットワーク間での優先度を示す情報を一緒に含んでいてもよい。
【０１６１】
ＮＷ  Ａｃｃｅｓｓ  Ｎｅｔｗｏｒｋ  Ｃａｐａｂｉｌｉｔｙは、コアネットワーク＿Ａ９０が接続可能なアクセスネットワークを示す情報である。ＮＷ  Ａｃｃｅｓｓ  Ｎｅｔｗｏｒｋ  Ｃａｐａｂｉｌｉｔｙは、複数のアクセスネットワークを示す情報を含んでいてもよい。その場合、ＮＷ  Ａｃｃｅｓｓ  Ｎｅｔｗｏｒｋ  Ｃａｐａｂｉｌｉｔｙは、さらに、アクセスネットワーク間での優先度を示す情報を一緒に含んでいてもよい。
【０１６２】
Ｎｅｔｗｏｒｋ−ｉｎｉｔｉａｔｅｄ  Ｓｅｓｓｉｏｎ  Ｅｓｔａｂｌｉｓｈｍｅｎｔ
Ｃａｐａｂｉｌｉｔｙは、ネットワーク主導のセッション確立手続きができるかを示す情報である。Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙは、さらに、ＵＥ＿Ａ１０がネットワーク主導のセッション確立手続きを許すことを示すＵＥ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙと、コアネットワーク＿Ａ９０がネットワーク主導のセッション確立手続きを許すことを示すＮＷ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙに分類されてもよい。
【０１６３】
次に、図１３（ｃ）にＰＤＵセッションごとに記憶されるＰＤＵセッションごとのＵＥコンテキストを示す。図に示すように、ＰＤＵセッションごとのＭＭＥコンテキストは、ＡＰＮ  ｉｎ  Ｕｓｅ（Ｄａｔａ  Ｎｅｔｗｏｒｋ  Ｉｄｅｎｔｉｆｉｅｒ）、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）、ＩＰ  Ａｄｄｒｅｓｓ、ＰＧＷ  Ｆ−ＴＥＩＤ、ＳＣＥＦ  ＩＤ、Ｍｏｂｉｌｉｔｙ  Ｔｙｐｅを含む。
【０１６４】
ＡＰＮ  ｉｎ  Ｕｓｅ（Ｄａｔａ  Ｎｅｔｗｏｒｋ  Ｉｄｅｎｔｉｆｉｅｒ）は、最近使用されたＡＰＮである。このＡＰＮは、ネットワークの識別情報と、デフォルトのオペレータの識別情報とで構成されてよい。さらに、ＡＰＮ  ｉｎ  Ｕｓｅ（Ｄａｔａ  Ｎｅｔｗｏｒｋ  Ｉｄｅｎｔｉｆｉｅｒ）は、ＰＤＵセッションの確立先のデータネットワークを識別する情報であってもよい。
【０１６５】
Ａｓｓｉｇｎｅｄ  Ｓｅｓｓｉｏｎ  Ｔｙｐｅ（Ａｓｓｉｇｎｅｄ  ＰＤＮ  Ｔｙｐｅ）は、ＰＤＵセッションのタイプを示す情報である。ＰＤＵセッションのタイプは、ＩＰであってもよいし、ｎｏｎ−ＩＰであってもよい。さらに、ＰＤＵセッションのタイプがＩＰである場合、ネットワークから割り当てられたＰＤＮのタイプを示す情報をさらに含んでもよい。なお、ＰＤＮのタイプは、ＩＰｖ４や、ＩＰｖ６や、ＩＰｖ４ｖ６であってよい。
【０１６６】
ＩＰ  Ａｄｄｒｅｓｓは、ＵＥに割り当てられたＩＰアドレスである。ＩＰアドレスは、ＩＰｖ４アドレスであってもよいし、ＩＰｖ６アドレスであってもよいし、ＩＰｖ６プレフィックスであってよい。なお、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）がｎｏｎ−ＩＰを示す場合、ＩＰ  Ａｄｄｒｅｓｓの要素を含まなくてもよい。
【０１６７】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０１６８】
ＳＣＥＦ  ＩＤは、ＰＤＵセッションで用いられているＳＣＥＦ＿Ａ４６のＩＰアドレスである。
【０１６９】
Ｄｅｆａｕｌｔ  Ｂｅａｒｅｒは、ＰＤＵセッション確立時に取得、及び又は、生成する情報であり、ＰＤＵセッションに対応づけられたデフォルトベアラを識別するためのＥＰＳベアラ識別情報である。
【０１７０】
Ｍｏｂｉｌｉｔｙ  Ｔｙｐｅは、モビリティの粒度を示す情報である。さらに、Ｍｏｂｉｌｉｔｙ  Ｔｙｐｅはサービス継続の種類を示す情報であってもよい。
【０１７１】
図１３（ｄ）は、ベアラごとに記憶されるベアラごとのＭＭＥコンテキストを示す。図が示すように、ベアラごとに記憶されるＭＭＥコンテキストは、ＥＰＳ  Ｂｅａｒｅｒ  ＩＤ、ＴＩ、ＴＦＴ、ＳＧＷ  Ｆ−ＴＥＩＤ、ＰＧＷ  Ｆ−ＴＥＩＤ、ＭＭＥ  Ｆ−ＴＥＩＤ、ｅＮＢ／５ＧＢＳ／ＷＡＧ  Ａｄｄｒｅｓ、ｅＮＢ／５ＧＢＳ／ＷＡＧ  ＩＤ、Ｒａｄｉｏ  Ｂｅａｒｅｒ  Ｔｙｐｅを含む。
【０１７２】
ＥＰＳ  Ｂｅａｒｅｒ  ＩＤは、Ｅ−ＵＴＲＡＮを介したＵＥ接続に対して、ＥＰＳベアラを識別する識別情報である。
【０１７３】
なお、ＥＰＳ  Ｂｅａｒｅｒ  ＩＤは、デディケイテッドベアラを識別するＥＰＳベアラ識別情報であってよい。したがって、デフォルトベアラとは異なるＥＰＳベアラを識別する識別情報であってよい。
【０１７４】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１７５】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１７６】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤ（Ｔｕｎｎｅｌ  Ｅｎｄｐｏｉｎｔ  Ｉｄｅｎｔｉｆｉｅｒ）が含まれてもよい。
【０１７７】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０１７８】
ＭＭＥ  Ｆ−ＴＥＩＤは、ＭＭＥ＿Ａ４０を識別する情報である。ＭＭＥ  Ｆ−ＴＥＩＤには、ＭＭＥ＿Ａ４０のＩＰアドレスが含まれていてもよいし、ＭＭＥ＿Ａ４０のＴＥＩＤが含まれてもよい。
【０１７９】
ｅＮＢ／５ＧＢＳ／ＷＡＧ  Ａｄｄｒｅｓｓは、ｅＮＢ＿Ａ４５、及び／又は５ＧＢＳ＿Ａ１２２、及び／又はＷＡＧ＿Ａ１２６のＩＰアドレスである。
【０１８０】
ｅＮＢ／５ＧＢＳ／ＷＡＧ  ＩＤは、ｅＮＢ＿Ａ４５、及び／又は５ＧＢＳ＿Ａ１２２、及び／又はＷＡＧ＿Ａ１２６内でのＵＥを識別する情報である。
【０１８１】
Ｒａｄｉｏ  Ｂｅａｒｅｒ  Ｔｙｐｅは、ベアラの種類を示す情報である。なお、ベアラの種類を示す情報は、ＤＲＢであってもよく、ＳＲＢであってもよい。
【０１８２】
ここで、図１２、１３に示すＭＭＥコンテキストに含まれる情報要素は、ＭＭコンテキスト６４４またはＥＰＳベアラコンテキストのいずれかに含まれ、記憶されてもよい。
もよい。
【０１８３】
Ｒａｄｉｏ  Ｂｅａｒｅｒ  Ｔｙｐｅは、ベアラの種類を示す情報である。なお、ベアラの種類を示す情報は、ＤＲＢであってもよく、ＳＲＢであってもよい。
【０１８４】
［１．２．７．ＳＧＷの構成］
図１４にＳＧＷ＿Ａ３５の装置構成を示す。図に示すように、ＳＧＷ＿Ａ３５はネットワーク接続部＿Ｇ１４２０と、制御部＿Ｇ１４００と記憶部＿Ｇ１４４０で構成されてい
る。ネットワーク接続部＿Ｇ１４２０と記憶部＿Ｇ１４４０は制御部＿Ｇ１４００と、バスを介して接続されている。
【０１８５】
制御部＿Ｇ１４００はＳＧＷ＿Ａ３５を制御するための機能部である。制御部＿Ｇ１４００は、記憶部＿Ｇ１４４０に記憶されている各種プログラムを読みだして実行することにより各種処理を実現する。
【０１８６】
ネットワーク接続部＿Ｇ１４２０は、ＳＧＷ＿Ａ３５が、アクセスネットワーク内の基地局、及び／又はアクセスポイント、及び／又はＭＭＥ＿Ａ４０及び／又はＰＧＷ＿Ａ３０及び／又はＳＧＳＮ＿Ａ４２と接続するための機能部である。さらに、ネットワーク接続部＿Ｇ１４２０は、ＳＧＷ＿Ａ３５が、アクセスネットワーク内の基地局、及び／又はアクセスポイント及び／又はＭＭＥ＿Ａ４０及び／又はＰＧＷ＿Ａ３０及び／又はＳＧＳＮ＿Ａ４２からユーザデータ及び又は制御データを送受信する送受信部である。
【０１８７】
記憶部＿Ｇ１４４０は、ＳＧＷ＿Ａ３５の各動作に必要なプログラムや、データなどを記憶する機能部である。記憶部＿Ｇ１４４０は、例えば、半導体メモリや、ＨＤＤ（Ｈａｒｄ  Ｄｉｓｋ  Ｄｒｉｖｅ）等により構成されている。
【０１８８】
記憶部＿Ｇ１４４０は、少なくとも、後述する通信手続き内で送受信する制御メッセージに含まれる識別情報及びまたは制御情報及び又はフラグ及び又はパラメータを記憶してもよい。
【０１８９】
記憶部＿Ｇ１４４０は、図に示すように、ＥＰＳベアラコンテキスト１４４２を記憶する。なお、ＥＰＳベアラコンテキストの中には、ＵＥごとに記憶されるものと、ＰＤＵセッションごとに記憶されるものと、ベアラごとに記憶されるものが含まれる。
【０１９０】
まず、図１５（ｂ）にＵＥごとに記憶されるＥＰＳベアラコンテキストの情報要素を示す。図１５（ｂ）が示すように、ＵＥごとに記憶されるＥＰＳベアラコンテキストは、ＩＭＳＩ、ＭＥ  Ｉｄｅｎｔｉｔｙ、ＭＳＩＳＤＮ、ＭＭＥ  Ｆ−ＴＥＩＤ、ＳＧＷ  Ｆ−ＴＥＩＤ、Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙを含む。
【０１９１】
ＩＭＳＩは、ユーザの永久的な識別情報である。ＨＳＳ＿Ａ５０のＩＭＳＩと等しい。
【０１９２】
ＭＥ  Ｉｄｅｎｔｉｔｙは、ＵＥの識別情報であり、例えば、ＩＭＥＩ／ＩＭＩＳＶであってもよい。
【０１９３】
ＭＳＩＳＤＮは、ＵＥの基本的な電話番号を表す。ＭＳＩＳＤＮはＨＳＳ＿Ａ５０の記憶部により示される。
【０１９４】
ＭＭＥ  Ｆ−ＴＥＩＤは、ＭＭＥ＿Ａ４０を識別する情報である。ＭＭＥ  Ｆ−ＴＥＩＤには、ＭＭＥ＿Ａ４０のＩＰアドレスが含まれていてもよいし、ＭＭＥ＿Ａ４０のＴＥＩＤが含まれてもよい。
【０１９５】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０１９６】
Ｎｅｔｗｏｒｋ−ｉｎｉｔｉａｔｅｄ  Ｓｅｓｓｉｏｎ  Ｅｓｔａｂｌｉｓｈｍｅｎｔ
Ｃａｐａｂｉｌｉｔｙは、ネットワーク主導のセッション確立手続きができるかを示す
情報である。Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙは、さらに、ＵＥ＿Ａ１０がネットワーク主導のセッション確立手続きを許すことを示すＵＥ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙと、コアネットワーク＿Ａ９０がネットワーク主導のセッション確立手続きを許すことを示すＮＷ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙに分類されてもよい。
【０１９７】
さらに、ＥＰＳベアラコンテキストには、ＰＤＵセッションごとに記憶されるＰＤＵセッションごとのＥＰＳベアラコンテキストが含まれる。図１５（ｃ）に、ＰＤＵセッションごとのＥＰＳベアラコンテキストを示す。図に示すように、ＰＤＵセッションごとのＥＰＳベアラコンテキストは、ＡＰＮ  ｉｎ  Ｕｓｅ（Ｄａｔａ  Ｎｅｔｗｏｒｋ  Ｉｄｅｎｔｉｆｉｅｒ）、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）、ＩＰ  Ａｄｄｒｅｓｓ、ＳＧＷ  Ｆ−ＴＥＩＤ、ＰＧＷ  Ｆ−ＴＥＩＤ、Ｄｅｆａｕｌｔ  Ｂｅａｒｅｒ、Ｍｏｂｉｌｉｔｙ  Ｔｙｐｅを含む。
【０１９８】
ＡＰＮ  ｉｎ  Ｕｓｅ（Ｄａｔａ  Ｎｅｔｗｏｒｋ  Ｉｄｅｎｔｉｆｉｅｒ）は、最近使用されたＡＰＮである。このＡＰＮは、ネットワークの識別情報と、デフォルトのオペレータの識別情報とで構成されてよい。さらに、ＡＰＮ  ｉｎ  Ｕｓｅ（Ｄａｔａ  Ｎｅｔｗｏｒｋ  Ｉｄｅｎｔｉｆｉｅｒ）は、ＰＤＵセッションの確立先のデータネットワークを識別する情報であってもよい。
【０１９９】
Ａｓｓｉｇｎｅｄ  Ｓｅｓｓｉｏｎ  Ｔｙｐｅ（Ａｓｓｉｇｎｅｄ  ＰＤＮ  Ｔｙｐｅ）は、ＰＤＵセッションのタイプを示す情報である。ＰＤＵセッションのタイプは、ＩＰであってもよいし、ｎｏｎ−ＩＰであってもよい。さらに、ＰＤＵセッションのタイプがＩＰである場合、ネットワークから割り当てられたＰＤＮのタイプを示す情報をさらに含んでもよい。なお、ＰＤＮのタイプは、ＩＰｖ４や、ＩＰｖ６や、ＩＰｖ４ｖ６であってよい。
【０２００】
ＩＰ  Ａｄｄｒｅｓｓは、ＵＥに割り当てられたＩＰアドレスである。ＩＰアドレスは、ＩＰｖ４アドレスであってもよいし、ＩＰｖ６アドレスであってもよいし、ＩＰｖ６プレフィックスであってよい。なお、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）がｎｏｎ−ＩＰを示す場合、ＩＰ  Ａｄｄｒｅｓｓの要素を含まなくてもよい。
【０２０１】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０２０２】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０２０３】
Ｄｅｆａｕｌｔ  Ｂｅａｒｅｒは、ＰＤＵセッション確立時にコアネットワーク＿Ａ９０から取得する情報であり、ＰＤＵセッションに対応づけられたデフォルトベアラを識別するＥＰＳベアラ識別情報である。
【０２０４】
Ｍｏｂｉｌｉｔｙ  Ｔｙｐｅは、モビリティの粒度を示す情報である。さらに、Ｍｏｂｉｌｉｔｙ  Ｔｙｐｅはサービス継続の種類を示す情報であってもよい。
【０２０５】
更に、ＳＧＷのＥＰＳベアラコンテキストには、ベアラごとのＥＰＳベアラコンテキストが含まれる。図１５（ｄ）は、ベアラごとのＥＰＳベアラコンテキストを示す。図に示すように、ベアラごとのＥＰＳベアラコンテキストはＥＰＳ  Ｂｅａｒｅｒ  ＩＤ、ＴＦＴ、ＰＧＷ  Ｆ−ＴＥＩＤ、ＳＧＷ  Ｆ−ＴＥＩＤ、ＭＭＥ／ｅＮＢ／５ＧＢＳ／ＷＡＧ
Ａｄｄｒｅｓ、ＭＭＥ／ｅＮＢ／５ＧＢＳ／ＷＡＧ  ＩＤを含む。
【０２０６】
ＥＰＳ  Ｂｅａｒｅｒ  ＩＤは、Ｅ−ＵＴＲＡＮを介したＵＥ接続に対して、ＥＰＳベアラを識別する識別情報である。
【０２０７】
なお、ＥＰＳ  Ｂｅａｒｅｒ  ＩＤは、デディケイテッドベアラを識別するＥＰＳベアラ識別情報であってよい。したがって、デフォルトベアラとは異なるＥＰＳベアラを識別する識別情報であってよい。
【０２０８】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２０９】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０２１０】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０２１１】
ＭＭＥ／ｅＮＢ／５ＧＢＳ／ＷＡＧ  Ａｄｄｒｅｓｓは、ＭＭＥ＿Ａ４０、及び／又はｅＮＢ＿Ａ４５、及び／又は５ＧＢＳ＿Ａ１２２、及び／又はＷＡＧ＿Ａ１２６のＩＰアドレスである。
【０２１２】
ＭＭＥ／ｅＮＢ／５ＧＢＳ／ＷＡＧ  ＩＤは、ＭＭＥ＿Ａ４０、及び／又はｅＮＢ＿Ａ４５、及び／又は５ＧＢＳ＿Ａ１２２、及び／又はＷＡＧ＿Ａ１２６内でのＵＥを識別する情報である。
【０２１３】
［１．２．８．ＰＧＷの構成］
図１６にＰＧＷ＿Ａ３０の装置構成を示す。図に示すように、ＰＧＷ＿Ａ３０はネットワーク接続部＿Ｈ１６２０と、制御部＿Ｈ１６００と記憶部＿Ｈ１６４０で構成されている。ネットワーク接続部＿Ｈ１６２０と記憶部＿Ｈ１６４０は制御部＿Ｈ１６００と、バスを介して接続されている。
【０２１４】
制御部＿Ｈ１６００はＰＧＷ＿Ａ３０を制御するための機能部である。制御部＿Ｈ１６００は、記憶部＿Ｈ１６４０に記憶されている各種プログラムを読みだして実行することにより各種処理を実現する。
【０２１５】
ネットワーク接続部＿Ｈ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５と接続するための機能部である。また、ネットワーク接続部＿Ｈ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５からユーザデータ及び又は制御データを送受信する送受信部である。
【０２１６】
記憶部＿Ｈ１６４０は、ＰＧＷ＿Ａ３０の各動作に必要なプログラムや、データなどを記憶する機能部である。記憶部＿Ｈ１６４０は、例えば、半導体メモリや、ＨＤＤ（Ｈａｒｄ  Ｄｉｓｋ  Ｄｒｉｖｅ）等により構成されている。
【０２１７】
記憶部＿Ｈ１６４０は、少なくとも、後述する通信手続き内で送受信する制御メッセージに含まれる識別情報及びまたは制御情報及び又はフラグ及び又はパラメータを記憶してもよい。
【０２１８】
記憶部＿Ｈ１６４０は、図に示すように、ＥＰＳベアラコンテキスト１６４２を記憶する。なお、ＥＰＳベアラコンテキストの中には、ＵＥごとに記憶されるものと、ＡＰＮごとに記憶されるものと、ＰＤＵセッションごとに記憶されるものと、ベアラごとに記憶されるものとが分かれて記憶されてもよい。
【０２１９】
図１７（ｂ）は、ＵＥごとに記憶されるＥＰＳベアラコンテキストに含まれる情報要素を示す。図に示すように、ＵＥごとに記憶されるＥＰＳベアラコンテキストは、ＩＭＳＩ、ＩＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、ＲＡＴ  ｔｙｐｅ、Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙを含む。
【０２２０】
また、ＵＥごとのＥＰＳベアラコンテキストは、エフィシェントパスとなる通信路を識別する情報を含んでもよい。
【０２２１】
ＩＭＳＩは、ＵＥを使用するユーザに割り当てられる、識別情報である。
【０２２２】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２２３】
ＭＥ  ＩｄｅｎｔｉｔｙはＵＥのＩＤであり、例えば、ＩＭＥＩ／ＩＭＩＳＶであってもよい。
【０２２４】
ＭＳＩＳＤＮは、ＵＥの基本的な電話番号を表す。ＭＳＩＳＤＮはＨＳＳ＿Ａ５０の記憶部により示される。
【０２２５】
ＲＡＴ  ｔｙｐｅは、ＵＥの最近のＲＡＴ（Ｒａｄｉｏ  Ａｃｃｅｓｓ  Ｔｅｃｈｎｏｌｏｇｙ）を示す。ＲＡＴ  ｔｙｐｅは例えば、Ｅ−ＵＴＲＡ（ＬＴＥ）や、ＵＴＲＡなどであってよく、５Ｇ  ＲＡＴやＷＬＡＮであってもよい。
【０２２６】
Ｎｅｔｗｏｒｋ−ｉｎｉｔｉａｔｅｄ  Ｓｅｓｓｉｏｎ  Ｅｓｔａｂｌｉｓｈｍｅｎｔ
Ｃａｐａｂｉｌｉｔｙは、ネットワーク主導のセッション確立手続きができるかを示す情報である。Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙは、さらに、ＵＥ＿Ａ１０がネットワーク主導のセッション確立手続きを許すことを示すＵＥ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙと、コアネットワーク＿Ａ９０がネットワーク主導のセッション確立手続きを許すことを示すＮＷ  Ｎｅｔｗｏｒｋ−ｉｎｉｔｉａｔｅｄ  Ｓｅｓｓｉｏｎ  Ｅｓｔａｂｌｉｓｈｍｅｎｔ  Ｃａｐａｂｉｌｉｔｙに分類されてもよい。
【０２２７】
次に、図１７（ｃ）にＡＰＮごとに記憶されるＥＰＳベアラコンテキストを示す。図に示すように、ＰＧＷ記憶部のＡＰＮごとに記憶されるＥＰＳベアラコンテキストは、ＡＰＮ  ｉｎ  ｕｓｅを含む。なお、ＡＰＮごとに記憶されるＥＰＳベアラコンテキストは、
Ｄａｔａ  Ｎｅｔｗｏｒｋ  Ｉｄｅｎｔｉｆｉｅｒごとに記憶されてもよい。
【０２２８】
ＡＰＮ  ｉｎ  Ｕｓｅ（Ｄａｔａ  Ｎｅｔｗｏｒｋ  Ｉｄｅｎｔｉｆｉｅｒ）は、最近使用されたＡＰＮである。このＡＰＮは、ネットワークの識別情報と、デフォルトのオペレータの識別情報とで構成されてよい。さらに、ＡＰＮ  ｉｎ  Ｕｓｅ（Ｄａｔａ  Ｎｅｔｗｏｒｋ  Ｉｄｅｎｔｉｆｉｅｒ）は、ＰＤＵセッションの確立先のデータネットワークを識別する情報であってもよい。
【０２２９】
また、図１７（ｄ）にＰＤＵセッションごとに記憶されるＰＤＵセッションごとのＥＰＳベアラコンテキストを示す。図に示すように、ＰＤＵセッションごとのＥＰＳベアラコンテキストは、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）、ＩＰ  Ａｄｄｒｅｓｓ、ＳＧＷ  Ｆ−ＴＥＩＤ、ＰＧＷ  Ｆ−ＴＥＩＤ、Ｄｅｆａｕｌｔ  Ｂｅａｒｅｒ、Ｍｏｂｉｌｉｔｙ  Ｔｙｐｅを含む。
【０２３０】
Ａｓｓｉｇｎｅｄ  Ｓｅｓｓｉｏｎ  Ｔｙｐｅ（Ａｓｓｉｇｎｅｄ  ＰＤＮ  Ｔｙｐｅ）は、ＰＤＵセッションのタイプを示す情報である。ＰＤＵセッションのタイプは、ＩＰであってもよいし、ｎｏｎ−ＩＰであってもよい。さらに、ＰＤＵセッションのタイプがＩＰである場合、ネットワークから割り当てられたＰＤＮのタイプを示す情報をさらに含んでもよい。なお、ＰＤＮのタイプは、ＩＰｖ４や、ＩＰｖ６や、ＩＰｖ４ｖ６であってよい。
【０２３１】
ＩＰ  Ａｄｄｒｅｓｓは、ＵＥに割り当てられたＩＰアドレスである。ＩＰアドレスは、ＩＰｖ４アドレスであってもよいし、ＩＰｖ６アドレスであってもよいし、ＩＰｖ６プレフィックスであってよい。なお、Ａｓｓｉｇｎｅｄ  Ｓｅｓｓｉｏｎ  Ｔｙｐｅ（Ａｓｓｉｇｎｅｄ  ＰＤＮ  Ｔｙｐｅ）がｎｏｎ−ＩＰを示す場合、ＩＰ  Ａｄｄｒｅｓｓの要素を含まなくてもよい。
【０２３２】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０２３３】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０２３４】
Ｄｅｆａｕｌｔ  Ｂｅａｒｅｒは、ＰＤＵセッション確立時にコアネットワーク＿Ａ９０から取得する情報であり、ＰＤＵセッションに対応づけられたデフォルトベアラを識別するＥＰＳベアラ識別情報である。
【０２３５】
Ｍｏｂｉｌｉｔｙ  Ｔｙｐｅは、モビリティの粒度を示す情報である。さらに、Ｍｏｂｉｌｉｔｙ  Ｔｙｐｅはサービス継続の種類を示す情報であってもよい。
【０２３６】
更に、図１８（ｅ）に、ＥＰＳベアラごとに記憶されるＥＰＳベアラコンテキストを示す。図に示すように、ＥＰＳベアラコンテキストは、ＥＰＳ  Ｂｅａｒｅｒ  ＩＤ、ＴＦＴ、ＰＧＷ  Ｆ−ＴＥＩＤ、ＳＧＷ  Ｆ−ＴＥＩＤを含む。
【０２３７】
ＥＰＳ  Ｂｅａｒｅｒ  ＩＤは、Ｅ−ＵＴＲＡＮを介したＵＥ接続に対して、ＥＰＳベアラを識別する識別情報である。
【０２３８】
なお、ＥＰＳ  Ｂｅａｒｅｒ  ＩＤは、デディケイテッドベアラを識別するＥＰＳベア
ラ識別情報であってよい。したがって、デフォルトベアラとは異なるＥＰＳベアラを識別する識別情報であってよい。
【０２３９】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２４０】
ＰＧＷ  Ｆ−ＴＥＩＤは、ＰＧＷ＿Ａ３０を識別する情報である。ＰＧＷ  Ｆ−ＴＥＩＤには、ＰＧＷ＿Ａ３０のＩＰアドレスが含まれていてもよいし、ＰＧＷ＿Ａ３０のＴＥＩＤが含まれてもよい。
【０２４１】
ＳＧＷ  Ｆ−ＴＥＩＤは、ＳＧＷ＿Ａ３５を識別する情報である。ＳＧＷ  Ｆ−ＴＥＩＤには、ＳＧＷ＿Ａ３５のＩＰアドレスが含まれていてもよいし、ＳＧＷ＿Ａ３５のＴＥＩＤが含まれてもよい。
【０２４２】
［１．３．通信手続きの説明］
次に、本実施形態における通信手続きを、図１８を用いて説明する。
【０２４３】
ここで、各手続きの詳細手順を説明する前に、重複説明を避けるために本実施形態特有の用語や、各手続きに用いる主要な識別情報を予め説明する。
【０２４４】
本実施形態におけるシングルタイプのＰＤＵセッションは、第１のサービス継続（Ｓｅｒｖｉｃｅ  ｃｏｎｔｉｎｕｉｔｙ）をサポートする一又は複数のＰＤＵセッションである。さらに、本実施形態におけるシングルタイプのＰＤＵセッションは、第１、第２及び第３のシングルタイプに分けてさらに詳細に管理してもよい。
【０２４５】
ここで、第１のサービス継続とは、第１のＰＤＵセッションを確立している状態において、第２のＰＤＵセッションを確立し、第１のＰＤＵセッションで送受信していた通信を第２のＰＤＵセッションに切り替えて通信を継続するサービス継続（Ｓｅｒｖｉｃｅ  ｃｏｎｔｉｎｕｉｔｙ）である。さらに、第１のサービス継続では、通信を切り替えた際、第１のセッションは削除されてもよい。さらに、第１のサービス継続では、セッション確立時の切り替えや、通信の切断はモビリティタイプに応じて実行されてもよい。
【０２４６】
ここで、第１のＰＤＵセッションは、シングルタイプのＰＤＵセッションを構成するＰＤＵセッションのうち、初めに確立する一つ目のＰＤＵセッションである。
【０２４７】
このように、シングルタイプのＰＤＵセッションは、こうした第１のセッションと第２のセッションを含むセッション群である。なお、第２のセッションが確立されて第１のセッションが削除される過渡的な状態では、シングルタイプのＰＤＵセッションが複数確立されている状態であったよい。
【０２４８】
本実施形態における第１のシングルタイプのＰＤＵセッションは、第１のサービス継続（Ｓｅｒｖｉｃｅ  ｃｏｎｔｉｎｕｉｔｙ）をサポートする１又は複数のＰＤＵセッションのことである。
【０２４９】
本実施形態における第２のシングルタイプのＰＤＵセッションは、第１のサービス継続（Ｓｅｒｖｉｃｅ  ｃｏｎｔｉｎｕｉｔｙ）をサポートする１又は複数のＰＤＵセッションのことである。さらに、第２のシングルタイプのＰＤＵセッションの各ＰＤＵセッションは、単一のＤＮ（Ｄａｔａ  Ｎｅｔｗｏｒｋ）に対して確立されてもよい。
【０２５０】
さらに、第２のシングルタイプのＰＤＵセッションの各ＰＤＵセッションは、単一のＡ
ＰＮ及び／又は単一のＴＦＴ及び／又は単一のアプリケーション（アプリケーション識別情報）及び／又は単一の  サービス（サービス識別情報）に対応づけられて確立されてもよい。
【０２５１】
さらに、第２のシングルタイプのＰＤＵセッションの各ＰＤＵセッションは、単一のネットワークスライスにおいて確立されてもよい。
【０２５２】
本実施形態における第３のシングルタイプのＰＤＵセッションは、第１のサービス継続（Ｓｅｒｖｉｃｅ  ｃｏｎｔｉｎｕｉｔｙ）をサポートする１又は複数のＰＤＵセッションのことである。
【０２５３】
さらに、第３のシングルタイプのＰＤＵセッションの各ＰＤＵセッションは、異なるＤＮに対して確立されてもよい。
【０２５４】
さらに、第３のシングルタイプのＰＤＵセッションの各ＰＤＵセッションは、異なるＡＰＮに対応づけられてもよい。
【０２５５】
さらに、第３のシングルタイプのＰＤＵセッションの各ＰＤＵセッションは、異なるネットワークスライスにおいて確立されてもよい。
【０２５６】
このように、本実施形態では、第１のセッション継続を実施可能なＰＤＵセッション群は、シングルタイプのＰＤＵセッションとして管理してもよい。さらに、シングルタイプのＰＤＵセッションは、上述した第１、第２、第３のタイプに応じて異なるシングルタイプのＰＤＵセッションとして管理してもよい。さらに、ＤＮが複数構成される場合には、ＤＮ毎に複数の第１のシングルタイプのＰＤＵセッションが管理されてもよい。また、ＡＰＮやＴＦＴやアプリケーション毎に複数の第２のシングルタイプのＰＤＵセッションが管理されてもよい。また、ネットワークスライス毎に複数の第３のシングルタイプのＰＤＮセッションが管理されてもよい。
【０２５７】
本実施形態におけるマルチタイプのＰＤＵセッションは、第２のサービス継続（Ｓｅｒｖｉｃｅ  ｃｏｎｔｉｎｕｉｔｙ）をサポートする一又は複数のＰＤＵセッションである。本実施形態におけるマルチタイプのＰＤＵセッションは、第１、第２及び第３のマルチタイプに分けてさらに詳細に管理してもよい。  ここで、第２のサービス継続とは、第１のＰＤＵセッションを確立している状態において、第２のＰＤＵセッションを確立し、第１のＰＤＵセッションで送受信していた通信を第２のＰＤＵセッションに切り替えて通信を継続するサービス継続（Ｓｅｒｖｉｃｅ  ｃｏｎｔｉｎｕｉｔｙ）である。さらに、第２のサービス継続では、通信を切り替えた際、第１のセッションは削除されてもよい。ＰＤＵセッションを複数確立している状態において、それらのセッション間で通信を切り替えて、通信を継続するサービス継続（Ｓｅｒｖｉｃｅ  ｃｏｎｔｉｎｕｉｔｙ）のことである。なお、第２のサービス継続では、通信を切り替えた際、切り替え元の第１のＰＤＵセッションは維持してもよい。
【０２５８】
言い換えると、第２のサービス継続は、複数のＰＤＵセッションを確立している状態において、あるＰＤＵセッションで行っていた通信を他のＰＤＵセッションに切り替えることができる。なお、第２のサービス継続では、セッション確立時の切り替えや、通信の切断はモビリティタイプに応じて実行されてもよい。
【０２５９】
ここで、第１のＰＤＵセッションは、シングルタイプのＰＤＵセッションを構成するＰＤＵセッションのうち、初めに確立する一つ目のＰＤＵセッションである。また、マルチタイプのＰＤＵセッションは、第１、第２のＰＤＵセッションに限らず、３つ以上のＰＤ
Ｕセッションを含んで構成されてもよい。
【０２６０】
なお、本実施形態では、各シングルタイプのＰＤＵセッションを識別する識別情報と、各シングルタイプのＰＤＵセッションを構成する各ＰＤＵセッションを識別する情報とがそれぞれ管理されてもよい。また、シングルタイプのＰＤＵセッションを識別する識別情報と、シングルタイプのＰＤＵセッションを構成する第１のＰＤＵセッションを識別する識別情報は、同一の識別情報で管理されてもよいし、第１のＰＤＵセッションの削除に応じて第２のＰＤＵセッションの識別情報をシングルタイプのＰＤＵセッションの識別情報として用いても良い。さらに、第１のＰＤＵセッションの削除に応じて第２のＰＤＵセッションの識別情報には、第１のＰＤＵセッションを識別していた識別情報を用いても良い。
【０２６１】
本実施形態における第１のマルチタイプのＰＤＵセッションは、第２のサービス継続（Ｓｅｒｖｉｃｅ  ｃｏｎｔｉｎｕｉｔｙ）をサポートする１又は複数のＰＤＵセッションのことである。
【０２６２】
本実施形態における第２のマルチタイプのＰＤＵセッションは、第２のサービス継続（Ｓｅｒｖｉｃｅ  ｃｏｎｔｉｎｕｉｔｙ）をサポートする１又は複数のＰＤＵセッションのことである。
【０２６３】
さらに、第２のマルチタイプのＰＤＵセッションの各ＰＤＵセッションは、単一のＤＮ（Ｄａｔａ  Ｎｅｔｗｏｒｋ）に対して確立されてもよい。
【０２６４】
さらに、第２のマルチタイプのＰＤＵセッションの各ＰＤＵセッションは、単一のＡＰＮ及び／又は単一のＴＦＴ及び／又は単一のアプリケーション（アプリケーション識別情報）及び／又は単一の  サービス（サービス識別情報）に対応づけられてもよい。
【０２６５】
さらに、第２のマルチタイプのＰＤＵセッションの各ＰＤＵセッションは、単一のネットワークスライスにおいて確立されてもよい。
【０２６６】
本実施形態における第３のマルチタイプのＰＤＵセッションは、第２のサービス継続（Ｓｅｒｖｉｃｅ  ｃｏｎｔｉｎｕｉｔｙ）をサポートする１又は複数のＰＤＵセッションのことである。
【０２６７】
さらに、第３のマルチタイプのＰＤＵセッションの各ＰＤＵセッションは、異なるＤＮに対して確立されてもよい。
【０２６８】
さらに、第３のマルチタイプのＰＤＵセッションの各ＰＤＵセッションは、異なるＡＰＮに対応づけられて確立されてもよい。
【０２６９】
さらに、第３のマルチタイプのＰＤＵセッションの各ＰＤＵセッションは、異なるネットワークスライスにおいて確立されてもよい。
【０２７０】
このように、本実施形態では、第２のセッション継続を実施可能なＰＤＵセッション群は、マルチタイプのＰＤＵセッションとして管理してもよい。さらに、マルチタイプのＰＤＵセッションは、上述した第１、第２、第３のタイプに応じて異なるマルチタイプのＰＤＵセッションとして管理してもよい。さらに、ＤＮが複数構成される場合には、ＤＮ毎に複数の第１のマルチタイプのＰＤＵセッションが管理されてもよい。また、ＡＰＮやＴＦＴやアプリケーション毎に複数の第２のマルチタイプのＰＤＵセッションが管理されてもよい。また、ネットワークスライス毎に複数の第３のマルチタイプのＰＤＮセッション
が管理されてもよい。
【０２７１】
なお、本実施形態では、各マルチタイプのＰＤＵセッションを識別する識別情報と、各シングルタイプのＰＤＵセッションを構成する各ＰＤＵセッションを識別する情報とがそれぞれ管理されてもよい。また、マルチタイプのＰＤＵセッションを識別する識別情報と、マルチタイプのＰＤＵセッションを構成する第１のＰＤＵセッションを識別する識別情報は、同一の識別情報で管理されてもよい。
【０２７２】
本実施形態における第１の状態、第２の状態、及び第３の状態を図４を用いて説明する。なお、図４の例では、第１のＰＤＵセッションは、ＵＥ＿Ａ１０とＰＧＷ＿Ａ３０との間で確立されるＰＤＵセッションである。より詳細には、第１のＰＤＵセッションは、アクセスネットワーク、及びＳＧＷ＿Ａ３５を介して、ＵＥ＿Ａ１０とＰＧＷ＿Ａ３０との間で確立されるＰＤＵセッションであってよい。また、第１のＰＤＵセッションは、アクセスネットワーク、及びＭＭＥ＿Ａ４０、及びＳＧＷ＿Ａ３５を介して、ＵＥ＿Ａ１０とＰＧＷ＿Ａ３０との間で確立するＰＤＵセッションであってよい。
【０２７３】
また、第２のＰＤＵセッションは、ＵＥ＿Ａ１０とＳＣＥＦ＿Ａ４６との間で確立されるＰＤＵセッションである。より詳細には、第２のＰＤＵセッションは、アクセスネットワーク、及びＭＭＥ＿Ａ４０を介して、ＵＥ＿Ａ１０とＳＣＥＦ＿Ａ４６との間で確立されるＰＤＵセッションであってよい。
【０２７４】
本実施形態における第１の状態は、ＵＥ＿Ａ１０がコアネットワーク＿Ａ９０に登録された状態である。第１の状態では、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、ＰＤＵセッションを確立していてもよいし、確立していなくてもよい。なお、第１の状態では、ＰＤＵセッションは確立していない状態であってよい。
【０２７５】
本実施形態における第２の状態は、ＵＥ＿Ａ１０、及びコアネットワーク＿Ａ９０が第１のＰＤＵセッションを確立した状態である。  ここで、第１のセッションはアタッチ手続き内で確立されてもよい。その場合には、アタッチ手続きを完了に遷移する状態は、第１の状態ではなく第２の状態であってよい。
【０２７６】
本実施形態における第３の状態は、ＵＥ＿Ａ１０、及びコアネットワーク＿Ａ９０が第２のＰＤＵセッションを確立した状態であり、且つ第１又は第２のサービス継続を完了した状態である。
【０２７７】
なお、第１又は第２のサービス継続は、第２のＰＤＵセッション確立に基づいて実行されてもよいし、第２のセッション確立後、任意のタイミングで実行されてもよい。
【０２７８】
さらに、第１のＰＤＵセッションの削除は、第１又は第２のサービス継続が実行されたことに基づいて実行されてもよいし、第１又は第２のサービス継続が実行されたあと、任意のタイミングで実行されてもよい。
【０２７９】
ここで、図４を用いた例では、第１のＰＤＵセッションはＵＥ＿Ａ１０とＰＧＷ＿Ａ３０との間で確立するＰＤＵセッションであり、第２のＰＤＵセッションはＵＥ＿Ａ１０とＳＣＥＦ＿Ａ４６との間で確立するＰＤＵセッションとして説明をした。
【０２８０】
しかしながらこれに限らず、第１のＰＤＵセッションはＵＥ＿Ａ１０とＳＣＥＦ＿Ａ４６との間で確立するＰＤＵセッションであり、第２のＰＤＵセッションはＵＥ＿Ａ１０とＰＧＷ＿Ａ３０との間で確立するＰＤＵセッションであってもよい。
【０２８１】
もしくは、第１のＰＤＵセッションはＵＥ＿Ａ１０とＳＣＥＦ＿Ａ４６との間で確立するＰＤＵセッションであり、第２のＰＤＵセッションはＳＣＥＦ＿Ａ４６とは異なるＳＣＥＦとの間でＵＥ＿Ａ１０が確立するＰＤＵセッションであってもよい。
【０２８２】
もしくは、第１のＰＤＵセッションはＵＥ＿Ａ１０とＰＧＷ＿Ａ３０との間で確立するＰＤＵセッションであり、第２のＰＤＵセッションはＰＧＷ＿Ａ３０とは異なるＰＧＷとの間でＵＥ＿Ａ１０が確立するＰＤＵセッションであってもよい。
【０２８３】
ことのように、ＵＥ＿Ａ１０はコアネットワーク＿Ａ９０とＤＮとの間を接続するＰＧＷ＿Ａ３０やＳＣＥＦ＿Ａ４６等、異なるゲートウェイとの間で確立するＰＤＵセッション間で通信を切り替えてサービスを継続することができる。
【０２８４】
これにより、例えばあるゲートウェイ装置との間でＰＤＵセッションを確立したＵＥ＿Ａ１０の移動に伴い、地理的に近い別のゲートウェイ装置との間で確立したＰＤＵセッションに通信を切り替えることができる。このように、本実施形態で説明するサービス継続は、配送するトラヒックを最適化や最適な通信路選択等を行うことができる。
【０２８５】
本実施形態における第１の識別情報は、ＵＥ＿Ａ１０の接続可能なアクセスネットワークを示す情報である。さらに、第１の識別情報は、ＵＥ＿Ａ１０の接続可能なアクセスネットワークの優先度を示す情報であってもよい。
【０２８６】
なお、本実施形態におけるアクセスネットワークとは、３ＧＰＰアクセスネットワークであってもよく、ｎｏｎ−３ＧＰＰアクセスネットワークであってもよい。さらに、３ＧＰＰアクセスネットワークは、Ｅ−ＵＴＲＡＮであってもよく、ＬＴＥのためのアクセスネットワークであってもよく、５Ｇのためのアクセスネットワークであってもよい。さらに、ｎｏｎ−３ＧＰＰアクセスネットワークは、ＷＬＡＮアクセスネットワークであってもよい。
【０２８７】
本実施形態における第２の識別情報は、ネットワークの接続可能なアクセスネットワークを示す情報である。さらに、第２の識別情報は、ネットワークの接続可能なアクセスネットワークの優先度を示す情報であってもよい。
【０２８８】
本実施形態における第３の識別情報は、ネットワーク主導のセッション確立手続きを許可することを示す情報である。
【０２８９】
本実施形態における第４の識別情報は、ネットワークがネットワーク主導のセッション確立手続きができることを示す情報（ＮＷ  ｃａｐａｂｉｌｉｔｙ）である。さらに、第４の識別情報は、ネットワーク主導のセッション確立が実行可能になることを示すコアネットワーク＿Ａ９０の能力情報であってもよい。さらに、第４の識別情報は、識別情報の受信以降に、ネットワーク主導のセッション確立手続きを実行することを許可することを示す情報であってもよい。
【０２９０】
本実施形態における第５の識別情報は、ＵＥ＿Ａ１０がネットワーク主導のセッション確立手続きができることを示す情報（ＵＥ  ｃａｐａｂｉｌｉｔｙ）である。さらに、第４の識別情報は、ネットワーク主導のセッション確立が実行可能になることを示すＵＥ＿Ａ１０の能力情報であってもよい。さらに、第５の識別情報は、識別情報の受信以降に、ネットワーク主導のセッション確立手続きを実行することを許可することを示す情報であってもよい。
【０２９１】
本実施形態における第６の識別情報は、要求するセッションタイプを示す情報である。なお、第６の識別情報は、ＩＰを示してもよいし、ｎｏｎ−ＩＰを示してもよい。
【０２９２】
本実施形態における第７の識別情報は、ＵＥ＿Ａ１０のＩＰアドレスを示す情報である。なお、ＩＰアドレスは、ＩＰｖ４アドレスであってもよいし、ＩＰｖ６アドレスであってもよいし、ＩＰｖ６プレフィックスであってもよい。さらに、第７の識別情報は、要求するＵＥ＿Ａ１０のＩＰアドレスの種類を示す情報であってよい。なお、ＵＥ＿Ａ１０のＩＰアドレスの割り当ては、ＰＧＷ＿Ａ３０が実施してもよいし、ＭＭＥ＿Ａ４０が実施してもよい。
【０２９３】
本実施形態における第８の識別情報は、ユーザデータを送受信するための無線ベアラであるＤＲＢ（Ｄａｔａ  Ｒａｄｉｏ  Ｂｅａｒｅｒ）を確立するか否かを示す情報である。さらに、第８の識別情報は、要求するユーザデータの送受信に用いる無線ベアラの種類を示す情報であってもよい。なお、ユーザデータの送受信に用いる無線ベアラの種類とは、ＤＲＢ（Ｄａｔａ  Ｒａｄｉｏ  Ｂｅａｒｅｒ）であってもよく、ＳＲＢ（Ｓｉｇｎａｌｌｉｎｇ  Ｒａｄｉｏ  Ｂｅａｒｅｒ）であってもよい。さらに、第８の識別情報は、要求するユーザデータの送受信に関する情報が含まれていてもよい。例えば、第８の識別情報には、要求するＴＦＴが含まれていてもよい。
【０２９４】
本実施形態における第９の識別情報は、要求するＰＤＵセッションの確立先のデータネットワークを識別する情報である。なお、データネットワークを識別する情報は、ＡＰＮ（Ａｃｃｅｓｓ  Ｐｏｉｎｔ  Ｎａｍｅ）であってもよい。また、第９の識別情報は、確立を要求するＰＤＵセッションに対応づけられる、アプリケーションを識別するアプリケーション識別情報であってもよいし、サービスを識別するサービス識別情報であってもよい。
【０２９５】
本実施形態における第１０の識別情報は、要求するモビリティタイプを示す情報である。
【０２９６】
本実施形態における第１１の識別情報は、許可されたセッションタイプを示す情報である。なお、第１１の識別情報は、ＩＰを示してもよいし、ｎｏｎ−ＩＰを示してもよい。
【０２９７】
本実施形態における第１２の識別情報は、ＵＥ＿Ａ１０のＩＰアドレスを示す情報である。なお、ＩＰアドレスは、ＩＰｖ４アドレスであってもよいし、ＩＰｖ６アドレスであってもよいし、ＩＰｖ６プレフィックスであってもよい。さらに、第１２の識別情報は、許可されたＵＥ＿Ａ１０のＩＰアドレスの種類を示す情報であってよい。なお、ＵＥ＿Ａ１０のＩＰアドレスの割り当ては、ＰＧＷ＿Ａ３０が実施してもよいし、ＭＭＥ＿Ａ４０が実施してもよい。
【０２９８】
本実施形態における第１３の識別情報は、ユーザデータを送受信するための無線ベアラであるＤＲＢ（Ｄａｔａ  Ｒａｄｉｏ  Ｂｅａｒｅｒ）を確立されるか否かを示す情報である。さらに、第１３の識別情報は、許可されたユーザデータの送受信に用いる無線ベアラの種類を示す情報であってもよい。なお、ユーザデータの送受信に用いる無線ベアラの種類とは、ＤＲＢ（Ｄａｔａ  Ｒａｄｉｏ  Ｂｅａｒｅｒ）であってもよく、ＳＲＢ（Ｓｉｇｎａｌｌｉｎｇ  Ｒａｄｉｏ  Ｂｅａｒｅｒ）であってもよい。さらに、第１３の識別情報は、許可されたユーザデータの送受信に関する情報が含まれていてもよい。例えば、第１３の識別情報には、許可されたＴＦＴが含まれていてもよい。
【０２９９】
本実施形態における第１４の識別情報は、許可されたＰＤＵセッションの確立先のデータネットワークを識別する情報である。なお、データネットワークを識別する情報は、Ａ
ＰＮ（Ａｃｃｅｓｓ  Ｐｏｉｎｔ  Ｎａｍｅ）であってもよい。また、第１４の識別情報は、確立を許可されたＰＤＵセッションに対応づけられる、アプリケーションを識別するアプリケーション識別情報であってもよいし、サービスを識別するサービス識別情報であってもよい。
【０３００】
本実施形態における第１５の識別情報は、許可されたモビリティタイプを示す情報である。
【０３０１】
本実施形態における第１６の識別情報は、サービス継続（Ｓｅｒｖｉｃｅ  Ｃｏｎｔｉｎｕｉｔｙ）をサポートするセッションを確立できることを示すＵＥの能力情報（ＵＥ  ｃａｐａｂｉｌｉｔｙ）である。さらに、第１６の識別情報は、異なるセッションに通信を切り替えて通信を継続することができるセッションを確立できること示すＵＥの能力情報（ＵＥ  ｃａｐａｂｉｌｉｔｙ）であってもよい。さらに、第１６の識別情報は、識別情報の受信以降に、サービス継続が実行可能になることを許可する情報であってもよい。
【０３０２】
本実施形態における第１７の識別情報は、サービス継続（Ｓｅｒｖｉｃｅ  Ｃｏｎｔｉｎｕｉｔｙ）をサポートするセッションを確立できることを示すネットワークの能力情報（ＮＷ  ｃａｐａｂｉｌｉｔｙ）である。さらに、第１７の識別情報は、異なるセッションに通信を切り替えて通信を継続することができるセッションを確立できること示すネットワークの能力情報（ＮＷ  ｃａｐａｂｉｌｉｔｙ）であってもよい。さらに、第１７の識別情報は、識別情報の受信以降に、サービス継続が実行可能になることを許可する情報であってもよい。
【０３０３】
本実施形態における第１８の識別情報は、単一のＤＮ（Ｄａｔａ  Ｎｅｔｗｏｒｋ）に対して確立するセッション間でサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）である。さらに、第１８の識別情報は、単一のＤＮに対して確立する異なるセッションに通信を切り替えて通信を継続することができるセッションを確立できること示すＵＥの能力情報（ＵＥ
ｃａｐａｂｉｌｉｔｙ）であってもよい。
【０３０４】
さらに、第１８の識別情報は、単一のＡＰＮ、及び／又はＴＦＴ、及び／又はアプリケーション（アプリケーション識別情報）、及び／又はサービス（サービス識別情報）に対応づけられるセッション間でサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）であってもよい。さらに、第１８の識別情報は、単一のＡＰＮ、及び／又はＴＦＴ、及び／又はアプリケーション（アプリケーション識別情報）、及び／又はサービス（サービス識別情報）に対応づけられる異なるセッションに通信を切り替えて通信を継続することができるセッションを確立できること示すＵＥの能力情報（ＵＥ  ｃａｐａｂｉｌｉｔｙ）であってもよい。
【０３０５】
さらに、第１８の識別情報は、単一のネットワークスライスにおいて確立するセッション間でサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）であってもよい。さらに、第１８の識別情報は、同一のネットワークスライスにおいて確立する他のセッションに通信を切り替えて通信を継続することができるセッションを確立できること示すＵＥの能力情報（ＵＥ
ｃａｐａｂｉｌｉｔｙ）であってもよい。
【０３０６】
本実施形態における第１９の識別情報は、単一のＤＮに対して確立するセッション間でサービス継続（Ｓｅｒｖｉｃｅ  Ｃｏｎｔｉｎｕｉｔｙ）をサポートすることを示すネットワークの能力情報（ＮＷ  ｃａｐａｂｉｌｉｔｙ）である。さらに、第１９の識別情報
は、単一のＤＮに対して確立する異なるセッションに通信を切り替えて通信を継続することができるセッションを確立できること示すネットワークの能力情報（ＮＷ  ｃａｐａｂｉｌｉｔｙ）であってもよい。
【０３０７】
さらに、第１９の識別情報は、単一のＡＰＮ、及び／又はＴＦＴ、及び／又はアプリケーション（アプリケーション識別情報）、及び／又はサービス（サービス識別情報）に対応づけられるセッション間でサービス継続（Ｓｅｒｖｉｃｅ  Ｃｏｎｔｉｎｕｉｔｙ）をサポートすることを示すネットワークの能力情報（ＮＷ  ｃａｐａｂｉｌｉｔｙ）であってもよい。さらに、第１９の識別情報は、単一のＡＰＮ、及び／又はＴＦＴ、及び／又はアプリケーション（アプリケーション識別情報）、及び／又はサービス（サービス識別情報）に対応づけられる異なるセッションに通信を切り替えて通信を継続することができるセッションを確立できること示すネットワークの能力情報（ＮＷ  ｃａｐａｂｉｌｉｔｙ）であってもよい。
【０３０８】
さらに、第１９の識別情報は、単一のネットワークスライスにおいて確立するセッション間でサービス継続（Ｓｅｒｖｉｃｅ  Ｃｏｎｔｉｎｕｉｔｙ）をサポートすることを示すＵネットワークの能力情報（ＮＷ  ｃａｐａｂｉｌｉｔｙ）であってもよい。さらに、第１９の識別情報は、同一のネットワークスライスにおいて確立する他のセッションに通信を切り替えて通信を継続することができるセッションを確立できること示すネットワークの能力情報（ＮＷ  ｃａｐａｂｉｌｉｔｙ）であってもよい。
【０３０９】
本実施形態における第２０の識別情報は、異なるＤＮに対して確立するセッションとの間のサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）である。さらに、第２０の識別情報は、異なるＡＰＮに対応づけられるセッションとの間のサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）であってもよい。
【０３１０】
さらに、第２０の識別情報は、異なるＤＮと確立する異なるセッションに通信を切り替えて通信を継続することができるセッションを確立できること示すＵＥの能力情報（ＵＥ
ｃａｐａｂｉｌｉｔｙ）であってもよい。さらに、第２０の識別情報は、異なるＡＰＮに対応づけられる異なるセッションに通信を切り替えて通信を継続することができるセッションを確立できること示すＵＥの能力情報（ＵＥ  ｃａｐａｂｉｌｉｔｙ）であってもよい。
【０３１１】
さらに、第２０の識別情報は、異なるネットワークスライスにおいて確立するセッション間でサービス継続（Ｓｅｒｖｉｃｅ  Ｃｏｎｔｉｎｕｉｔｙ）をサポートすることを示すＵＥの能力情報（ＵＥ  ｃａｐａｂｉｌｉｔｙ）であってもよい。さらに、第２０の識別情報は、異なるネットワークスライスにおいて確立する他のセッションに通信を切り替えて通信を継続することができるセッションを確立できること示すＵＥの能力情報（ＵＥ
ｃａｐａｂｉｌｉｔｙ）であってもよい
本実施形態における第２１の識別情報は、異なるＤＮとの間に確立する異なるセッションとの間のサービス継続（Ｓｅｒｖｉｃｅ  Ｃｏｎｔｉｎｕｉｔｙ）をサポートすることを示すネットワークの能力情報（ＮＷ  ｃａｐａｂｉｌｉｔｙ）である。さらに、第２１の識別情報は、異なるＡＰＮに対応づけられるセッション間でサービス継続（Ｓｅｒｖｉｃｅ  Ｃｏｎｔｉｎｕｉｔｙ）をサポートすることを示すネットワークの能力情報（ＮＷ
ｃａｐａｂｉｌｉｔｙ）であってもよい。
【０３１２】
さらに、第２１の識別情報は、異なるＤＮとの間に確立する異なるセッションに通信を切り替えて通信を継続することができるセッションを確立できること示すネットワークの
能力情報（ＮＷ  ｃａｐａｂｉｌｉｔｙ）であってもよい。さらに、第２１の識別情報は、異なるＡＰＮに対応づけられる異なるセッションに通信を切り替えて通信を継続することができるセッションを確立できること示すネットワークの能力情報（ＮＷ  ｃａｐａｂｉｌｉｔｙ）であってもよい。
【０３１３】
さらに、第２１の識別情報は、異なるネットワークスライスにおいて確立するセッション間でサービス継続（Ｓｅｒｖｉｃｅ  Ｃｏｎｔｉｎｕｉｔｙ）をサポートすることを示すネットワークの能力情報（ＮＷ  ｃａｐａｂｉｌｉｔｙ）であってもよい。さらに、第２１の識別情報は、異なるネットワークスライスにおいて確立する他のセッションに通信を切り替えて通信を継続することができるセッションを確立できること示すネットワークの能力情報（ＮＷ  ｃａｐａｂｉｌｉｔｙ）であってもよい。
【０３１４】
本実施形態における第２２の識別情報は、サービス継続（Ｓｅｒｖｉｃｅ  Ｃｏｎｔｉｎｕｉｔｙ）をサポートする複数のセッションを確立できることを示すＵＥの能力情報（ＵＥ  ｃａｐａｂｉｌｉｔｙ）である。さらに、第２２の識別情報は、異なるセッションに通信を切り替えて通信を継続することができる複数のセッションを確立できること示すＵＥの能力情報（ＵＥ  ｃａｐａｂｉｌｉｔｙ）であってもよい。さらに、第２２の識別情報は、識別情報の受信以降に、サービス継続が実行可能になることを許可する情報であってもよい。
【０３１５】
本実施形態における第２３の識別情報は、サービス継続（Ｓｅｒｖｉｃｅ  Ｃｏｎｔｉｎｕｉｔｙ）をサポートする複数のセッションを確立できることを示すネットワークの能力情報（ＮＷ  ｃａｐａｂｉｌｉｔｙ）である。さらに、第２３の識別情報は、異なるセッションに通信を切り替えて通信を継続することができる複数のセッションを確立できること示すネットワークの能力情報（ＮＷ  ｃａｐａｂｉｌｉｔｙ）であってもよい。さらに、第２３の識別情報は、識別情報の受信以降に、サービス継続が実行可能になることを許可する情報であってもよい。
【０３１６】
本実施形態における第２４の識別情報は、単一のＤＮに対して確立するセッション間でサービス継続（Ｓｅｒｖｉｃｅ  Ｃｏｎｔｉｎｕｉｔｙ）をサポートする複数のセッションを確立できること示すＵＥの能力情報（ＵＥ  ｃａｐａｂｉｌｉｔｙ）である。さらに、第２４の識別情報は、単一のＤＮに対して確立するセッション間で通信を切り替えて通信を継続することができるセッションを、複数確立できること示すＵＥの能力情報（ＵＥ
ｃａｐａｂｉｌｉｔｙ）であってもよい。
【０３１７】
さらに、第２４の識別情報は、単一のＡＰＮ、及び／又はＴＦＴ、及び／又はアプリケーション（アプリケーション識別情報）、及び／又はサービス（サービス識別情報）に対応づけられる、通信を切り替え可能なセッションを、複数確立できること示すＵＥの能力情報（ＵＥ  ｃａｐａｂｉｌｉｔｙ）であってもよい。さらに、第２４の識別情報は、単一のＡＰＮ、及び／又はＴＦＴ、及び／又はアプリケーション（アプリケーション識別情報）、及び／又はサービス（サービス識別情報）に対応づけられる、通信を切り替え可能なセッションを、複数確立できること示すＵＥの能力情報（ＵＥ  ｃａｐａｂｉｌｉｔｙ）であってもよい。
【０３１８】
さらに、第２４の識別情報は、単一のネットワークスライスにおいて確立するセッション間でサービス継続（Ｓｅｒｖｉｃｅ  Ｃｏｎｔｉｎｕｉｔｙ）可能なセッションを、複数確立できること示すＵＥの能力情報（ＵＥ  ｃａｐａｂｉｌｉｔｙ）であってもよい。さらに、第２４の識別情報は、同一のネットワークスライスにおいて確立するセッション間で通信を切り替えて通信を継続することができるセッションを、複数確立できること示すＵＥの能力情報（ＵＥ  ｃａｐａｂｉｌｉｔｙ）であってもよい。
【０３１９】
本実施形態における第２５の識別情報は、単一のＤＮに対して確立するセッション間でサービス継続（Ｓｅｒｖｉｃｅ  Ｃｏｎｔｉｎｕｉｔｙ）をサポートする複数のセッションを確立できること示すネットワークの能力情報（ＮＷ  ｃａｐａｂｉｌｉｔｙ）である。さらに、第２５の識別情報は、単一のＤＮに対して確立するセッション間で通信を切り替えて通信を継続することができるセッションを、複数確立できること示すネットワークの能力情報（ＮＷ  ｃａｐａｂｉｌｉｔｙ）であってもよい。
【０３２０】
さらに、第２５の識別情報は、単一のＡＰＮ、及び／又はＴＦＴ、及び／又はアプリケーション（アプリケーション識別情報）、及び／又はサービス（サービス識別情報）に対応づけられる、通信を切り替え可能なセッションを、複数確立できること示すネットワークの能力情報（ＮＷ  ｃａｐａｂｉｌｉｔｙ）であってもよい。さらに、第２５の識別情報は、単一のＡＰＮ、及び／又はＴＦＴ、及び／又はアプリケーション（アプリケーション識別情報）、及び／又はサービス（サービス識別情報）に対応づけられる、通信を切り替え可能なセッションを、複数確立できること示すネットワークの能力情報（ＮＷ  ｃａｐａｂｉｌｉｔｙ）であってもよい。
【０３２１】
さらに、第２５の識別情報は、単一のネットワークスライスにおいて確立するセッション間でサービス継続（Ｓｅｒｖｉｃｅ  Ｃｏｎｔｉｎｕｉｔｙ）可能なセッションを、複数確立できること示すネットワークの能力情報（ＮＷ  ｃａｐａｂｉｌｉｔｙ）であってもよい。さらに、第２５の識別情報は、同一のネットワークスライスにおいて確立するセッション間で通信を切り替えて通信を継続することができるセッションを、複数確立できること示すネットワークの能力情報（ＮＷ  ｃａｐａｂｉｌｉｔｙ）であってもよい。
【０３２２】
本実施形態における第２６の識別情報は、異なるＤＮに対して確立するセッションとの間のサービス継続（Ｓｅｒｖｉｃｅ  Ｃｏｎｔｉｎｕｉｔｙ）をサポートするセッションを複数確立できることを示すＵＥの能力情報（ＵＥ  ｃａｐａｂｉｌｉｔｙ）である。さらに、第２６の識別情報は、異なるＡＰＮに対応づけられるセッションとの間のサービス継続（Ｓｅｒｖｉｃｅ  Ｃｏｎｔｉｎｕｉｔｙ）をサポートするセッションを複数確立できることを示すＵＥの能力情報（ＵＥ  ｃａｐａｂｉｌｉｔｙ）であってもよい。
【０３２３】
さらに、第２６の識別情報は、異なるＤＮと確立する異なるセッションに通信を切り替えて通信を継続することができるセッションを複数確立できること示すＵＥの能力情報（ＵＥ  ｃａｐａｂｉｌｉｔｙ）であってもよい。さらに、第２６の識別情報は、異なるＡＰＮに対応づけられる異なるセッションに通信を切り替えて通信を継続することができるセッションを複数確立できること示すＵＥの能力情報（ＵＥ  ｃａｐａｂｉｌｉｔｙ）であってもよい。
【０３２４】
さらに、第２６の識別情報は、異なるネットワークスライスにおいて確立するセッション間でサービス継続（Ｓｅｒｖｉｃｅ  Ｃｏｎｔｉｎｕｉｔｙ）をサポートするセッションを複数確立できることを示すＵＥの能力情報（ＵＥ  ｃａｐａｂｉｌｉｔｙ）であってもよい。さらに、第２６の識別情報は、異なるネットワークスライスにおいて確立する他のセッションに通信を切り替えて通信を継続することができるセッションを複数確立できること示すＵＥの能力情報（ＵＥ  ｃａｐａｂｉｌｉｔｙ）であってもよい。
【０３２５】
本実施形態における第２７の識別情報は、異なるＤＮに対して確立するセッションとの間のサービス継続（Ｓｅｒｖｉｃｅ  Ｃｏｎｔｉｎｕｉｔｙ）をサポートするセッションを複数確立できることを示すネットワークの能力情報（ＮＷ  ｃａｐａｂｉｌｉｔｙ）である。さらに、第２７の識別情報は、異なるＡＰＮに対応づけられるセッションとの間のサービス継続（Ｓｅｒｖｉｃｅ  Ｃｏｎｔｉｎｕｉｔｙ）をサポートするセッションを複
数確立できることを示すネットワークの能力情報（ＮＷ  ｃａｐａｂｉｌｉｔｙ）であってもよい。
【０３２６】
さらに、第２７の識別情報は、異なるＤＮと確立する異なるセッションに通信を切り替えて通信を継続することができるセッションを複数確立できること示すネットワークの能力情報（ＮＷ  ｃａｐａｂｉｌｉｔｙ）であってもよい。さらに、第２７の識別情報は、異なるＡＰＮに対応づけられる異なるセッションに通信を切り替えて通信を継続することができるセッションを複数確立できること示すＵＥの能力情報（ネットワークの能力情報（ＮＷ  ｃａｐａｂｉｌｉｔｙ）であってもよい。
【０３２７】
さらに、第２７の識別情報は、異なるネットワークスライスにおいて確立するセッション間でサービス継続（Ｓｅｒｖｉｃｅ  Ｃｏｎｔｉｎｕｉｔｙ）をサポートするセッションを複数確立できることを示すネットワークの能力情報（ＮＷ  ｃａｐａｂｉｌｉｔｙ）であってもよい。さらに、第２７の識別情報は、異なるネットワークスライスにおいて確立する他のセッションに通信を切り替えて通信を継続することができるセッションを複数確立できること示すネットワークの能力情報（ＮＷ  ｃａｐａｂｉｌｉｔｙ）であってもよい。
【０３２８】
本実施形態における第２８の識別情報は、第１及び／又は第２及び／又は第３のシングルタイプのＰＤＵセッションに対応する新規セッション（Ｉｎｉｔｉａｌ  Ｓｅｓｓｉｏｎ）の確立を要求することを示す情報である。さらに、第２８の識別情報は、第１及び／又は第２及び／又は第３のシングルタイプのＰＤＵセッションを示す情報であってもよい。
【０３２９】
本実施形態における第２９の識別情報は、第１及び／又は第２及び／又は第３のシングルタイプのＰＤＵセッションに対応する新規セッション（Ｉｎｉｔｉａｌ  Ｓｅｓｓｉｏｎ）の確立を許可することを示す情報であってもよい。さらに、第２９の識別情報は、確立を許可する第１及び／又は第２及び／又は第３のシングルタイプのＰＤＵセッションを識別する情報であってもよい。
【０３３０】
さらに、第２９の識別情報は、確立するセッションが、第１及び／又は第２及び／又は第３のシングルタイプのＰＤＵセッションであることを示す情報であってもよい。さらに、第２９の識別情報は、確立するセッションが、第１及び／又は第２及び／又は第３のシングルタイプのＰＤＵセッションに対応する新規セッション（Ｉｎｉｔｉａｌ  Ｓｅｓｓｉｏｎ）であることを示す情報であってもよい。さらに、第２９の識別情報は、確立を許可するセッションを識別する情報であってもよい。さらに、確立するＰＤＵセッションを含むシングルタイプのＰＤＵセッションを識別する情報を含んでも良い。
【０３３１】
本実施形態における第３０の識別情報は、第１及び／又は第２及び／又は第３のシングルタイプのＰＤＵセッションに対応する追加セッション（Ａｄｄｉｔｉｏｎａｌ  Ｓｅｓｓｉｏｎ）の確立を要求することを示す情報である。さらに、第３０の識別情報は、第１及び／又は第２及び／又は第３のシングルタイプのＰＤＵセッションを示す情報であってもよい。また第３０の識別情報は、シングルタイプのセッションに含まれる他のセッションを識別する情報であってもよい。言い換えると、第３０の識別情報は、第１のＰＤＵセッション確立手続きで確立したＰＤＵセッション、及び／又は現在の通信に用いているＰＤＵセッションを識別する情報であってもよい。さらに、第３０の識別情報は、第１のＰＤＵセッション確立手続きで確立したＰＤＵセッション、及び／又は現在の通信に用いているＰＤＵセッションを切断することを示す情報であってもよい。さらに、確立又は削除するＰＤＵセッションを含むシングルタイプのＰＤＵセッションを識別する情報を含んでも良い。
【０３３２】
本実施形態における第３１の識別情報は、第１及び／又は第２及び／又は第３のシングルタイプのＰＤＵセッションに対応する追加セッション（Ａｄｄｉｔｉｏｎａｌ  Ｓｅｓｓｉｏｎ）の確立を許可することを示す情報であってもよい。さらに、第３１の識別情報は、確立を許可する第１及び／又は第２及び／又は第３のシングルタイプのＰＤＵセッションを識別する情報であってもよい。
【０３３３】
さらに、第３１の識別情報は、確立するセッションが、第１及び／又は第２及び／又は第３のシングルタイプのＰＤＵセッションであることを示す情報であってもよい。さらに、第３１の識別情報は、確立するセッションが、第１及び／又は第２及び／又は第３のシングルタイプのＰＤＵセッションに対応する追加セッション（Ａｄｄｉｔｉｏｎａｌ  Ｓｅｓｓｉｏｎ）であることを示す情報であってもよい。
【０３３４】
さらに、第３１の識別情報は、確立を許可するセッションを識別する情報であってもよい。さらに、第３１の識別情報は、シングルタイプのセッションに含まれる他のセッションを識別する情報であってもよい。言い換えると、第３１の識別情報は、第１のＰＤＵセッション確立手続きで確立したＰＤＵセッション、及び／又は現在の通信に用いているＰＤＵセッションを識別する情報であってもよい。さらに、確立するＰＤＵセッションを含むシングルタイプのＰＤＵセッションを識別する情報を含んでも良い。
【０３３５】
さらに、第３１の識別情報は、セッションを切り替えたこと、及び／又はシングルタイプのＰＤＵセッションにおけるサービス継続を実行したことを示す情報であってもよい。さらに、第３１の識別情報は、シングルタイプのセッションに含まれる他のセッションを識別する情報（Ｉｎｉｔｉａｌ  Ｓｅｓｓｉｏｎまたは現在通信に用いているセッションなど）であってもよい。さらに、第３１の識別情報は、シングルタイプのセッションに含まれる他のセッションの切断を指示する情報であってもよい。言い換えると、第３１の識別情報は、第１のＰＤＵセッション確立手続きで確立したＰＤＵセッション、及び／又は現在の通信に用いているＰＤＵセッションを切断することを示す情報であってもよい。さらに、確立又は削除するＰＤＵセッションを含むシングルタイプのＰＤＵセッションを識別する情報を含んでも良い。
【０３３６】
本実施形態における第３２の識別情報は、第１及び／又は第２及び／又は第３のシングルタイプのＰＤＵセッションに対応する新規セッション（Ｉｎｉｔｉａｌ  Ｓｅｓｓｉｏｎ）の確立を要求することを示す情報である。さらに、第３２の識別情報は、第１及び／又は第２及び／又は第３のシングルタイプのＰＤＵセッションを示す情報であってもよい。
【０３３７】
本実施形態における第３３の識別情報は、第１及び／又は第２及び／又は第３のシングルタイプのＰＤＵセッションに対応する新規セッション（Ｉｎｉｔｉａｌ  Ｓｅｓｓｉｏｎ）の確立を許可することを示す情報である。さらに、第３３の識別情報は、確立を許可する第１及び／又は第２及び／又は第３のシングルタイプのＰＤＵセッションを識別する情報であってもよい。
【０３３８】
さらに、第３３の識別情報は、確立するセッションが、第１及び／又は第２及び／又は第３のシングルタイプのＰＤＵセッションであることを示す情報であってもよい。さらに、第３３の識別情報は、確立するセッションが、第１及び／又は第２及び／又は第３のシングルタイプのＰＤＵセッションに対応する新規セッション（Ｉｎｉｔｉａｌ  Ｓｅｓｓｉｏｎ）であることを示す情報であってもよい。さらに、第３３の識別情報は、確立を許可するセッションを識別する情報であってもよい。さらに、確立するＰＤＵセッションを含むシングルタイプのＰＤＵセッションを識別する情報を含んでも良い。
【０３３９】
本実施形態における第３４の識別情報は、第１及び／又は第２及び／又は第３のシングルタイプのＰＤＵセッションに対応する追加セッション（Ａｄｄｉｔｉｏｎａｌ  Ｓｅｓｓｉｏｎ）の確立を要求することを示す情報である。さらに、第３４の識別情報は、第１及び／又は第２及び／又は第３のシングルタイプのＰＤＵセッションを示す情報であってもよい。さらに、第３４の識別情報は、シングルタイプのセッションに含まれる他のセッションを識別する情報であってもよい。言い換えると、第３４の識別情報は、第１のＰＤＵセッション確立手続きで確立したＰＤＵセッション、及び／又は現在の通信に用いているＰＤＵセッションを識別する情報であってもよい。さらに、第３４の識別情報は、第１のＰＤＵセッション確立手続きで確立したＰＤＵセッション、及び／又は現在の通信に用いているＰＤＵセッションを切断することを示す情報であってもよい。さらに、確立又は削除するＰＤＵセッションを含むシングルタイプのＰＤＵセッションを識別する情報を含んでも良い。
【０３４０】
本実施形態における第３５の識別情報は、第１及び／又は第２及び／又は第３のシングルタイプのＰＤＵセッションに対応する追加セッション（Ａｄｄｉｔｉｏｎａｌ  Ｓｅｓｓｉｏｎ）の確立を許可することを示す情報である。さらに、第３５の識別情報は、確立を許可する第１及び／又は第２及び／又は第３のシングルタイプのＰＤＵセッションを識別する情報であってもよい。
【０３４１】
さらに、第３５の識別情報は、確立するセッションが、第１及び／又は第２及び／又は第３のシングルタイプのＰＤＵセッションであることを示す情報であってもよい。さらに、第３５の識別情報は、確立するセッションが、第１及び／又は第２及び／又は第３のシングルタイプのＰＤＵセッションに対応する追加セッション（Ａｄｄｉｔｉｏｎａｌ  Ｓｅｓｓｉｏｎ）であることを示す情報であってもよい。
【０３４２】
さらに、第３５の識別情報は、確立を許可するセッションを識別する情報であってもよい。さらに、第３５の識別情報は、シングルタイプのセッションに含まれる他のセッションを識別する情報（Ｉｎｉｔｉａｌ  Ｓｅｓｓｉｏｎや現在通信に用いているセッションなど）であってもよい。
【０３４３】
さらに、第３５の識別情報は、セッションを切り替えたこと、及び／又はシングルタイプのＰＤＵセッションにおけるサービス継続を実行したことを示す情報であってもよい。
【０３４４】
さらに、第３５の識別情報は、シングルタイプのセッションに含まれる他のセッションを識別する情報であってもよい。言い換えると、第３５の識別情報は、第１のＰＤＵセッション確立手続きで確立したＰＤＵセッション、及び／又は現在の通信に用いているＰＤＵセッションを識別する情報であってもよい。
【０３４５】
さらに、第３５の識別情報は、シングルタイプのセッションに含まれる他のセッションの切断を指示する情報であってもよい。言い換えると、第３５の識別情報は、第１のＰＤＵセッション確立手続きで確立したＰＤＵセッション、及び／又は現在の通信に用いているＰＤＵセッションを切断することを示す情報であってもよい。さらに、確立又は削除するＰＤＵセッションを含むシングルタイプのＰＤＵセッションを識別する情報を含んでも良い。
【０３４６】
本実施形態における第３６の識別情報は、第１及び／又は第２及び／又は第３のマルチタイプのＰＤＵセッションに対応する新規セッション（Ｉｎｉｔｉａｌ  Ｓｅｓｓｉｏｎ）の確立を要求することを示す情報である。さらに、第３６の識別情報は、第１及び／又は第２及び／又は第３のマルチタイプのＰＤＵセッションを示す情報であってもよい。
【０３４７】
本実施形態における第３７の識別情報は、第１及び／又は第２及び／又は第３のマルチタイプのＰＤＵセッションに対応する新規セッション（Ｉｎｉｔｉａｌ  Ｓｅｓｓｉｏｎ）の確立を許可することを示す情報である。さらに、第３７の識別情報は、確立を許可する第１及び／又は第２及び／又は第３のマルチタイプのＰＤＵセッションを識別する情報であってもよい。
【０３４８】
さらに、第３７の識別情報は、確立するセッションが、第１及び／又は第２及び／又は第３のマルチタイプのＰＤＵセッションであることを示す情報であってもよい。さらに、第３７の識別情報は、確立するセッションが、第１及び／又は第２及び／又は第３のマルチタイプのＰＤＵセッションに対応する新規セッション（Ｉｎｉｔｉａｌ  Ｓｅｓｓｉｏｎ）であることを示す情報であってもよい。さらに、第３７の識別情報は、確立を許可するセッションを識別する情報であってもよい。さらに、確立するＰＤＵセッションを含むマルチタイプのＰＤＵセッションを識別する情報を含んでも良い。
【０３４９】
本実施形態における第３８の識別情報は、第１及び／又は第２及び／又は第３のマルチタイプのＰＤＵセッションに対応する追加セッション（Ａｄｄｉｔｉｏｎａｌ  Ｓｅｓｓｉｏｎ）の確立を要求することを示す情報である。さらに、第３８の識別情報は、第１及び／又は第２及び／又は第３のマルチタイプのＰＤＵセッションを示す情報であってもよい。さらに、第３８の識別情報は、マルチタイプのセッションに含まれる他のセッションを識別する情報であってもよい。言い換えると、第３８の識別情報は、第１のＰＤＵセッション確立手続きで確立したＰＤＵセッション、及び／又は現在の通信に用いているＰＤＵセッションを識別する情報であってもよい。さらに、第３８の識別情報は、第１のＰＤＵセッション確立手続きで確立したＰＤＵセッション、及び／又は現在の通信に用いているＰＤＵセッションを切断せず、維持することを示す情報であってもよい。
【０３５０】
本実施形態における第３９の識別情報は、第１及び／又は第２及び／又は第３のマルチタイプのＰＤＵセッションに対応する追加セッション（Ａｄｄｉｔｉｏｎａｌ  Ｓｅｓｓｉｏｎ）の確立を許可することを示す情報である。さらに、第３９の識別情報は、確立を許可する第１及び／又は第２及び／又は第３のマルチタイプのＰＤＵセッションを識別する情報であってもよい。
【０３５１】
さらに、第３９の識別情報は、確立するセッションが、第１及び／又は第２及び／又は第３のマルチタイプのＰＤＵセッションであることを示す情報であってもよい。さらに、第３９の識別情報は、確立するセッションが、第１及び／又は第２及び／又は第３のマルチタイプのＰＤＵセッションに対応する追加セッション（Ａｄｄｉｔｉｏｎａｌ  Ｓｅｓｓｉｏｎ）であることを示す情報であってもよい。
【０３５２】
さらに、第３９の識別情報は、確立を許可するセッションを識別する情報であってもよい。さらに、第３９の識別情報は、マルチタイプのセッションに含まれる他のセッションを識別する情報であってもよい。言い換えると、第３９の識別情報は、第１のＰＤＵセッション確立手続きで確立したＰＤＵセッション、及び／又は現在の通信に用いているＰＤＵセッションを識別する情報であってもよい。
【０３５３】
さらに、第３９の識別情報は、セッションを切り替えたこと、及び／又はマルチタイプのＰＤＵセッションにおけるサービス継続を実行したことを示す情報であってもよい。さらに、第３９の識別情報は、第１のＰＤＵセッション確立手続きで確立したＰＤＵセッション、及び／又は現在の通信に用いているＰＤＵセッションを切断せず、維持することを示す情報であってもよい。
【０３５４】
本実施形態における第４０の識別情報は、第１及び／又は第２及び／又は第３のマルチタイプのＰＤＵセッションに対応する新規セッション（Ｉｎｉｔｉａｌ  Ｓｅｓｓｉｏｎ）の確立を要求することを示す情報である。さらに、第４１の識別情報は、第１及び／又は第２及び／又は第３のマルチタイプのＰＤＵセッションを示す情報であってもよい。
【０３５５】
本実施形態における第４１の識別情報は、第１及び／又は第２及び／又は第３のマルチタイプのＰＤＵセッションに対応する新規セッション（Ｉｎｉｔｉａｌ  Ｓｅｓｓｉｏｎ）の確立を許可することを示す情報である。さらに、第４１の識別情報は、確立を許可する第１及び／又は第２及び／又は第３のマルチタイプのＰＤＵセッションを識別する情報であってもよい。
【０３５６】
さらに、第４１の識別情報は、確立するセッションが、第１及び／又は第２及び／又は第３のマルチタイプのＰＤＵセッションであることを示す情報であってもよい。さらに、第４１の識別情報は、確立するセッションが、第１及び／又は第２及び／又は第３のマルチタイプのＰＤＵセッションに対応する新規セッション（Ｉｎｉｔｉａｌ  Ｓｅｓｓｉｏｎ）であることを示す情報であってもよい。さらに、第４１の識別情報は、確立を許可するセッションを識別する情報であってもよい。
【０３５７】
本実施形態における第４２の識別情報は、第１及び／又は第２及び／又は第３のマルチタイプのＰＤＵセッションに対応する追加セッション（Ａｄｄｉｔｉｏｎａｌ  Ｓｅｓｓｉｏｎ）の確立を要求することを示す情報である。さらに、第４２の識別情報は、第１及び／又は第２及び／又は第３のマルチタイプのＰＤＵセッションを示す情報であってもよい。さらに、第４２の識別情報は、マルチタイプのセッションに含まれる他のセッションを識別する情報であってもよい。言い換えると、第４２の識別情報は、第１のＰＤＵセッション確立手続きで確立したＰＤＵセッション、及び／又は現在の通信に用いているＰＤＵセッションを識別する情報であってもよい。さらに、第４２の識別情報は、第１のＰＤＵセッション確立手続きで確立したＰＤＵセッション、及び／又は現在の通信に用いているＰＤＵセッションを切断せず、維持することを示す情報であってもよい。
【０３５８】
本実施形態における第４３の識別情報は、第１及び／又は第２及び／又は第３のマルチタイプのＰＤＵセッションに対応する追加セッション（Ａｄｄｉｔｉｏｎａｌ  Ｓｅｓｓｉｏｎ）の確立を許可することを示す情報である。さらに、第４３の識別情報は、確立を許可する第１及び／又は第２及び／又は第３のマルチタイプのＰＤＵセッションを識別する情報であってもよい。
【０３５９】
さらに、第４３の識別情報は、確立するセッションが、第１及び／又は第２及び／又は第３のマルチタイプのＰＤＵセッションであることを示す情報であってもよい。さらに、第４３の識別情報は、
確立するセッションが、第１及び／又は第２及び／又は第３のマルチタイプのＰＤＵセッションに対応する追加セッション（Ａｄｄｉｔｉｏｎａｌ  Ｓｅｓｓｉｏｎ）であることを示す情報であってもよい。
【０３６０】
さらに、第４３の識別情報は、確立を許可するセッションを識別する情報であってもよい。さらに、第４３の識別情報は、マルチタイプのセッションに含まれる他のセッションを識別する情報であってもよい。言い換えると、第４３の識別情報は、第１のＰＤＵセッション確立手続きで確立したＰＤＵセッション、及び／又は現在の通信に用いているＰＤＵセッションを識別する情報であってもよい。
【０３６１】
さらに、第４３の識別情報は、セッションを切り替えたこと、及び／又はマルチタイプのＰＤＵセッションにおけるサービス継続を実行したことを示す情報であってもよい。さ
らに、第４３の識別情報は、第１のＰＤＵセッション確立手続きで確立したＰＤＵセッション、及び／又は現在の通信に用いているＰＤＵセッションを切断せず、維持することを示す情報であってもよい。
【０３６２】
本実施形態における第４４の識別情報は、セッションの切り替えを要求することを示す情報である。さらに、第４４の識別情報は、マルチタイプの現在通信に用いているセッションを識別する情報であってもよい。さらに、第４４の識別情報は、マルチタイプの切り替え先となるセッションを識別する情報であってもよい。
【０３６３】
さらに、第４４の識別情報は、切り替え元のＰＤＵセッションを切断せず、維持することを示す情報であってもよい。
【０３６４】
本実施形態における第４５の識別情報は、セッションの切り替えを許可することを示す情報である。さらに、第４５の識別情報は、切り替えを許可する第１及び／又は第２及び／又は第３のマルチタイプのＰＤＵセッションを識別する情報であってもよい。
【０３６５】
さらに、第４５の識別情報は、切り替えるセッションが、第１及び／又は第２及び／又は第３のマルチタイプのＰＤＵセッションであることを示す情報であってもよい。さらに、第４５の識別情報は、切り替えを許可するセッションを識別する情報であってもよい。
【０３６６】
さらに、第４５の識別情報は、切り替え先となるセッションを識別する情報であってもよい。さらに、第４５の識別情報は、切り替え元となるセッションを識別する情報であってもよい。さらに、第４５の識別情報は、セッションを切り替えたこと、及び／又はマルチタイプのＰＤＵセッションにおけるサービス継続を実行したことを示す情報であってもよい。
【０３６７】
さらに、第４５の識別情報は、切り替え元のＰＤＵセッションを切断せず、維持することを示す情報であってもよい。
【０３６８】
本実施形態における第４６の識別情報は、セッションの切り替えを要求することを示す情報である。さらに、第４６の識別情報は、マルチタイプの現在通信に用いているセッションを識別する情報であってもよい。さらに、第４６の識別情報は、マルチタイプの切り替え先となるセッションを識別する情報であってもよい。
【０３６９】
さらに、第４６の識別情報は、切り替え元のＰＤＵセッションを切断せず、維持することを示す情報であってもよい。
【０３７０】
本実施形態における第４７の識別情報は、セッションの切り替えを許可することを示す情報である。さらに、第４７の識別情報は、切り替えを許可する第１及び／又は第２及び／又は第３のマルチタイプのＰＤＵセッションを識別する情報であってもよい。
【０３７１】
さらに、第４７の識別情報は、切り替えるセッションが、第１及び／又は第２及び／又は第３のマルチタイプのＰＤＵセッションであることを示す情報であってもよい。さらに、第４７の識別情報は、切り替えを許可するセッションを識別する情報であってもよい。さらに、第４７の識別情報は、切り替え先となるセッションを識別する情報であってもよい。
【０３７２】
さらに、第４７の識別情報は、切り替え元となるセッションを識別する情報であってもよい。さらに、第４７の識別情報は、セッションを切り替えたこと、及び／又はマルチタイプのＰＤＵセッションにおけるサービス継続を実行したことを示す情報であってもよい
。
【０３７３】
さらに、第４７の識別情報は、切り替え元のＰＤＵセッションを切断せず、維持することを示す情報であってもよい。
【０３７４】
本実施形態における通信手続きは、図１８に示すように、まずアタッチ手続き（Ｓ１８００）を実行する。ＵＥ＿Ａ１０はアタッチ手続きによりコアネットワーク＿Ａ９０に接続する。ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、アタッチ手続きにおいて、ＵＥ＿Ａ１０、及び／又はコアネットワーク＿Ａ９０の各種能力情報を交換してもよい。具体的には、ネットワーク主導のセッション確立をサポートする能力を示す情報、及び／又はサポートするサービス継続（Ｓｅｒｖｉｃｅ  Ｃｏｎｔｉｎｕｉｔｙ）の能力を示す情報を交換してもよい。
【０３７５】
なお、アタッチ手続きの詳細は、後述する。
【０３７６】
アタッチ手続きの完了により、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第１の状態へ遷移する（Ｓ１８０２）。
【０３７７】
次に、第１のＰＤＵセッション確立手続き（Ｓ１８０４）を実行する。第１のＰＤＵセッション確立手続きは、１本目のＰＤＵセッションを確立するための、初期ＰＤＵセッション確立手続きであってよい。なお、確立するＰＤＵセッションは、シングルタイプのＰＤＵセッションであってもよく、マルチタイプのＰＤＵセッションであってもよい。より詳細には、確立するＰＤＵセッションは、第１から第３のシングルタイプのＰＤＵセッションのいずれかであってもよく、第１から第３のマルチタイプのＰＤＵセッションのいずれかであってもよい。また、第１のＰＤＵセッション確立手続きは、後述するＵＥ主導のＰＤＵセッション確立手続きと、第１又は第２のネットワーク主導のＰＤＵセッション確立手続きのいずれの手続きに沿って実行してもよい。
【０３７８】
ここで、ＵＥ主導のＰＤＵセッション確立手続きによる第１のＰＤＵセッション確立手続きは、アタッチ手続きに基づいてＵＥ主導でシングルタイプのＰＤＵセッションもしくはマルチタイプのＰＤＵセッションの確立が可能である場合に実行してもよい。
【０３７９】
より具体的には、アタッチ手続きにおいて、第２の識別情報、第１７の識別情報、第１９の識別情報、第２１の識別情報、第２３の識別情報、第２５の識別情報、第２７の識別情報のうち１つ以上の識別情報を受信したことに基づいて、ＵＥ＿Ａ１０は、第１のＰＤＵセッション確立手続きを開始してもよい。
【０３８０】
また、第１、第２のネットワーク主導のＰＤＵセッション確立手続きは、アタッチ手続きに基づいてネットワーク主導でシングルタイプのＰＤＵセッションもしくはマルチタイプのＰＤＵセッションの確立が可能である場合に実行してもよい。
【０３８１】
より具体的には、アタッチ手続きにおいて、第２の識別情報、第４の識別情報、第１７の識別情報、第１９の識別情報、第２１の識別情報、第２３の識別情報、第２５の識別情報、第２７の識別情報のうち１つ以上の識別情報を送信したことに基づいて、ＭＭＥ＿Ａ４０は、第１のＰＤＵセッション確立手続きを開始してもよい。または、第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報を受信したことに基づいて、ＭＭＥ＿Ａ４０は、第１のＰＤＵセッション確立手続き
を開始してもよい。
【０３８２】
シングルタイプのＰＤＵセッションのＰＤＵセッションの確立を要求する場合、第２８の識別情報が、ＵＥ主導のＰＤＵセッション確立手続き中のＰＤＵセッション確立要求メッセージ、及び／又はセッション生成要求メッセージに含まれて送受信されてよい。さらに、シングルタイプのＰＤＵセッションのＰＤＵセッションの確立が許可された場合、第２９の識別情報が、ＵＥ主導のＰＤＵセッション確立手続き中のＰＤＵセッション確立要求メッセージ、及び／又はＰＤＵセッション確立受諾メッセージ、及び／又はセッション応答要求メッセージ、及び／又はセッション生成応答メッセージに含まれて送受信されてよい。
【０３８３】
また、マルチタイプのＰＤＵセッションのＰＤＵセッションの確立を要求する場合、第３６の識別情報が、ＵＥ主導のＰＤＵセッション確立手続き中のＰＤＵセッション確立要求メッセージ、及び／又はセッション生成要求メッセージに含まれて送受信されてよい。さらに、マルチタイプのＰＤＵセッションのＰＤＵセッションの確立が許可された場合、第３７の識別情報が、ＵＥ主導のＰＤＵセッション確立手続き中のＰＤＵセッション確立要求メッセージ、及び／又はＰＤＵセッション確立受諾メッセージ、及び／又はセッション応答要求メッセージ、及び／又はセッション生成応答メッセージに含まれて送受信されてよい。
【０３８４】
シングルタイプのＰＤＵセッションのＰＤＵセッションの確立を要求する場合、第３２の識別情報が、第１のネットワーク主導のＰＤＵセッション確立手続き中のＰＤＵセッション確立要求メッセージ、及び／又はセッション生成要求メッセージに含まれて送受信されてよいし、第２のネットワーク主導のＰＤＵセッション確立手続き中の第１のＰＤＵセッション確立要求メッセージメッセージ、及び／又はセッション生成要求メッセージに含まれて送受信されてよい。さらに、シングルタイプのＰＤＵセッションのＰＤＵセッションの確立が許可された場合、第３３の識別情報が、第１のネットワーク主導のＰＤＵセッション確立手続き中のＰＤＵセッション確立受諾メッセージ、及び／又はセッション生成応答メッセージに含まれて送受信されてよいし、第２のネットワーク主導のＰＤＵセッション確立手続き中の第２のＰＤＵセッション確立要求メッセージメッセージ、及び／又はセッション生成応答メッセージに含まれて送受信されてよい。
【０３８５】
また、マルチタイプのＰＤＵセッションのＰＤＵセッションの確立を要求する場合、第４０の識別情報が、第１のネットワーク主導のＰＤＵセッション確立手続き中のＰＤＵセッション確立要求メッセージ、及び／又はセッション生成要求メッセージに含まれて送受信されてよいし、第２のネットワーク主導のＰＤＵセッション確立手続き中の第１のＰＤＵセッション確立要求メッセージメッセージ、及び／又はセッション生成要求メッセージに含まれて送受信されてよい。さらに、マルチタイプのＰＤＵセッションのＰＤＵセッションの確立が許可された場合、第４１の識別情報が、第１のネットワーク主導のＰＤＵセッション確立手続き中のＰＤＵセッション確立受諾メッセージ、及び／又はセッション生成応答メッセージに含まれて送受信されてよいし、第２のネットワーク主導のＰＤＵセッション確立手続き中の第２のＰＤＵセッション確立要求メッセージメッセージ、及び／又はセッション生成応答メッセージに含まれて送受信されてよい。
【０３８６】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、上記で説明した第１のＰＤＵセッション確立手続きにおいて、確立するＰＤＵセッションの種類を要求、決定、認識してもよい。より具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２８の識別情報、及び／又は第３２の識別情報に基づいて、確立するＰＤＵセッションのシングルタイ
プのＰＤＵセッションにおける種類を要求、決定してもよく、第３６の識別情報、及び／又は第４０の識別情報に基づいて、確立するＰＤＵセッションのマルチタイプのＰＤＵセッションにおける種類を要求、決定してもよい。
【０３８７】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２９の識別情報、及び／又は第３３の識別情報に基づいて、確立されたＰＤＵセッションのシングルタイプのＰＤＵセッションにおける種類を認識してもよく、第３７の識別情報、及び／又は第４１の識別情報に基づいて、確立されたＰＤＵセッションのマルチタイプのＰＤＵセッションにおける種類を認識してもよい。
【０３８８】
また、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第１のＰＤＵセッション確立手続きにおいて、各種能力情報に基づいて、確立するＰＤＵセッションに対応づけられるＡＰＮ、及び／又はＴＦＴ、及び／又はアプリケーション、及び／又はデータネットワーク、及び／又はネットワークスライス、及び／又はアクセスネットワークを選択、決定してもよい。
【０３８９】
なお、第１のＰＤＵセッション確立手続きは、上記で説明したアタッチ手続きの中で実行されてもよい。その場合、ＰＤＵセッション確立要求メッセージはＵＥ＿Ａ１０がＭＭＥ＿Ａ４０に送信するアタッチ要求メッセージに含まれて送受信されてもよい。さらに、ＰＤＵセッション確立受諾メッセージは、ＭＭＥ＿Ａ４０がＵＥ＿Ａ１０に送信するアタッチ受諾メッセージに含まれて送受信されてもよい。さらに、ＰＤＵセッション確立完了メッセージは、ＵＥ＿Ａ１０がＭＭＥ＿Ａ４０に送信するアタッチ完了メッセージに含まれて送受信されてもよい。
【０３９０】
以上の手続きにより、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２の状態へ遷移する（Ｓ１８０６）。
【０３９１】
次に、第２のＰＤＵセッション確立手続き（Ｓ１８０８）を実行する。第２のＰＤＵセッション確立手続きは、２本目のＰＤＵセッションを確立するための、追加のＰＤＵセッション確立手続きであってよい。なお、確立するＰＤＵセッションは、シングルタイプのＰＤＵセッションであってもよく、マルチタイプのＰＤＵセッションであってもよい。より詳細には、確立するＰＤＵセッションは、第１から第３のシングルタイプのＰＤＵセッションのいずれかであってもよく、第１から第３のマルチタイプのＰＤＵセッションのいずれかであってもよい。
【０３９２】
また、第２のＰＤＵセッション確立手続きは、後述するＵＥ主導のＰＤＵセッション確立手続きと、第１又は第２のネットワーク主導のＰＤＵセッション確立手続きのいずれかの手続きに沿って実行してもよい。
【０３９３】
ここで、ＵＥ主導のＰＤＵセッション確立手続きによる第２のＰＤＵセッション確立手続きは、アタッチ手続きに基づいてＵＥ主導でシングルタイプのＰＤＵセッションもしくはマルチタイプのＰＤＵセッションの確立が可能である場合に実行してもよい。
【０３９４】
より具体的には、アタッチ手続きに基づいてＵＥ主導でシングルタイプのＰＤＵセッションもしくはマルチタイプのＰＤＵセッションの確立が可能な場合とは、アタッチ手続きにおいて、第２の識別情報、第１７の識別情報、第１９の識別情報、第２１の識別情報、第２３の識別情報、第２５の識別情報、第２７の識別情報のうち１つ以上の識別情報をＵ
Ｅ＿Ａ１０が受信した場合であってよい。
【０３９５】
また、第１、第２のネットワーク主導のＰＤＵセッション確立手続きによる第２のＰＤＵセッション確立手続きは、アタッチ手続きに基づいてネットワーク主導でシングルタイプのＰＤＵセッションもしくはマルチタイプのＰＤＵセッションの確立が可能である場合に実行してもよい。
【０３９６】
より具体的には、アタッチ手続きに基づいてネットワーク主導でシングルタイプのＰＤＵセッションもしくはマルチタイプのＰＤＵセッションの確立が可能である場合とは、アタッチ手続きにおいて、第２の識別情報、第４の識別情報、第１７の識別情報、第１９の識別情報、第２１の識別情報、第２３の識別情報、第２５の識別情報、第２７の識別情報のうち１つ以上の識別情報をＭＭＥ＿Ａ４０が送信した場合であってよい。または、第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報をＭＭＥ＿Ａ４０が受信した場合であってよい。
【０３９７】
なお、第２のＰＤＵセッション確立手続きがＵＥ主導のＰＤＵセッション確立手続きの場合、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第３０の識別情報、及び／又は第３１の識別情報、及び／又は第３８の識別情報、及び／又は第３９の識別情報を後述するＵＥ主導のＰＤＵセッション確立手続き中のメッセージに含めて送信してもよい。
【０３９８】
ここで、アタッチ手続きに基づいてＵＥ主導でシングルタイプのＰＤＵセッションもしくはマルチタイプのＰＤＵセッションの確立が可能な場合において、第３０の識別情報、及び／又は第３１の識別情報、及び／又は第３８の識別情報、及び／又は第３９の識別情報は、ＵＥ主導のＰＤＵセッション確立手続き中のメッセージに含めてもよい。
【０３９９】
より詳細には、シングルタイプのＰＤＵセッションのＰＤＵセッションの確立を要求する場合、第３０の識別情報が、ＵＥ主導のＰＤＵセッション確立手続き中のＰＤＵセッション確立要求メッセージ、及び／又はセッション生成要求メッセージに含まれて送受信されてよい。さらに、シングルタイプのＰＤＵセッションのＰＤＵセッションの確立が許可された場合、第３１の識別情報が、ＵＥ主導のＰＤＵセッション確立手続き中のＰＤＵセッション確立要求メッセージ、及び／又はＰＤＵセッション確立受諾メッセージ、及び／又はセッション応答要求メッセージ、及び／又はセッション生成応答メッセージに含まれて送受信されてよい。
【０４００】
また、マルチタイプのＰＤＵセッションのＰＤＵセッションの確立を要求する場合、第３８の識別情報が、ＵＥ主導のＰＤＵセッション確立手続き中のＰＤＵセッション確立要求メッセージ、及び／又はセッション生成要求メッセージに含まれて送受信されてよい。さらに、マルチタイプのＰＤＵセッションのＰＤＵセッションの確立が許可された場合、第３９の識別情報が、ＵＥ主導のＰＤＵセッション確立手続き中のＰＤＵセッション確立要求メッセージ、及び／又はＰＤＵセッション確立受諾メッセージ、及び／又はセッション応答要求メッセージ、及び／又はセッション生成応答メッセージに含まれて送受信されてよい。
【０４０１】
さらに、第２のＰＤＵセッション確立手続きがネットワーク主導のＰＤＵセッション確立手続きの場合、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第３４の識別情報、及び／又は第３５の識別情報、及び／又は第４２の識別情報、及び／又は第４３の識別情報を後述する第１のネットワーク主導のＰＤＵセッション確立手続き中のメッセージ、及び／
又は第２のネットワーク主導のＰＤＵセッション確立手続き中のメッセージに含めて送信してもよい。
【０４０２】
ここで、アタッチ手続きに基づいてネットワーク主導でシングルタイプのＰＤＵセッションもしくはマルチタイプのＰＤＵセッションの確立が可能な場合において第３４の識別情報、及び／又は第３５の識別情報、及び／又は第４２の識別情報、及び／又は第４３の識別情報は、ＵＥ主導のＰＤＵセッション確立手続き中のメッセージに含めてもよい。
【０４０３】
より詳細には、シングルタイプのＰＤＵセッションのＰＤＵセッションの確立を要求する場合、第３４の識別情報が、第１のネットワーク主導のＰＤＵセッション確立手続き中のＰＤＵセッション確立要求メッセージ、及び／又はセッション生成要求メッセージに含まれて送受信されてよいし、第２のネットワーク主導のＰＤＵセッション確立手続き中の第１のＰＤＵセッション確立要求メッセージメッセージ、及び／又はセッション生成要求メッセージに含まれて送受信されてよい。さらに、シングルタイプのＰＤＵセッションのＰＤＵセッションの確立が許可された場合、第３５の識別情報が、第１のネットワーク主導のＰＤＵセッション確立手続き中のＰＤＵセッション確立受諾メッセージ、及び／又はセッション生成応答メッセージに含まれて送受信されてよいし、第２のネットワーク主導のＰＤＵセッション確立手続き中の第２のＰＤＵセッション確立要求メッセージメッセージ、及び／又はセッション生成応答メッセージに含まれて送受信されてよい。
【０４０４】
また、マルチタイプのＰＤＵセッションのＰＤＵセッションの確立を要求する場合、第４２の識別情報が、第１のネットワーク主導のＰＤＵセッション確立手続き中のＰＤＵセッション確立要求メッセージ、及び／又はセッション生成要求メッセージに含まれて送受信されてよいし、第２のネットワーク主導のＰＤＵセッション確立手続き中の第１のＰＤＵセッション確立要求メッセージメッセージ、及び／又はセッション生成要求メッセージに含まれて送受信されてよい。さらに、マルチタイプのＰＤＵセッションのＰＤＵセッションの確立が許可された場合、第４３の識別情報が、第１のネットワーク主導のＰＤＵセッション確立手続き中のＰＤＵセッション確立受諾メッセージ、及び／又はセッション生成応答メッセージに含まれて送受信されてよいし、第２のネットワーク主導のＰＤＵセッション確立手続き中の第２のＰＤＵセッション確立要求メッセージメッセージ、及び／又はセッション生成応答メッセージに含まれて送受信されてよい。
【０４０５】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、上記で説明した第２のＰＤＵセッション確立手続きにおいて、確立するＰＤＵセッションの種類を要求、決定、認識してもよい。より具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第３０の識別情報、及び／又は第３４の識別情報に基づいて、確立するＰＤＵセッションのシングルタイプのＰＤＵセッションにおける種類を要求、決定してもよく、第３８の識別情報、及び／又は第４２の識別情報に基づいて、確立するＰＤＵセッションのマルチタイプのＰＤＵセッションにおける種類を要求、決定してもよい。
【０４０６】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第３１の識別情報、及び／又は第３５の識別情報に基づいて、確立されたＰＤＵセッションのシングルタイプのＰＤＵセッションにおける種類を認識してもよく、第３９の識別情報、及び／又は第４３の識別情報に基づいて、確立されたＰＤＵセッションのマルチタイプのＰＤＵセッションにおける種類を認識してもよい。
【０４０７】
さらに、ＵＥ＿Ａ１０、及び／又はＭＭＥ＿Ａ４０、及び／又はＳＧＷ＿Ａ３５、及び
／又はＰＧＷ＿Ａ３０、及び／又はＳＣＥＦ＿Ａ４６は、第３１の識別情報、及び／又は第３５の識別情報に基づいて、第１のＰＤＵセッション確立手続きで確立したＰＤＵセッション、及び／又は現在の通信に用いているＰＤＵセッションを削除してもよいし、第３９の識別情報、及び／又は第４３の識別情報に基づいて、第１のＰＤＵセッション確立手続きで確立したＰＤＵセッション、及び／又は現在の通信に用いているＰＤＵセッションを削除せず、維持してもよい。
【０４０８】
また、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２のＰＤＵセッション確立手続きにおいて、各種能力情報に基づいて、確立するＰＤＵセッションに対応づけられるＡＰＮ、及び／又はＴＦＴ、及び／又はアプリケーション、及び／又はデータネットワーク、及び／又はネットワークスライス、及び／又はアクセスネットワークを選択、決定してもよい。
【０４０９】
なお、第２のシングルタイプのＰＤＵセッション、又は、第２のマルチタイプのＰＤＵセッションを確立している場合、第２のＰＤＵセッション確立手続きで選択、決定されるＡＰＮ、及び／又はＴＦＴ、及び／又はアプリケーション、及び／又はデータネットワーク、及び／又はネットワークスライス、及び／又はアクセスネットワークは、第１のＰＤＵセッション確立手続きで選択、決定されたものと同じでものであってもよい。
【０４１０】
また、第３のシングルタイプのＰＤＵセッション、又は、第３のマルチタイプのＰＤＵセッションを確立している場合、第２のＰＤＵセッション確立手続きで選択、決定されるＡＰＮ、及び／又はＴＦＴ、及び／又はアプリケーション、及び／又はデータネットワーク、及び／又はネットワークスライス、及び／又はアクセスネットワークは、第１のＰＤＵセッション確立手続きで選択、決定されたものと異なるものであってもよい。
【０４１１】
ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２のＰＤＵセッション確立手続きに伴って、ユーザデータの送受信を制御するための情報を更新してもよい。具体的には、各装置は、第２のＰＤＵセッション確立手続きに基づいて、ユーザデータの送受信に用いるＰＤＵセッションを、第２のＰＤＵセッション確立手続きで確立したＰＤＵセッションに変更してもよい。なお、ユーザデータの送受信を制御するための情報は、ＴＦＴであってもよい。
【０４１２】
また、確立するＰＤＵセッションがシングルタイプのＰＤＵセッションの場合、各装置は、ユーザデータの送受信を制御するための情報の更新に伴って、第２のＰＤＵセッション確立手続きを実行する前に確立されていたＰＤＵセッションを切断してもよい。より具体的には、各装置は、ユーザデータの送受信を制御するための情報の更新に伴って、既に確立されていたＰＤＵセッション確立に関するコンテキストを削除してもよい。
【０４１３】
なお、確立するＰＤＵセッションがマルチタイプのＰＤＵセッションの場合、ユーザデータの送受信を制御するための情報の更新は第２のＰＤＵセッション確立手続きに伴って行われず、フロー切替え手続き（Ｓ１８１０）によって行われてもよい。フロー切替え手続きは、ユーザデータの送受信に用いるＰＤＵセッションを切替えための手続きである。
【０４１４】
ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、フロー切替え手続きに基づいて、ユーザデータの送受信に用いるＰＤＵセッションを、第２のＰＤＵセッション確立手続きで確立したＰＤＵセッションに変更してもよい。
【０４１５】
フロー切替え手続きは、ＵＥ主導のフロー切替え手続きとネットワーク主導のフロー切替え手続きがあってよい。フロー切替え手続きの詳細は、後述する。
【０４１６】
以上の手続きにより、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第３の状態へ遷移する（Ｓ１８１２）。
【０４１７】
［１．３．１．アタッチ手続き例］
まず、アタッチ手続きの例について説明する。
【０４１８】
アタッチ手続きはＵＥ＿Ａ１０が主導して開始する手続きである。なお、アタッチ手続きでは、ＵＥ＿Ａ１０が、ネットワークへ接続するための手続きである。言い換えると、アタッチ手続きは、アクセスネットワークに接続する手続きであり、さらに、アクセスネットワーク介してコアネットワークに接続する手続きである。
【０４１９】
なお、ＵＥ＿Ａ１０がアタッチ手続きを開始するトリガは、端末電源投入時などであってもよい。また、これに関わらずＵＥ＿Ａ１０はコアネットワーク＿Ａ９０に接続していない状態であれば任意のタイミングで開始してもよい。
【０４２０】
また、ＵＥ＿Ａ１０は、アタッチ手続きの完了により、コアネットワーク＿Ａ９０との間でＰＤＵセッションを確立してもよいし、確立しなくてもよい。言い換えると、ＵＥ＿Ａ１０は、アタッチ手続きの完了により、ＰＧＷ＿Ａ３０、及び／又はＳＣＥＦ＿Ａ４６との間でＰＤＵセッションを確立してもよいし、確立しなくてもよい。
【０４２１】
なお、アタッチ手続きにおいてＰＤＵセッションを確立する場合は、後述する第１のＰＤＵセッション確立手続きのメッセージをアタッチ手続きのメッセージと共に送受信してもよい。
【０４２２】
以下、図１９を用いてアタッチ手続きの手順の例を説明する。
【０４２３】
まず、ＵＥ＿Ａ１０はアタッチ要求メッセージをＭＭＥ＿Ａ４０に送信する（Ｓ１９００）。なお、ＵＥ＿Ａ１０はアタッチ要求メッセージをアクセスネットワーク中の装置に送信し、送信されたアタッチ要求メッセージはアクセスネットワーク中の装置を介してＭＭＥ＿Ａ４０に転送されてもよい。
【０４２４】
なお、アクセスネットワーク、及び／又はアクセスネットワーク中の装置の選択は、ＵＥ＿Ａ１０が保持する情報に基づいて実施してもよく、ネットワークから事前に受信した情報に基づいて実施してもよい。
【０４２５】
また、ＵＥ＿Ａ１０はＰＤＵセッション確立要求メッセージをアタッチ要求メッセージと共に送信してもよい。以下、本手続きの説明では、アタッチ要求メッセージは、アタッチ要求メッセージ及びＰＤＵセッション確立要求メッセージを併せたものとして説明する。さらに、本手続きの説明においてアタッチ要求メッセージに識別情報が含まれると表現した場合には、識別情報がアタッチ要求メッセージ及び又はＰＤＵセッション確立要求メッセージに含まれることを意味する。
【０４２６】
ＵＥ＿Ａ１０は、すくなくとも第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報を、アタッチ要求メッセージに含めて送信してもよい。ＵＥ＿Ａ１０は、第１の識別情報、第３の識別情報、第５の識別情報
、第１６の識別情報、第１８の識別情報、第２０の識別情報、第２２の識別情報、第２４の識別情報、第２６の識別情報のうち１つ以上の識別情報を含めてアタッチ要求メッセージを送信することにより、ネットワーク主導のＰＤＵセッション確立手続きをサポートしていることを示してよいし、サポートするサービス継続（Ｓｅｒｖｉｃｅ  Ｃｏｎｔｉｎｕｉｔｙ）の能力を示してもよい。
【０４２７】
ここで、第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報は、アタッチ要求メッセージに含めてＭＭＥ＿Ａ４０に送信するのではなく、アタッチ手続き内でアタッチ要求メッセージとは異なる制御メッセージに含めて送信してもよい。
【０４２８】
例えば、アタッチ要求メッセージを送信したあと、ＵＥ＿Ａ１０はＥＳＭ（ＥＰＳ  Ｓｅｓｓｉｏｎ  Ｍａｎａｇｅｍｅｎｔ）情報の要求と、要求に基づく応答を行う制御メッセージの送受信手続きを実行してもよい（Ｓ１９０２）。
【０４２９】
より詳細には、ＭＭＥ＿Ａ４０は、ＥＳＭ要求メッセージをＵＥ＿Ａ１０に送信する。ＵＥ＿Ａ１０は、ＥＳＭ要求メッセージを受信し、応答メッセージをＭＭＥ＿Ａ４０に送信する。この際、ＵＥ＿Ａ１０は、第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報を応答メッセージに含めて送信してもよい。
【０４３０】
ここで、ＵＥ＿Ａ１０は、ＥＳＭ応答メッセージを暗号化して送信してもよい。さらに、ＵＥ＿Ａ１０は、ＥＳＭ応答メッセージを暗号化する為の情報をＭＭＥ＿Ａ４０から受信してもよい。ＭＭＥ＿Ａ４０は、アタッチ要求メッセージの受信に伴い、ＮＡＳメッセージを暗号化するための情報をＵＥ＿Ａ１０に送信してもよい。なお、ＮＡＳメッセージを暗号化するための情報を送信するＮＡＳメッセージは、Ｓｅｃｕｒｉｔｙ  Ｍｏｄｅ  Ｃｏｍｍａｎｄメッセージであってよい。
【０４３１】
ＭＭＥ＿Ａ４０は、アタッチ要求メッセージを受信する。さらに、アタッチ要求メッセージの受信、又はＥＳＭ応答メッセージの受信に基づいて、第１の識別情報、第３の識別情報、第５の識別情報、第１６の識別情報、第１８の識別情報、第２０の識別情報、第２２の識別情報、第２４の識別情報、第２６の識別情報のうち１つ以上の識別情報を取得する。なお、ＭＭＥ＿Ａ４０は、取得した識別情報を記憶してもよい。
【０４３２】
ＭＭＥ＿Ａ４０は、アタッチ要求メッセージに含まれる情報、及び又は、加入者情報、及び又は、オペレータポリシー、及び又は、ＭＭＥ＿Ａ４０がもつ識別情報に基づいて、確立可能なＰＤＵセッションの種類を選択、決定してもよく、ＰＤＵセッションをアタッチ手続きで確立するか否かを決定してもよい。
【０４３３】
さらに、ＭＭＥ＿Ａ４０は、後述するＵＥ主導のセッション確立手続きで説明するセッション確立要求メッセージ、又はセッション確立要求メッセージに含まれるいずれかの識別情報をアタッチ要求メッセージと共に受信することにより、ＰＤＵセッションをアタッチ手続きで確立すると決定してもよい。それ以外の場合には、ＭＭＥ＿Ａ４０はアタッチ手続きにおいてＰＤＵセッションを確立しないことを決定しても良い。
【０４３４】
なお、アタッチ手続きでＰＤＵセッションを確立する場合、ＭＭＥ＿Ａ４０は、アタッチ要求メッセージに含まれる情報、及び又は、加入者情報、及び又は、オペレータポリシー、及び又は、ＭＭＥ＿Ａ４０がもつ識別情報に基づいて、確立するＰＤＵセッションで
用いる装置を選択、決定してもよい。具体的には、ＭＭＥ＿Ａ４０は、ＳＧＷ＿Ａ３５、及び／又はＰＧＷ＿Ａ３０をＰＤＵセッションの確立先として選択してもよいし、ＳＣＥＦ＿Ａ４６をＰＤＵセッションの確立先として選択してもよい。
【０４３５】
なお、ＰＧＷ＿Ａ３０に対してＰＤＵセッションを確立する場合、ＭＭＥ＿Ａ４０は、ＳＧＷ＿Ａ３５、及び／又はＰＧＷ＿Ａ３０との間で、Ｓ１９０４からＳ１９１２の手続きを実施する。
【０４３６】
具体的には、ＰＧＷ＿Ａ３０に対してＰＤＵセッションを確立する場合、ＭＭＥ＿Ａ４０は、ＳＧＷ＿Ａ３５にセッション生成要求メッセージを送信する（Ｓ１９０４）。ＭＭＥ＿Ａ４０は、すくなくとも第１から第５、及び／又は第１６から第２７の識別情報のうち１つ以上の識別情報を、セッション生成要求メッセージに含めて送信してもよい。
【０４３７】
ＳＧＷ＿Ａ３５は、ＭＭＥ＿Ａ４０が送信したセッション生成要求メッセージを受信する。さらに、ＳＧＷ＿Ａ３５は、セッション生成要求メッセージの受信に基づき、第１から第５、及び／又は第１６から第２７の識別情報のうち１つ以上の識別情報を取得する。なお、ＳＧＷ＿Ａ３５は取得した識別情報を記憶してもよい。
【０４３８】
ＳＧＷ＿Ａ３５は、セッション生成要求メッセージの受信に基づいて、ＰＧＷ＿Ａ３０にセッション生成要求メッセージを送信する（Ｓ１９０６）。ＳＧＷ＿Ａ３５は、すくなくとも第１から第５、及び／又は第１６から第２７の識別情報のうち１つ以上の識別情報を、セッション生成要求メッセージに含めて送信してもよい。
【０４３９】
ＰＧＷ＿Ａ３０は、ＳＧＷ＿Ａ３５が送信したセッション生成要求メッセージを受信する。さらに、ＰＧＷ＿Ａ３０は、セッション生成要求メッセージの受信に基づき、第１から第５、及び／又は第１６から第２７の識別情報のうち１つ以上の識別情報を取得する。なお、ＰＧＷ＿Ａ３０は取得した識別情報を記憶してもよい。
【０４４０】
ＰＧＷ＿Ａ３０は、セッション生成要求メッセージの受信に基づいて、ＳＧＷ＿Ａ３５にセッション生成応答メッセージを送信する（Ｓ１９１０）。ＰＧＷ＿Ａ３０は、すくなくとも第２の識別情報、第４の識別情報、第１７の識別情報、第１９の識別情報、第２１の識別情報、第２３の識別情報、第２５の識別情報、第２７の識別情報のうち１つ以上の識別情報を、セッション生成応答メッセージに含めて送信してもよい。
【０４４１】
ＳＧＷ＿Ａ３５は、ＰＧＷ＿Ａ３０が送信したセッション生成応答メッセージを受信する。さらに、ＳＧＷ＿Ａ３５は、セッション生成応答メッセージの受信に基づき、第１から第５、及び／又は第１６から第２７の識別情報のうち１つ以上の識別情報を取得する。なお、ＳＧＷ＿Ａ３５は取得した識別情報を記憶してもよい。
【０４４２】
ＳＧＷ＿Ａ３５は、セッション生成応答メッセージの受信に基づいて、ＭＭＥ＿Ａ４０にセッション生成応答メッセージを送信する（Ｓ１９１２）。ＳＧＷ＿Ａ３５は、すくなくとも第１から第５、及び／又は第１６から第２７の識別情報のうち１つ以上の識別情報を、セッション生成応答メッセージに含めて送信してもよい。
【０４４３】
ＭＭＥ＿Ａ４０は、ＳＧＷ＿Ａ３５が送信したセッション生成応答メッセージを受信する。さらに、ＭＭＥ＿Ａ４０は、セッション生成応答メッセージの受信に基づき、第１から第５、及び／又は第１６から第２７の識別情報のうち１つ以上の識別情報を取得する。なお、ＭＭＥ＿Ａ４０は取得した識別情報を記憶してもよい。
【０４４４】
また、ＳＣＥＦ＿Ａ４６に対してＰＤＵセッションを確立する場合、ＭＭＥ＿Ａ４０は
、
ＳＣＥＦ＿Ａ４６との間で、Ｓ１９１４からＳ１９１６の手続きを実施する。
【０４４５】
具体的には、ＳＣＥＦ＿Ａ４６に対してＰＤＵセッションを確立する場合、ＭＭＥ＿Ａ４０は、ＳＣＥＦ＿Ａ４６にセッション生成要求メッセージを送信する（Ｓ１９１４）。ＭＭＥ＿Ａ４０は、すくなくとも第１から第５、及び／又は第１６から第２７の識別情報のうち１つ以上の識別情報を、セッション生成要求メッセージに含めて送信してもよい。
【０４４６】
ＳＣＥＦ＿Ａ４６は、ＭＭＥ＿Ａ４０が送信したセッション生成要求メッセージを受信する。さらに、ＳＣＥＦ＿Ａ４６は、セッション生成要求メッセージの受信に基づき、第１から第５、及び／又は第１６から第２７の識別情報のうち１つ以上の識別情報を取得する。なお、ＳＣＥＦ＿Ａ４６は取得した識別情報を記憶してもよい。
【０４４７】
ＳＣＥＦ＿Ａ４６は、セッション生成要求メッセージの受信に基づいて、ＭＭＥ＿Ａ４０にセッション生成応答メッセージを送信する（Ｓ１９１６）。ＳＣＥＦ＿Ａ４６は、すくなくとも第１から第５、及び／又は第１６から第２７のうち１つ以上の識別情報を、セッション生成応答メッセージに含めて送信してもよい。
【０４４８】
ＭＭＥ＿Ａ４０は、ＳＣＥＦ＿Ａ４６が送信したセッション生成応答メッセージを受信する。さらに、ＭＭＥ＿Ａ４０は、セッション生成応答メッセージの受信に基づき、第１から第５、及び／又は第１６から第２７の識別情報のうち１つ以上の識別情報を取得する。なお、ＭＭＥ＿Ａ４０は取得した識別情報を記憶してもよい。
【０４４９】
なお、アタッチ手続きにおいてＰＤＵセッションを確立しない場合、ＭＭＥ＿Ａ４０は、Ｓ１９０４からＳ１９１６までの手続きを実施しなくてよい。
【０４５０】
ＭＭＥ＿Ａ４０は、アタッチ要求メッセージの受信、及び／又は確立可能なＰＤＵセッションの種類の選択、決定、及び／又はセッション生成応答メッセージの受信に基づいて、アクセスネットワーク中の装置にアタッチ受諾メッセージを送信する（Ｓ１９１８）。
【０４５１】
また、ＭＭＥ＿Ａ４０は、ＰＤＵセッション確立受諾をアタッチ受諾メッセージと共に送信してもよい。以下、本手続きの説明では、アタッチ受諾メッセージは、アタッチ受諾メッセージ及びＰＤＵセッション確立受諾を併せたものとして説明する。さらに、本手続きの説明においてアタッチ受諾メッセージに識別情報が含まれると表現した場合には、識別情報がアタッチ受諾メッセージ及び又はＰＤＵセッション確立受諾に含まれることを意味する。
【０４５２】
ＭＭＥ＿Ａ４０は、すくなくとも第２の識別情報、第４の識別情報、第１７の識別情報、第１９の識別情報、第２１の識別情報、第２３の識別情報、第２５の識別情報、第２７の識別情報のうち１つ以上の識別情報をアタッチ受諾メッセージに含めても良い。
【０４５３】
なお、アタッチ受諾メッセージは、アタッチ要求メッセージに対する応答メッセージであってよい。
【０４５４】
アクセスネットワーク中の装置は、アタッチ受諾メッセージを受信し、アタッチ受諾メッセージを含めたＲＲＣメッセージをＵＥ＿Ａ１０に送信する（Ｓ１９２０）。なお、ＲＲＣメッセージは、ＲＲＣコネクション再設定要求メッセージであってよく、ダイレクトトランスファーメッセージであってもよい。また、ＲＲＣメッセージは、アクセスネットワークとＵＥ＿Ａ１０の間の他のメッセージであってもよい。
【０４５５】
ＵＥ＿Ａ１０は、アタッチ受諾メッセージを含むＲＲＣメッセージを受信する。さらに、第２の識別情報、第４の識別情報、第１７の識別情報、第１９の識別情報、第２１の識別情報、第２３の識別情報、第２５の識別情報、第２７の識別情報のうち１つ以上の識別情報がアタッチ受諾メッセージに含まれている場合には、ＵＥ＿Ａ１０は各識別情報を取得する。なお、ＵＥ＿Ａ１０は取得した識別情報を記憶してもよい。
【０４５６】
ＵＥ＿Ａ１０は、アタッチ受諾メッセージの受信、及び又は、アタッチ受諾メッセージに含まれる情報に基づいて、ネットワーク主導のＰＤＵセッション確立手続きがサポートされているか否かを認識してもよいし、サポートされたアクセスネットワークの種類を認識してもよいし、サポートされたサービス継続（Ｓｅｒｖｉｃｅ  Ｃｏｎｔｉｎｕｉｔｙ）の種類を認識してもよい。
【０４５７】
より詳細には、ＵＥ＿Ａ１０は、第４の識別情報に基づいて、ネットワーク主導のセッション確立手続きがサポートされていることを認識してもよい。
【０４５８】
また、ＵＥ＿Ａ１０は、第２の識別情報に基づいて、サポートされたアクセスネットワークを認識してもよい。
【０４５９】
また、ＵＥ＿Ａ１０は、第１７の識別情報に基づいて、第１のシングルタイプのＰＤＵセッションの確立がサポートされていることを認識してもよいし、第１９の識別情報に基づいて、第２のシングルタイプのＰＤＵセッションの確立がサポートされていることを認識してもよいし、第２１の識別情報に基づいて、第３のシングルタイプのＰＤＵセッションの確立がサポートされていることを認識してもよい。
【０４６０】
さらに、ＵＥ＿Ａ１０は、第２３の識別情報に基づいて、第１のマルチタイプのＰＤＵセッションの確立がサポートされていることを認識してもよいし、第２５の識別情報に基づいて、第２のマルチタイプのＰＤＵセッションの確立がサポートされていることを認識してもよいし、第２７の識別情報に基づいて、第３のマルチタイプのＰＤＵセッションの確立がサポートされていることを認識してもよい。
【０４６１】
また、受信したＲＲＣメッセージに応答するために、ＵＥ＿Ａ１０はＲＲＣメッセージをアクセスネットワーク中の装置に送信する（Ｓ１９２２）。ＲＲＣメッセージは、ＲＲＣコネクション再設定完了メッセージであってよい。
【０４６２】
アクセスネットワーク中の装置は、ＲＲＣコネクション再設定メッセージを受信し、受信に基づいてベアラ設定メッセージをＭＭＥ＿Ａ４０に送信する（Ｓ１９２４）。
【０４６３】
なお、アタッチ手続きにおいてＰＤＵセッションを確立しない場合、Ｓ１９２２からＳ１９２４の手続きを省略してもよい。
【０４６４】
また、ＵＥ＿Ａ１０は、アタッチ受諾メッセージの受信に基づいて、アタッチ完了メッセージを含むＲＲＣメッセージをアクセスネットワーク中の装置に送信する（Ｓ１９２６）。ここで、アタッチ完了メッセージは、アタッチ受諾メッセージに対する応答メッセージであってよい。なお、アタッチ完了メッセージを含めて送信するＲＲＣメッセージは、Ｄｉｒｅｃｔ  Ｔｒａｎｓｆｅｒメッセージであってよい。
【０４６５】
アクセスネットワーク中の装置は、アタッチ完了メッセージが含まれるＲＲＣメッセージを受信し、アタッチ完了メッセージをＭＭＥ＿Ａ４０に送信する（Ｓ１９２８）。
【０４６６】
ＭＭＥ＿Ａ４０は、アタッチ完了メッセージを受信する。
【０４６７】
ＭＭＥ＿Ａ４０は、アタッチ完了メッセージの受信に基づいて、ＳＧＷ＿Ａ３５にベアラ変更要求メッセージを送信してもよい（Ｓ１９３０）。
【０４６８】
ＳＧＷ＿Ａ３５は、ベアラ変更要求メッセージを受信する。
【０４６９】
ＳＧＷ＿Ａ３５は、ベアラ変更要求メッセージの受信に基づいて、ＭＭＥ＿Ａ４０にベアラ変更応答メッセージを送信してもよい（Ｓ１９３２）。
【０４７０】
なお、ベアラ変更要求メッセージは、ベアラ変更要求メッセージに対する応答メッセージであってよい。
【０４７１】
ＭＭＥ＿Ａ４０は、ベアラ変更応答メッセージを受信する。
【０４７２】
以上の手順により、ＵＥ＿Ａ１０はネットワークへ接続し、アタッチ手続きを完了する。アタッチ手続きの完了に伴い、ＵＥ＿Ａ１０、及び又は、コアネットワーク＿Ａ９０は、ネットワーク主導のセッション確立手続きがサポートされているか否か、及び／又は、サポートされたアクセスネットワークの種類、及び／又は、サポートされたサービス継続（Ｓｅｒｖｉｃｅ  Ｃｏｎｔｉｎｕｉｔｙ）の種類を認識し、記憶することができる。
【０４７３】
［１．３．２．ＰＤＵセッション確立手続き例］
次に、ＰＤＵセッション確立手続きの例について説明する。
【０４７４】
ＰＤＵセッション確立手続きはＵＥ＿Ａ１０が主導して開始するＵＥ主導のＰＤＵセッション確立手続きとネットワーク主導のＰＤＵセッション確立手続きがある。なお、ＰＤＵセッション確立手続きは、ＵＥ＿Ａ１０が、コアネットワーク＿Ａ９０との間で、ユーザデータの送受信に用いるＰＤＵセッションを確立するための手続きである。ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、ＰＤＵセッション確立手続きにより、データネットワークとの間でユーザデータの送受信を行う通信路を確立する。
【０４７５】
なお、ＰＤＵセッション確立手続きは、アタッチ後、任意のタイミングで実行されてもよい。また、ＵＥ＿Ａ１０主導のＰＤＵセッション確立手続きは、端末電源投入時など、コアネットワークＡ＿９０へ初期接続時に実行するアタッチ手続き内で実行されてもよい。ネットワーク主導のＰＤＵセッション確立手続きは、ＰＧＷ＿Ａ３０、及び／又はＳＣＥＦ＿Ａ４６によるデータネットワークからのユーザデータ、及び／又は制御メッセージの受信に基づいて実行されてもよく、オペレータポリシーの更新に基づいて実行されてもよい。
【０４７６】
ＵＥ＿Ａ１０は、ＰＤＵセッション確立手続きの完了により、ＰＧＷ＿Ａ３０、及び／又はＳＣＥＦ＿Ａ４６との間でＰＤＵセッションを確立する。なお、ＵＥ＿Ａ１０、及び又は、コアネットワーク＿Ａ９０は、ＰＤＵセッション確立手続きを複数回行うことで、複数のＰＤＵセッションを確立することができる。
【０４７７】
ＵＥ＿Ａ１０、及び又は、コアネットワーク＿Ａ９０は、確立済みのＰＤＵセッションとは異なるＡＰＮ、及び／又はＴＦＴ、及び／又はアプリケーション、及び／又はデータネットワーク、及び／又はネットワークスライス、及び／又はアクセスネットワークを示す識別情報を各メッセージに含めてＰＤＵセッション確立手続きを行うことにより、対応するＡＰＮ、及び／又はＴＦＴ、及び／又はアプリケーション、及び／又はデータネットワーク、及び／又はネットワークスライス、及び／又はアクセスネットワークが異なるＰ
ＤＵセッションを新たに確立することができる。
【０４７８】
もしくは、ＵＥ＿Ａ１０、及び又は、コアネットワーク＿Ａ９０は、確立済みのＰＤＵセッションと同じＡＰＮ、及び／又はＴＦＴ、及び／又はアプリケーション、及び／又はデータネットワーク、及び／又はネットワークスライス、及び／又はアクセスネットワークを示す識別情報を各メッセージに含めてＰＤＵセッション確立手続きを行うことにより、対応するＡＰＮ、及び／又はＴＦＴ、及び／又はアプリケーション、及び／又はデータネットワーク、及び／又はネットワークスライス、及び／又はアクセスネットワークが同じＰＤＵセッションを新たに確立することができる。
【０４７９】
［１．３．２．１．ＵＥ主導のＰＤＵセッション確立手続き例］
次に、図２０を用いてＵＥ主導のＰＤＵセッション確立手続きの手順の例を説明する。
【０４８０】
なお、ＵＥ主導のＰＤＵセッション確立手続きは、ＵＥ主導でＰＧＷ＿Ａ３０、及び／又は、ＳＣＥＦ＿Ａ４６との間にＰＤＵセッションを確立する手続きである。
【０４８１】
まず、ＵＥ＿Ａ１０は、ＰＤＵセッションを確立するのに用いるアクセスネットワークを選択する。なお、ＵＥ＿Ａ１０は、アクセスネットワークの選択に、アタッチ手続きにおいてネットワークから取得した情報を用いてもよいし、アタッチ手続き以外でネットワークから取得した情報を用いてもよいし、ＵＥ＿Ａ１０が記憶している情報を用いてもよい。
【０４８２】
次に、ＵＥ＿Ａ１０は、選択したアクセスネットワークを介してＭＭＥ＿Ａ４０にＰＤＵセッション確立要求メッセージを送信し、ＵＥ主導のＰＤＵセッション確立手続きを開始する（Ｓ２０００）。なお、ＵＥ＿Ａ１０はＰＤＵセッション確立要求メッセージを選択したアクセスネットワーク中の装置に送信し、送信されたＰＤＵセッション確立要求メッセージは選択したアクセスネットワーク中の装置を介してＭＭＥ＿Ａ４０に転送されてもよい。
【０４８３】
ＵＥ＿Ａ１０は、ＰＤＵセッション確立要求メッセージに、第１の識別情報、第６の識別情報、第７の識別情報、第８の識別情報、第９の識別情報、第１０の識別情報、第１６の識別情報、第１８の識別情報、第２０の識別情報、第２２の識別情報、第２４の識別情報、第２６の識別情報のうち１つ以上の識別情報を含めて送信してもよい。
【０４８４】
ＵＥ＿Ａ１０は、第１６の識別情報、第１８の識別情報、第２０の識別情報、第２２の識別情報、第２４の識別情報、第２６の識別情報のうち１つ以上の識別情報を含めてＰＤＵセッション確立要求メッセージを送信することにより、サポートするサービス継続（Ｓｅｒｖｉｃｅ  Ｃｏｎｔｉｎｕｉｔｙ）の能力を示してもよい。ＵＥ＿Ａ１０は、第６から第１０の識別情報のうち１つ以上の識別情報を含めてＰＤＵセッション確立要求メッセージを送信することにより、確立するＰＤＵセッションの種類をより詳細に要求してもよい。
【０４８５】
ＭＭＥ＿Ａ４０は、ＵＥ＿Ａ１０が送信したＰＤＵセッション確立要求メッセージを受信する。さらに、ＰＤＵセッション確立要求メッセージの受信に基づいて、第１の識別情報、第６の識別情報、第７の識別情報、第８の識別情報、第９の識別情報、第１０の識別情報、第１６の識別情報、第１８の識別情報、第２０の識別情報、第２２の識別情報、第２４の識別情報、第２６の識別情報のうち１つ以上の識別情報を取得する。なお、ＭＭＥ＿Ａ４０は、取得した識別情報を記憶してもよい。
【０４８６】
ＭＭＥ＿Ａ４０は、ＰＤＵセッション確立要求メッセージの受信、及び又は、ＰＤＵセ
ッション確立要求メッセージに含まれる情報に基づいてサポートされたサービス継続（Ｓｅｒｖｉｃｅ  Ｃｏｎｔｉｎｕｉｔｙ）の種類を認識してもよいし、ＰＤＵセッションが確立されたことを認識してもよい。
【０４８７】
より詳細には、ＭＭＥ＿Ａ４０は、第１６の識別情報に基づいて、第１のシングルタイプのＰＤＵセッションの確立がＵＥ＿Ａ１０によってサポートされていることを認識してもよいし、第１８の識別情報に基づいて、第２のシングルタイプのＰＤＵセッションの確立がＵＥ＿Ａ１０によってサポートされていることを認識してもよいし、第２０の識別情報に基づいて、第３のシングルタイプのＰＤＵセッションの確立がＵＥ＿Ａ１０によってサポートされていることを認識してもよい。
【０４８８】
さらに、ＭＭＥ＿Ａ４０は、第２２の識別情報に基づいて、第１のマルチタイプのＰＤＵセッションの確立がＵＥ＿Ａ１０によってサポートされていることを認識してもよいし、第２４の識別情報に基づいて、第２のマルチタイプのＰＤＵセッションの確立がＵＥ＿Ａ１０によってサポートされていることを認識してもよいし、第２６の識別情報に基づいて、第３のマルチタイプのＰＤＵセッションの確立がＵＥ＿Ａ１０によってサポートされていることを認識してもよい。
【０４８９】
また、ＭＭＥ＿Ａ４０は、第６から第１０の識別情報のうち１つ以上の識別情報に基づいて、ＵＥ＿Ａ１０が確立を要求するＰＤＵセッションの種類をより詳細に認識してもよい。例えば、ＭＭＥ＿Ａ４０は、第７の識別情報に基づいて、ＵＥ＿Ａ１０に割り当てられるＩＰアドレスを認識してもよい。
【０４９０】
また、ＭＭＥ＿Ａ４０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０４９１】
ＭＭＥ＿Ａ４０は、ＰＤＵセッション確立要求メッセージに含まれる情報、及び又は、加入者情報、及び又は、オペレータポリシー、及び又は、ＭＭＥ＿Ａ４０がもつ識別情報に基づいて、確立可能なＰＤＵセッションの種類を選択、決定してもよい。
【０４９２】
また、ＭＭＥ＿Ａ４０は、ＰＤＵセッション確立要求メッセージに含まれる情報、及び又は、加入者情報、及び又は、オペレータポリシー、及び又は、ＭＭＥ＿Ａ４０がもつ識別情報に基づいて、確立するＰＤＵセッションで用いる装置を選択、決定してもよい。具体的には、ＭＭＥ＿Ａ４０は、ＳＧＷ＿Ａ３５、及び／又はＰＧＷ＿Ａ３０をＰＤＵセッションの確立先として選択してもよいし、ＳＣＥＦ＿Ａ４６をＰＤＵセッションの確立先として選択してもよい。
【０４９３】
ここで、ＰＧＷ＿Ａ３０に対してＰＤＵセッションを確立する場合、ＭＭＥ＿Ａ４０は、
ＳＧＷ＿Ａ３５、及び／又はＰＧＷ＿Ａ３０との間で、Ｓ２００２からＳ２００８の手続きを実施する。
【０４９４】
具体的には、ＰＧＷ＿Ａ３０に対してＰＤＵセッションを確立する場合、ＭＭＥ＿Ａ４０は、ＳＧＷ＿Ａ３５にセッション生成要求メッセージを送信する（Ｓ２００２）。ＭＭＥ＿Ａ４０は、すくなくとも第６から第２７の識別情報のうち１つ以上の識別情報を、セッション生成要求メッセージに含めて送信してもよい。
【０４９５】
ＳＧＷ＿Ａ３５は、ＭＭＥ＿Ａ４０が送信したセッション生成要求メッセージを受信する。さらに、ＳＧＷ＿Ａ３５は、セッション生成要求メッセージの受信に基づき、第６から第２７の識別情報のうち１つ以上の識別情報を取得する。なお、ＳＧＷ＿Ａ３５は取得した識別情報を記憶してもよい。
【０４９６】
ＳＧＷ＿Ａ３５は、セッション生成要求メッセージの受信に基づいて、ＰＧＷ＿Ａ３０にセッション生成要求メッセージを送信する（Ｓ２００４）。ＳＧＷ＿Ａ３５は、すくなくとも第６から第２７の識別情報のうち１つ以上の識別情報を、セッション生成要求メッセージに含めて送信してもよい。
【０４９７】
ＰＧＷ＿Ａ３０は、ＳＧＷ＿Ａ３５が送信したセッション生成要求メッセージを受信する。さらに、ＰＧＷ＿Ａ３０は、セッション生成要求メッセージの受信に基づき、第６から第２７の識別情報のうち１つ以上の識別情報を取得する。なお、ＰＧＷ＿Ａ３０は取得した識別情報を記憶してもよい。
【０４９８】
ＰＧＷ＿Ａ３０は、セッション生成要求メッセージの受信に基づいて、ＳＧＷ＿Ａ３５にセッション生成応答メッセージを送信する（Ｓ２００６）。ＰＧＷ＿Ａ３０は、すくなくとも第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を、セッション生成応答メッセージに含めて送信してもよい。
【０４９９】
ＳＧＷ＿Ａ３５は、ＰＧＷ＿Ａ３０が送信したセッション生成応答メッセージを受信する。さらに、ＳＧＷ＿Ａ３５は、セッション生成応答メッセージの受信に基づき、第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を取得する。なお、ＳＧＷ＿Ａ３５は取得した識別情報を記憶してもよい。
【０５００】
ＳＧＷ＿Ａ３５は、セッション生成応答メッセージの受信に基づいて、ＭＭＥ＿Ａ４０にセッション生成応答メッセージを送信する（Ｓ２００８）。ＳＧＷ＿Ａ３５は、すくなくとも第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を、セッション生成応答メッセージに含めて送信してもよい。
【０５０１】
ＭＭＥ＿Ａ４０は、ＳＧＷ＿Ａ３５が送信したセッション生成応答メッセージを受信する。さらに、ＭＭＥ＿Ａ４０は、セッション生成応答メッセージの受信に基づき、第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を取得する。なお、ＭＭＥ＿Ａ４０は取得した識別情報を記憶してもよい。
【０５０２】
また、ＳＣＥＦ＿Ａ４６に対してＰＤＵセッションを確立する場合、ＭＭＥ＿Ａ４０は、
ＳＣＥＦ＿Ａ４６との間で、Ｓ２０１０からＳ２０１２の手続きを実施する。
【０５０３】
具体的には、ＳＣＥＦ＿Ａ４６に対してＰＤＵセッションを確立する場合、ＭＭＥ＿Ａ４０は、ＳＣＥＦ＿Ａ４６にセッション生成要求メッセージを送信する（Ｓ２０１０）。ＭＭＥ＿Ａ４０は、すくなくとも第６から第２７の識別情報のうち１つ以上の識別情報を
、セッション生成要求メッセージに含めて送信してもよい。
【０５０４】
ＳＣＥＦ＿Ａ４６は、ＭＭＥ＿Ａ４０が送信したセッション生成要求メッセージを受信する。さらに、ＳＣＥＦ＿Ａ４６は、セッション生成要求メッセージの受信に基づき、第６から第２７の識別情報のうち１つ以上の識別情報を取得する。なお、ＳＣＥＦ＿Ａ４６は取得した識別情報を記憶してもよい。
【０５０５】
ＳＣＥＦ＿Ａ４６は、セッション生成要求メッセージの受信に基づいて、ＭＭＥ＿Ａ４０にセッション生成応答メッセージを送信する（Ｓ２０１２）。ＳＣＥＦ＿Ａ４６は、すくなくとも第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を、セッション生成応答メッセージに含めて送信してもよい。
【０５０６】
ＭＭＥ＿Ａ４０は、ＳＣＥＦ＿Ａ４６が送信したセッション生成応答メッセージを受信する。さらに、ＭＭＥ＿Ａ４０は、セッション生成応答メッセージの受信に基づき、第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報を取得する。なお、ＭＭＥ＿Ａ４０は取得した識別情報を記憶してもよい。
【０５０７】
ＭＭＥ＿Ａ４０は、ＰＤＵセッション確立要求メッセージの受信、及び／又は確立可能なＰＤＵセッションの種類の選択、決定、及び／又はセッション生成応答メッセージの受信に基づいて、アクセスネットワーク中の装置にＰＤＵセッション確立受諾メッセージを送信する（Ｓ２０１４）。
【０５０８】
ＭＭＥ＿Ａ４０は、すくなくとも第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報をＰＤＵセッション確立受諾メッセージに含めても良い。
【０５０９】
なお、ＰＤＵセッション確立受諾メッセージは、ＰＤＵセッション確立要求メッセージに対する応答メッセージであってよい。
【０５１０】
アクセスネットワーク中の装置は、ＰＤＵセッション確立受諾メッセージを受信し、ＰＤＵセッション確立受諾メッセージを含めたＲＲＣメッセージをＵＥ＿Ａ１０に送信する（Ｓ２０１６）。なお、ＲＲＣメッセージは、ＲＲＣコネクション再設定要求メッセージであってよい。また、ＲＲＣメッセージは、アクセスネットワークとＵＥ＿Ａ１０の間の他のメッセージであってもよい。
【０５１１】
ＵＥ＿Ａ１０は、ＰＤＵセッション確立受諾メッセージを含むＲＲＣメッセージを受信する。さらに、第１１の識別情報、第１２の識別情報、第１３の識別情報、第１４の識別情報、第１５の識別情報、第１７の識別情報、第１９の識別情報、第２１の識別情報、第２３の識別情報、第２５の識別情報、第２７の識別情報のうち１つ以上の識別情報がＰＤＵセッション確立受諾メッセージに含まれている場合には、ＵＥ＿Ａ１０は各識別情報を取得する。なお、ＵＥ＿Ａ１０は取得した識別情報を記憶してもよい。
【０５１２】
ＵＥ＿Ａ１０は、ＰＤＵセッション確立受諾メッセージの受信、及び又は、ＰＤＵセッション確立受諾メッセージに含まれる情報に基づいてサポートされたサービス継続（Ｓｅｒｖｉｃｅ  Ｃｏｎｔｉｎｕｉｔｙ）の種類を認識してもよいし、ＰＤＵセッションが確
立されたことを認識してもよい。
【０５１３】
より詳細には、ＵＥ＿Ａ１０は、第１７の識別情報に基づいて、第１のシングルタイプのＰＤＵセッションの確立がネットワークによってサポートされていることを認識してもよいし、第１９の識別情報に基づいて、第２のシングルタイプのＰＤＵセッションの確立がネットワークによってサポートされていることを認識してもよいし、第２１の識別情報に基づいて、第３のシングルタイプのＰＤＵセッションの確立がネットワークによってサポートされていることを認識してもよい。
【０５１４】
さらに、ＵＥ＿Ａ１０は、第２３の識別情報に基づいて、第１のマルチタイプのＰＤＵセッションの確立がネットワークによってサポートされていることを認識してもよいし、第２５の識別情報に基づいて、第２のマルチタイプのＰＤＵセッションの確立がネットワークによってサポートされていることを認識してもよいし、第２７の識別情報に基づいて、第３のマルチタイプのＰＤＵセッションの確立がネットワークによってサポートされていることを認識してもよい。
【０５１５】
また、ＵＥ＿Ａ１０は、第１１から第１５の識別情報のうち１つ以上の識別情報に基づいて、確立されたＰＤＵセッションの種類をより詳細に認識してもよい。例えば、ＵＥ＿Ａ１０は、第１２の識別情報に基づいて、ＵＥ＿Ａ１０に割り当てられるＩＰアドレスを認識してもよい。
【０５１６】
また、ＵＥ＿Ａ１０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０５１７】
また、受信したＲＲＣメッセージに応答するために、ＵＥ＿Ａ１０はＲＲＣメッセージをアクセスネットワーク中の装置に送信してもよい（Ｓ２０１８）。ＲＲＣメッセージは、ＲＲＣコネクション再設定完了メッセージであってよい。
【０５１８】
アクセスネットワーク中の装置は、ＲＲＣコネクション再設定メッセージを受信し、受信に基づいてベアラ設定メッセージをＭＭＥ＿Ａ４０に送信してもよい（Ｓ２０２０）。
【０５１９】
また、ＵＥ＿Ａ１０は、ＰＤＵセッション確立受諾メッセージの受信に基づいて、ＰＤＵセッション確立完了メッセージを含むＲＲＣメッセージをアクセスネットワーク中の装置に送信する（Ｓ２０２２）。ここで、ＰＤＵセッション確立完了メッセージは、ＰＤＵセッション確立受諾メッセージに対する応答メッセージであってよい。なお、ＰＤＵセッション確立完了メッセージを含めて送信するＲＲＣメッセージは、Ｄｉｒｅｃｔ  Ｔｒａｎｓｆｅｒメッセージであってよい。
【０５２０】
アクセスネットワーク中の装置は、ＰＤＵセッション確立完了メッセージが含まれるＲＲＣメッセージを受信し、ＰＤＵセッション確立完了メッセージをＭＭＥ＿Ａ４０に送信する（Ｓ２０２４）。
【０５２１】
ＭＭＥ＿Ａ４０は、ＰＤＵセッション確立完了メッセージを受信する。
【０５２２】
ＭＭＥ＿Ａ４０は、ＰＤＵセッション確立完了メッセージの受信に基づいて、ＳＧＷ＿Ａ３５にベアラ変更要求メッセージを送信してもよい（Ｓ２０２６）。
【０５２３】
ＳＧＷ＿Ａ３５は、ベアラ変更要求メッセージを受信する。
【０５２４】
ＳＧＷ＿Ａ３５は、ベアラ変更要求メッセージの受信に基づいて、ＭＭＥ＿Ａ４０にベアラ変更応答メッセージを送信してもよい（Ｓ２０２８）。
【０５２５】
なお、ベアラ変更要求メッセージは、ベアラ変更要求メッセージに対する応答メッセージであってよい。
【０５２６】
ＭＭＥ＿Ａ４０は、ベアラ変更応答メッセージを受信する。
【０５２７】
以上の手順により、ＵＥ主導のＰＤＵセッション確立手続きを完了する。ＵＥ主導のＰＤＵセッション確立手続きの完了に伴い、ＵＥ＿Ａ１０、及び又は、コアネットワーク＿Ａ９０は、ＰＤＵセッションを確立することができる。また、ＵＥ主導のＰＤＵセッション確立手続きの完了に伴い、ＵＥ＿Ａ１０、及び又は、コアネットワーク＿Ａ９０は、サポートされたサービス継続（Ｓｅｒｖｉｃｅ  Ｃｏｎｔｉｎｕｉｔｙ）の種類を認識、記憶することができる。
【０５２８】
具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第１６の識別情報、及び／又は第１７の識別情報に基づいて、第１のシングルタイプのＰＤＵセッションの確立がサポートされていることを認識してもよいし、第１８の識別情報、及び／又は第１９の識別情報に基づいて、第２のシングルタイプのＰＤＵセッションの確立がサポートされていることを認識してもよいし、第２０の識別情報、及び／又は第２１の識別情報に基づいて、第３のシングルタイプのＰＤＵセッションの確立がサポートされていることを認識してもよい。
【０５２９】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２２の識別情報、及び／又は第２３の識別情報に基づいて、第１のマルチタイプのＰＤＵセッションの確立がサポートされていることを認識してもよいし、第２４の識別情報、及び／又は第２５の識別情報に基づいて、第２のマルチタイプのＰＤＵセッションの確立がサポートされていることを認識してもよいし、第２６の識別情報、及び／又は第２７の識別情報に基づいて、第３のマルチタイプのＰＤＵセッションの確立がサポートされていることを認識してもよい。
【０５３０】
［１．３．２．２．ネットワーク主導のＰＤＵセッション確立手続き例］
次に、ネットワーク主導のＰＤＵセッション確立手続きの手順の例を説明する。なお、ネットワーク主導のＰＤＵセッション確立手続きは、ＰＧＷ＿Ａ３０、及び／又はＳＣＥＦ＿Ａ４６、及び／又はＭＭＥ＿Ａ４０主導でＵＥ＿Ａ１０とＰＧＷ＿Ａ３０、及び／又は、ＳＣＥＦ＿Ａ４６との間にＰＤＵセッションを確立する手続きである。ネットワーク主導のＰＤＵセッション確立手続きは第１のネットワーク主導のＰＤＵセッション確立手続きと第２のネットワーク主導のＰＤＵセッション確立手続きがあってよい。
【０５３１】
［１．３．２．２．１．第１のネットワーク主導のＰＤＵセッション確立手続き例］
次に、図２１を用いて第１のネットワーク主導のＰＤＵセッション確立手続きの手順の例を説明する。第１のネットワーク主導のＰＤＵセッション確立手続きは、コアネットワーク＿Ａ９０がＰＤＵセッション確立に用いるアクセスネットワークを選択し、ＵＥ＿Ａ１０との間にＰＤＵセッションを確立する手続きである。
【０５３２】
第１のネットワーク主導のＰＤＵセッション確立手続きは、ＰＧＷ＿Ａ３０主導の手続きとＳＣＥＦ＿Ａ４６主導の手続きとＭＭＥ＿Ａ４０主導の手続きがある。なお、ＰＧＷ
＿Ａ３０主導の手続きでは、Ｓ２１００からＳ２１０２までの手続きを実施し、ＳＣＥＦ＿Ａ４６主導の手続きでは、Ｓ２１０４からＳ２１０６までの手続きを実施する。また、ＭＭＥ＿Ａ４０主導の手続きではＳ２１００からＳ２１０６までの手続きをせず、Ｓ２１０８の手続きから開始する。もしくは、ＭＭＥ＿Ａ４０は、ネットワーク主導でセッションを生成するための制御メッセージをＰＧＷ＿Ａ３０に送信し、ＰＧＷ＿Ａは、ＭＭＥ＿Ａ４０が送信する制御メッセージの受信に基づいて、ＰＧＷ＿Ａ３０主導の手続きを開始してもよい。同様に、ＭＭＥ＿Ａ４０は、ネットワーク主導でセッションを生成するための制御メッセージをＳＣＥＦ＿Ａ４６に送信し、ＳＣＥＦ＿Ａ４６は、ＭＭＥ＿Ａ４０が送信する制御メッセージの受信に基づいて、ＳＣＥＦ＿Ａ４６に主導の手続きを開始してもよい。その場合、ＭＭＥ＿Ａ４０はアクセスネットワークの選択（Ｓ２１０８）の処理を制御メッセージの送信前に実行しても良い。なお、ＭＭＥ＿Ａ４０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を制御メッセージに含めて送信してもよい。
【０５３３】
まず、Ｓ２１００からＳ２１０６までの手続きについて各ステップを説明する。
【０５３４】
ＰＧＷ＿Ａ３０主導の手続きの場合、ＰＧＷ＿Ａ３０は、ＳＧＷ＿Ａ３５にセッション生成要求メッセージを送信する（Ｓ２１００）。ＰＧＷ＿Ａ３０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を、セッション生成要求メッセージに含めて送信してもよい。
【０５３５】
ＳＧＷ＿Ａ３５は、ＰＧＷ＿Ａ３０が送信したセッション生成要求メッセージを受信する。さらに、ＳＧＷ＿Ａ３５は、セッション生成要求メッセージの受信に基づき、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を取得する。なお、ＳＧＷ＿Ａ３５は取得した識別情報を記憶してもよい。
【０５３６】
ＳＧＷ＿Ａ３５は、ＭＭＥ＿Ａ４０にセッション生成要求メッセージを送信する（Ｓ２１０２）。ＳＧＷ＿Ａ３５は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を、セッション生成要求メッセージに含めて送信してもよい。
【０５３７】
ＭＭＥ＿Ａ４０は、ＳＧＷ＿Ａ３５が送信したセッション生成要求メッセージを受信する。さらに、ＭＭＥ＿Ａ４０は、セッション生成要求メッセージの受信に基づき、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を取得する。なお、ＭＭＥ＿Ａ４０は取得した識別情報を記憶してもよい。
【０５３８】
次に、ＳＣＥＦ＿Ａ４６主導の手続きの場合、ＳＣＥＦ＿Ａ４６は、ＨＳＳ＿Ａ５０との間でＭＭＥ情報取得手続きを実施する（Ｓ２１０４）。ＳＣＥＦ＿Ａ４６は、ＭＭＥ情報取得手続きに基づき、ＰＤＵセッションの確立に用いるＭＭＥ＿Ａ４０を選択、決定し、ＭＭＥ＿Ａ４０の情報を取得する。なお、ＳＣＥＦ＿Ａ４６は、ＭＭＥ情報取得手続き
ではなく他の方法で、ＰＤＵセッションの確立に用いるＭＭＥ＿Ａ４０を選択、決定してもよい。
【０５３９】
ＳＣＥＦ＿Ａ４６は、ＰＤＵセッションの確立に用いるＭＭＥ＿Ａ４０の選択、決定に基づき、ＳＧＷ＿Ａ３５にセッション生成要求メッセージを送信する（Ｓ２１０６）。ＰＧＷ＿Ａ３０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を、セッション生成要求メッセージに含めて送信してもよい。
【０５４０】
ＭＭＥ＿Ａ４０は、ＳＣＥＦ＿Ａ４６が送信したセッション生成要求メッセージを受信する。さらに、ＭＭＥ＿Ａ４０は、セッション生成要求メッセージの受信に基づき、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を取得する。なお、ＭＭＥ＿Ａ４０は取得した識別情報を記憶してもよい。
【０５４１】
以上により、Ｓ２１００からＳ２１０６までの手続きが終了する。
【０５４２】
次に、ＭＭＥ＿Ａ４０は、確立するＰＤＵセッションに用いるアクセスネットワークを選択する（Ｓ２１０８）。なお、ＭＭＥ＿Ａ４０は、セッション生成要求メッセージの受信に基づいて、アクセスネットワークの選択を実施してもよいし、オペレータポリシーの更新や任意のタイミングでアクセスネットワークの選択を実施してもよい。また、ＭＭＥ＿Ａ４０は、アクセスネットワークの選択に、アタッチ手続き等の手続きにおいてＵＥ＿Ａ１０から取得した情報を用いてもよいし、オペレータポリシーを用いてもよいし、ＭＭＥ＿Ａ４０が記憶している情報を用いてもよい。
【０５４３】
ＭＭＥ＿Ａ４０は、確立するＰＤＵセッションに用いるアクセスネットワークの選択に基づいて、ＵＥ＿Ａ１０にＰＤＵセッション確立要求メッセージを送信する（Ｓ２１１０）。ＭＭＥ＿Ａ４０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を、ＰＤＵセッション確立要求メッセージに含めて送信してもよい。
【０５４４】
ＭＭＥ＿Ａ４０、及び／又はコアネットワーク＿Ａ９０は、第１７の識別情報、第１９の識別情報、第２１の識別情報、第２３の識別情報、第２５の識別情報、第２７の識別情報のうち１つ以上の識別情報を含めてＰＤＵセッション確立要求メッセージを送信することにより、サポートするサービス継続（Ｓｅｒｖｉｃｅ  Ｃｏｎｔｉｎｕｉｔｙ）の能力を示してもよい。ＭＭＥ＿Ａ４０、及び／又はコアネットワーク＿Ａ９０は、第６から第１０の識別情報のうち１つ以上の識別情報を含めてＰＤＵセッション確立要求メッセージを送信することにより、確立するＰＤＵセッションの種類をより詳細に要求してもよい。
【０５４５】
なお、ＭＭＥ＿Ａ４０は、ＰＤＵセッション確立要求メッセージを選択されたアクセスネットワーク中の装置に送信してもよく、送信されたＰＤＵセッション確立要求メッセージはアクセスネットワーク中の装置を介してＵＥ＿Ａ１０に転送されてもよい。その場合、アクセスネットワーク中の装置は、ＰＤＵセッション確立要求メッセージをＲＲＣメッセージに含めて送信してもよい。なお、ＲＲＣメッセージは、ＲＲＣコネクション再設定要求メッセージであってよい。
【０５４６】
ＵＥ＿Ａ１０は、ＭＭＥ＿Ａ４０が送信したＰＤＵセッション確立要求メッセージ、及び／又はアクセスネットワーク中の装置が送信したＲＲＣメッセージを受信する。さらに、ＵＥ＿Ａ１０は、ＰＤＵセッション確立要求メッセージの受信に基づき、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を取得する。なお、ＵＥ＿Ａ１０は取得した識別情報を記憶してもよい。
【０５４７】
ＵＥ＿Ａ１０は、ＰＤＵセッション確立要求メッセージの受信、及び又は、ＰＤＵセッション確立要求メッセージに含まれる情報に基づいてサポートされたサービス継続（Ｓｅｒｖｉｃｅ  Ｃｏｎｔｉｎｕｉｔｙ）の種類を認識してもよいし、ＰＤＵセッションが確立されたことを認識してもよい。
【０５４８】
より詳細には、ＵＥ＿Ａ１０は、第１７の識別情報に基づいて、第１のシングルタイプのＰＤＵセッションの確立がネットワークによってサポートされていることを認識してもよいし、第１９の識別情報に基づいて、第２のシングルタイプのＰＤＵセッションの確立がネットワークによってサポートされていることを認識してもよいし、第２１の識別情報に基づいて、第３のシングルタイプのＰＤＵセッションの確立がネットワークによってサポートされていることを認識してもよい。
【０５４９】
さらに、ＵＥ＿Ａ１０は、第２３の識別情報に基づいて、第１のマルチタイプのＰＤＵセッションの確立がネットワークによってサポートされていることを認識してもよいし、第２５の識別情報に基づいて、第２のマルチタイプのＰＤＵセッションの確立がネットワークによってサポートされていることを認識してもよいし、第２７の識別情報に基づいて、第３のマルチタイプのＰＤＵセッションの確立がネットワークによってサポートされていることを認識してもよい。
【０５５０】
また、ＵＥ＿Ａ１０は、第６から第１０の識別情報のうち１つ以上の識別情報に基づいて、確立されるＰＤＵセッションの種類をより詳細に認識してもよい。例えば、ＵＥ＿Ａ１０は、第７の識別情報に基づいて、ＵＥ＿Ａ１０に割り当てられるＩＰアドレスを認識してもよい。
【０５５１】
また、ＵＥ＿Ａ１０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０５５２】
ＵＥ＿Ａ１０は、ＰＤＵセッション確立要求メッセージの受信に基づいて、ＭＭＥ＿Ａ４０にＰＤＵセッション確立受諾メッセージを送信する（Ｓ２１１２）。ＵＥ＿Ａ１０は、すくなくとも、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を、ＰＤＵセッション確立受諾メッセージに含めて送信してもよい。
【０５５３】
なお、ＵＥ＿Ａ１０は、ＰＤＵセッション確立受諾メッセージをアクセスネットワーク中の装置に送信してもよく、送信されたＰＤＵセッション確立受諾メッセージはアクセスネットワーク中の装置を介してＭＭＥ＿Ａ４０に転送されてもよい。その場合、ＵＥ＿Ａ１０は、ＰＤＵセッション確立受諾メッセージをＲＲＣメッセージに含めて送信してもよい。なお、ＲＲＣメッセージは、ダイレクトトランスファーメッセージであってよい。
【０５５４】
また、ＵＥ＿Ａ１０は、ＲＲＣメッセージの受信に基づいて、ＰＤＵセッション確立受諾メッセージの送信とは別に、ＲＲＣメッセージをアクセスネットワーク中の装置に送信してもよい。この場合、ＲＲＣメッセージは、ＲＲＣコネクション再設定完了メッセージであってよい。
【０５５５】
ＭＭＥ＿Ａ４０は、ＵＥ＿Ａ１０が送信したＰＤＵセッション確立受諾メッセージを受信する。さらに、ＭＭＥ＿Ａ４０は、ＰＤＵセッション確立受諾メッセージの受信に基づき、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を取得する。なお、ＭＭＥ＿Ａ４０は取得した識別情報を記憶してもよい。
【０５５６】
ＭＭＥ＿Ａ４０は、ＰＤＵセッション確立受諾メッセージの受信、及び又は、ＰＤＵセッション確立受諾メッセージに含まれる情報に基づいてサポートされたサービス継続（Ｓｅｒｖｉｃｅ  Ｃｏｎｔｉｎｕｉｔｙ）の種類を認識してもよいし、ＰＤＵセッションが確立されたことを認識してもよい。
【０５５７】
より詳細には、ＭＭＥ＿Ａ４０は、第１６の識別情報に基づいて、第１のシングルタイプのＰＤＵセッションの確立がＵＥ＿Ａ１０によってサポートされていることを認識してもよいし、第１８の識別情報に基づいて、第２のシングルタイプのＰＤＵセッションの確立がＵＥ＿Ａ１０によってサポートされていることを認識してもよいし、第２０の識別情報に基づいて、第３のシングルタイプのＰＤＵセッションの確立がＵＥ＿Ａ１０によってサポートされていることを認識してもよい。
【０５５８】
さらに、ＭＭＥ＿Ａ４０は、第２２の識別情報に基づいて、第１のマルチタイプのＰＤＵセッションの確立がＵＥ＿Ａ１０によってサポートされていることを認識してもよいし、第２４の識別情報に基づいて、第２のマルチタイプのＰＤＵセッションの確立がＵＥ＿Ａ１０によってサポートされていることを認識してもよいし、第２６の識別情報に基づいて、第３のマルチタイプのＰＤＵセッションの確立がＵＥ＿Ａ１０によってサポートされていることを認識してもよい。
【０５５９】
また、ＭＭＥ＿Ａ４０は、第１１から第１５の識別情報のうち１つ以上の識別情報に基づいて、確立されるＰＤＵセッションの種類をより詳細に認識してもよい。例えば、ＭＭＥ＿Ａ４０は、第１２の識別情報に基づいて、ＵＥ＿Ａ１０に割り当てられるＩＰアドレスを認識してもよい。
【０５６０】
また、ＭＭＥ＿Ａ４０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０５６１】
次に、ＭＭＥ＿Ａ４０は、ＰＤＵセッション確立受諾メッセージの受信に基づき、セッション生成応答メッセージを送信する。
【０５６２】
第１のネットワーク主導のＰＤＵセッション確立手続きが、ＰＧＷ＿Ａ３０主導である場合、ＭＭＥ＿Ａ４０は、ＰＤＵセッション確立受諾メッセージの受信に基づき、ＳＧＷ＿Ａ３５にセッション生成応答メッセージを送信する（Ｓ２１１４）。ＭＭＥ＿Ａ４０は、すくなくとも、第１１の識別情報、第１２の識別情報、第１３の識別情報、第１４の識
別情報、第１５の識別情報、第１６の識別情報、第１８の識別情報、第２０の識別情報、第２２の識別情報、第２４の識別情報、第２６の識別情報のうち１つ以上の識別情報をセッション生成応答メッセージに含めて送信してもよい。
【０５６３】
ＳＧＷ＿Ａ３５は、ＭＭＥ＿Ａ４０が送信したセッション生成応答メッセージを受信する。さらに、ＳＧＷ＿Ａ３５は、セッション生成応答メッセージの受信に基づき、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を取得する。なお、ＳＧＷ＿Ａ３５は取得した識別情報を記憶してもよい。
【０５６４】
ＳＧＷ＿Ａ３５は、セッション生成応答メッセージの受信に基づき、ＰＧＷ＿Ａ３０にセッション生成応答メッセージを送信する（Ｓ２１１６）。ＳＧＷ＿Ａ３５は、すくなくとも、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報をセッション生成応答メッセージに含めて送信してもよい。
【０５６５】
ＰＧＷ＿Ａ３０は、ＳＧＷ＿Ａ３５が送信したセッション生成応答メッセージを受信する。さらに、ＰＧＷ＿Ａ３０は、セッション生成応答メッセージの受信に基づき、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を取得する。なお、ＰＧＷ＿Ａ３０は取得した識別情報を記憶してもよい。
【０５６６】
また、第１のネットワーク主導のＰＤＵセッション確立手続きが、ＳＣＥＦ＿Ａ４６主導である場合、ＭＭＥ＿Ａ４０は、ＰＤＵセッション確立受諾メッセージの受信に基づき、ＳＣＥＦ＿Ａ４６にセッション生成応答メッセージを送信する。（Ｓ２１１８）。ＭＭＥ＿Ａ４０は、すくなくとも、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報をセッション生成応答メッセージに含めて送信してもよい。
【０５６７】
ＳＣＥＦ＿Ａ４６は、ＭＭＥ＿Ａ４０が送信したセッション生成応答メッセージを受信する。さらに、ＳＣＥＦ＿Ａ４６は、セッション生成応答メッセージの受信に基づき、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を取得する。なお、ＳＣＥＦ＿Ａ４６は取得した識別情報を記憶してもよい。
【０５６８】
また、第１のネットワーク主導のＰＤＵセッション確立手続きが、ＭＭＥ＿Ａ４０主導である場合、Ｓ２１１４からＳ２１１８の手続きは省略してもよい。
【０５６９】
以上の手順により、第１のネットワーク主導のＰＤＵセッション確立手続きを完了する。第１のネットワーク主導のＰＤＵセッション確立手続きの完了に伴い、ＵＥ＿Ａ１０、及び又は、コアネットワーク＿Ａ９０は、ＰＤＵセッションを確立することができる。また、第１のネットワーク主導のＰＤＵセッション確立手続きの完了に伴い、ＵＥ＿Ａ１０、及び又は、コアネットワーク＿Ａ９０は、サポートされたサービス継続（Ｓｅｒｖｉｃｅ  Ｃｏｎｔｉｎｕｉｔｙ）の種類を認識、記憶することができる。
【０５７０】
具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第１６の識別情報、及び／又は第１７の識別情報に基づいて、第１のシングルタイプのＰＤＵセッションの確立がサポートされていることを認識してもよいし、第１８の識別情報、及び／又は第１９の識別情報に基づいて、第２のシングルタイプのＰＤＵセッションの確立がサポートされていることを認識してもよいし、第２０の識別情報、及び／又は第２１の識別情報に基づいて、第３のシングルタイプのＰＤＵセッションの確立がサポートされていることを認識してもよい。
【０５７１】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２２の識別情報、及び／又は第２３の識別情報に基づいて、第１のマルチタイプのＰＤＵセッションの確立がサポートされていることを認識してもよいし、第２４の識別情報、及び／又は第２５の識別情報に基づいて、第２のマルチタイプのＰＤＵセッションの確立がサポートされていることを認識してもよいし、第２６の識別情報、及び／又は第２７の識別情報に基づいて、第３のマルチタイプのＰＤＵセッションの確立がサポートされていることを認識してもよい。
【０５７２】
［１．３．２．２．２．第２のネットワーク主導のＰＤＵセッション確立手続き例］
次に、図２２を用いて第２のネットワーク主導のＰＤＵセッション確立手続きの手順の例を説明する。第２のネットワーク主導のＰＤＵセッション確立手続きは、ＵＥ＿Ａ１０がＰＤＵセッション確立に用いるアクセスネットワークを選択し、ＵＥ＿Ａ１０とコアネットワーク＿Ａ９０との間にＰＤＵセッションを確立する手続きである。
【０５７３】
第２のネットワーク主導のＰＤＵセッション確立手続きは、ＰＧＷ＿Ａ３０主導の手続きとＳＣＥＦ＿Ａ４６主導の手続きとＭＭＥ＿Ａ４０主導の手続きがある。なお、ＰＧＷ＿Ａ３０主導の手続きでは、Ｓ２２００からＳ２２０２までの手続きを実施し、ＳＣＥＦ＿Ａ４６主導の手続きでは、Ｓ２２０４からＳ２２０６までの手続きを実施する。また、ＭＭＥ＿Ａ４０主導の手続きではＳ２２００からＳ２２０６までの手続きをせず、Ｓ２１０８の手続きから開始する。もしくは、ＭＭＥ＿Ａ４０は、ネットワーク主導でセッションを生成するための制御メッセージをＰＧＷ＿Ａ３０に送信し、ＰＧＷ＿Ａは、ＭＭＥ＿Ａ４０が送信する制御メッセージの受信に基づいて、ＰＧＷ＿Ａ３０主導の手続きを開始してもよい。同様に、ＭＭＥ＿Ａ４０は、ネットワーク主導でセッションを生成するための制御メッセージをＳＣＥＦ＿Ａ４６に送信し、ＳＣＥＦ＿Ａ４６は、ＭＭＥ＿Ａ４０が送信する制御メッセージの受信に基づいて、ＳＣＥＦ＿Ａ４６に主導の手続きを開始してもよい。その場合、ＭＭＥ＿Ａ４０はアクセスネットワークの選択（Ｓ２１０８）の処理を制御メッセージの送信前に実行しても良い。なお、ＭＭＥ＿Ａ４０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を制御メッセージに含めて送信してもよい。
【０５７４】
なお、Ｓ２２００からＳ２２０６までの手続きは、第１のネットワーク主導のＰＤＵセッション確立手続き中のＳ２１００からＳ２１０６までの手続きと同じであってよい。従ってここでの説明は省略する。
【０５７５】
次に、ＭＭＥ＿Ａ４０は、ＵＥ＿Ａ１０に第１のＰＤＵセッション確立要求メッセージを送信する（Ｓ２２０８）。ＭＭＥ＿Ａ４０は、すくなくとも、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を、第１のＰＤＵセッション確立要求
メッセージに含めて送信してもよい。
【０５７６】
ＭＭＥ＿Ａ４０、及び／又はコアネットワーク＿Ａ９０は、第１７の識別情報、第１９の識別情報、第２１の識別情報、第２３の識別情報、第２５の識別情報、第２７の識別情報のうち１つ以上の識別情報を含めて第１のＰＤＵセッション確立要求メッセージを送信することにより、サポートするサービス継続（Ｓｅｒｖｉｃｅ  Ｃｏｎｔｉｎｕｉｔｙ）の能力を示してもよい。ＭＭＥ＿Ａ４０、及び／又はコアネットワーク＿Ａ９０は、第６から第１０の識別情報のうち１つ以上の識別情報を含めて第１のＰＤＵセッション確立要求メッセージを送信することにより、確立するＰＤＵセッションの種類をより詳細に要求してもよい。
【０５７７】
なお、ＭＭＥ＿Ａ４０は、第１のＰＤＵセッション確立要求メッセージをアクセスネットワークＡ中の装置に送信してもよく、送信された第１のＰＤＵセッション確立要求メッセージはアクセスネットワークＡ中の装置を介してＵＥ＿Ａ１０に転送されてもよい。その場合、アクセスネットワークＡ中の装置は、第１のＰＤＵセッション確立要求メッセージをＲＲＣメッセージに含めて送信してもよい。なお、ＲＲＣメッセージは、ダイレクトトランスファーメッセージであってよい。
【０５７８】
ここで、第１のＰＤＵセッション確立要求メッセージを送信するために用いるアクセスネットワークを、アクセスネットワークＡと定義する。アクセスネットワークＡは、ＭＭＥ＿Ａ４０が選択したアクセスネットワークであってもよく、別の装置が選択したアクセスネットワークであってもよい。
【０５７９】
ＵＥ＿Ａ１０は、ＭＭＥ＿Ａ４０が送信した第１のＰＤＵセッション確立要求メッセージ、及び／又はアクセスネットワーク中の装置が送信したＲＲＣメッセージを受信する。さらに、ＵＥ＿Ａ１０は、第１のＰＤＵセッション確立要求メッセージの受信に基づき、第２の識別情報、第６の識別情報、第７の識別情報、第８の識別情報、第９の識別情報、第１０の識別情報、第１７の識別情報、第１９の識別情報、第２１の識別情報、第２３の識別情報、第２５の識別情報、第２７の識別情報のうち１つ以上の識別情報を取得する。なお、ＵＥ＿Ａ１０は取得した識別情報を記憶してもよい。
【０５８０】
ＵＥ＿Ａ１０は、第１のＰＤＵセッション確立要求メッセージの受信に基づいて、確立するＰＤＵセッションに用いるアクセスネットワークを選択する（Ｓ２２１０）。なお、ＵＥ＿Ａ１０は、アクセスネットワークの選択に、第１のＰＤＵセッション確立要求メッセージで受信した情報を用いてもよいし、アタッチ手続きにおいてネットワークから取得した情報を用いてもよいし、アタッチ手続き以外でネットワークから取得した情報を用いてもよいし、ＵＥ＿Ａ１０が記憶している情報を用いてもよい。
【０５８１】
ここで、確立するＰＤＵセッションに用いるアクセスネットワークを、アクセスネットワークＢと定義する。アクセスネットワークＢは、アクセスネットワークＡと同じアクセスネットワークであってもよいし、異なるアクセスネットワークであってもよい。さらに、アクセスネットワークＢは、ＵＥ＿Ａ１０が選択したアクセスネットワークであってもよく、別の装置が選択したアクセスネットワークであってもよい。
【０５８２】
言い換えると、ＵＥ＿Ａ１０は、第１のＰＤＵセッション確立要求メッセージの受信に基づいて、確立するＰＤＵセッションに用いるアクセスネットワークを選択しなくてもよい。
【０５８３】
また、ＵＥ＿Ａ１０は、第１のＰＤＵセッション確立要求メッセージの受信、及び又は、第１のＰＤＵセッション確立要求メッセージに含まれる情報に基づいてサポートされた
サービス継続（Ｓｅｒｖｉｃｅ  Ｃｏｎｔｉｎｕｉｔｙ）の種類を認識してもよいし、ＰＤＵセッションが確立されたことを認識してもよい。
【０５８４】
より詳細には、ＵＥ＿Ａ１０は、第１７の識別情報に基づいて、第１のシングルタイプのＰＤＵセッションの確立がネットワークによってサポートされていることを認識してもよいし、第１９の識別情報に基づいて、第２のシングルタイプのＰＤＵセッションの確立がネットワークによってサポートされていることを認識してもよいし、第２１の識別情報に基づいて、第３のシングルタイプのＰＤＵセッションの確立がネットワークによってサポートされていることを認識してもよい。
【０５８５】
さらに、ＵＥ＿Ａ１０は、第２３の識別情報に基づいて、第１のマルチタイプのＰＤＵセッションの確立がネットワークによってサポートされていることを認識してもよいし、第２５の識別情報に基づいて、第２のマルチタイプのＰＤＵセッションの確立がネットワークによってサポートされていることを認識してもよいし、第２７の識別情報に基づいて、第３のマルチタイプのＰＤＵセッションの確立がネットワークによってサポートされていることを認識してもよい。
【０５８６】
また、ＵＥ＿Ａ１０は、第６から第１０の識別情報のうち１つ以上の識別情報に基づいて、確立されるＰＤＵセッションの種類をより詳細に認識してもよい。例えば、ＵＥ＿Ａ１０は、第７の識別情報に基づいて、ＵＥ＿Ａ１０に割り当てられるＩＰアドレスを認識してもよい。
【０５８７】
また、ＵＥ＿Ａ１０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０５８８】
ＵＥ＿Ａ１０は、ＰＤＵセッション確立要求メッセージの受信、及び／又はアクセスネットワークの選択に基づいて、ＭＭＥ＿Ａ４０に第２のＰＤＵセッション確立要求メッセージを送信する（Ｓ２２１２）。ＵＥ＿Ａ１０は、すくなくとも、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を、第２のＰＤＵセッション確立要求メッセージに含めて送信してもよい。
【０５８９】
なお、ＵＥ＿Ａ１０は、第２のＰＤＵセッション確立要求メッセージをアクセスネットワークＢ中の装置に送信してもよく、送信された第２のＰＤＵセッション確立要求メッセージはアクセスネットワークＢ中の装置を介してＭＭＥ＿Ａ４０に転送されてもよい。その場合、ＵＥ＿Ａ１０は、第２のＰＤＵセッション確立要求メッセージをＲＲＣメッセージに含めて送信してもよい。
【０５９０】
さらに、ＵＥ＿Ａ１０は、第２のＰＤＵセッション確立要求メッセージとは別に、第１のＰＤＵセッション確立要求メッセージに対する応答メッセージをＭＭＥ＿Ａ４０に送信してもよいし、送信しなくてもよい。また、ＭＭＥ＿Ａ４０は、ＵＥ＿Ａ１０が送信した第１のＰＤＵセッション確立要求メッセージに対する応答メッセージを受信してもよいし、送信しなくてもよい。なお、ＵＥ＿Ａ１０は、第１のＰＤＵセッション確立要求メッセージに対する応答メッセージをアクセスネットワークＡ中の装置に送信してもよく、送信された第１のＰＤＵセッション確立要求メッセージに対する応答メッセージは、アクセスネットワークＡ中の装置を介してＭＭＥ＿Ａ４０に転送されてもよい。
【０５９１】
ＭＭＥ＿Ａ４０は、ＵＥ＿Ａ１０が送信した第２のＰＤＵセッション確立要求メッセージを受信する。さらに、ＭＭＥ＿Ａ４０は、第２のＰＤＵセッション確立要求メッセージの受信に基づき、第１１の識別情報、第１２の識別情報、第１３の識別情報、第１４の識別情報、第１５の識別情報、第１６の識別情報、第１８の識別情報、第２０の識別情報、第２２の識別情報、第２４の識別情報、第２６の識別情報のうち１つ以上の識別情報を取得する。なお、ＭＭＥ＿Ａ４０は取得した識別情報を記憶してもよい。
【０５９２】
ＭＭＥ＿Ａ４０は、第２のＰＤＵセッション確立要求メッセージの受信、及び又は、第２のＰＤＵセッション確立要求メッセージに含まれる情報に基づいてサポートされたサービス継続（Ｓｅｒｖｉｃｅ  Ｃｏｎｔｉｎｕｉｔｙ）の種類を認識してもよいし、ＰＤＵセッションが確立されたことを認識してもよい。
【０５９３】
より詳細には、ＭＭＥ＿Ａ４０は、第１６の識別情報に基づいて、第１のシングルタイプのＰＤＵセッションの確立がＵＥ＿Ａ１０によってサポートされていることを認識してもよいし、第１８の識別情報に基づいて、第２のシングルタイプのＰＤＵセッションの確立がＵＥ＿Ａ１０によってサポートされていることを認識してもよいし、第２０の識別情報に基づいて、第３のシングルタイプのＰＤＵセッションの確立がＵＥ＿Ａ１０によってサポートされていることを認識してもよい。
【０５９４】
さらに、ＭＭＥ＿Ａ４０は、第２２の識別情報に基づいて、第１のマルチタイプのＰＤＵセッションの確立がＵＥ＿Ａ１０によってサポートされていることを認識してもよいし、第２４の識別情報に基づいて、第２のマルチタイプのＰＤＵセッションの確立がＵＥ＿Ａ１０によってサポートされていることを認識してもよいし、第２６の識別情報に基づいて、第３のマルチタイプのＰＤＵセッションの確立がＵＥ＿Ａ１０によってサポートされていることを認識してもよい。
【０５９５】
また、ＭＭＥ＿Ａ４０は、第１１から第１５の識別情報のうち１つ以上の識別情報に基づいて、確立されるＰＤＵセッションの種類をより詳細に認識してもよい。例えば、ＭＭＥ＿Ａ４０は、第１２の識別情報に基づいて、ＵＥ＿Ａ１０に割り当てられるＩＰアドレスを認識してもよい。
【０５９６】
また、ＭＭＥ＿Ａ４０は、第６から第１５の識別情報のうち１つ以上の識別情報を確立されるＰＤＵセッションに対応づけて記憶してもよい。言い換えると、確立されるＰＤＵセッションは、第６から第１５の識別情報のうち１つ以上の識別情報に対応づけられていてもよい。例えば、確立されるＰＤＵセッションは、ＵＥ＿Ａ１０に割り当てられるＩＰアドレスに対応づけられていてもよい。
【０５９７】
次に、ＭＭＥ＿Ａ４０は、第２のＰＤＵセッション確立要求メッセージの受信に基づき、セッション生成応答メッセージを送信する。
【０５９８】
第２のネットワーク主導のＰＤＵセッション確立手続きが、ＰＧＷ＿Ａ３０主導である場合、Ｓ２２１４からＳ２２１６までの手続きを実施し、ＳＣＥＦ＿Ａ４６主導の手続きである場合は、Ｓ２２１８までの手続きを実施する。
【０５９９】
なお、Ｓ２２１４からＳ２２１８までの手続きは、第１のネットワーク主導のＰＤＵセッション確立手続き中のＳ２１１４からＳ２１１８までの手続きと同じであってよい。従ってここでの説明は省略する。
【０６００】
また、ＭＭＥ＿Ａ４０は、第２のＰＤＵセッション確立要求メッセージの受信、及び／
又はセッション生成応答メッセージの送信に基づいて、ＰＤＵセッション確立受諾メッセージをＵＥ＿Ａ１０に送信する（Ｓ２２２０）。
【０６０１】
なお、ＭＭＥ＿Ａ４０は、ＰＤＵセッション確立受諾メッセージをアクセスネットワークＢ中の装置に送信してもよく、送信されたＰＤＵセッション確立受諾メッセージはアクセスネットワークＢ中の装置を介してＵＥ＿Ａ１０に転送されてもよい。その場合、アクセスネットワークＢ中の装置は、ＰＤＵセッション確立受諾メッセージをＲＲＣメッセージに含めて送信してもよい。
【０６０２】
ＵＥ＿Ａ１０は、ＭＭＥ＿Ａ４０が送信したＰＤＵセッション確立受諾メッセージ、及び／又はアクセスネットワーク中の装置が送信したＲＲＣメッセージを受信する。
【０６０３】
ＵＥ＿Ａ１０は、ＰＤＵセッション確立受諾メッセージの受信に基づいて、ＰＤＵセッション確立完了メッセージをＭＭＥ＿Ａ４０に送信してもよいし、ＲＲＣメッセージの受信に基づいて、ＲＲＣメッセージをアクセスネットワークＢ内の装置に送信してもよい。
【０６０４】
以上の手順により、第２のネットワーク主導のＰＤＵセッション確立手続きを完了する。第２のネットワーク主導のＰＤＵセッション確立手続きの完了に伴い、ＵＥ＿Ａ１０、及び又は、コアネットワーク＿Ａ９０は、ＰＤＵセッションを確立することができる。また、第２のネットワーク主導のＰＤＵセッション確立手続きの完了に伴い、ＵＥ＿Ａ１０、及び又は、コアネットワーク＿Ａ９０は、サポートされたサービス継続（Ｓｅｒｖｉｃｅ  Ｃｏｎｔｉｎｕｉｔｙ）の種類を認識、記憶することができる。
【０６０５】
具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第１６の識別情報、及び／又は第１７の識別情報に基づいて、第１のシングルタイプのＰＤＵセッションの確立がサポートされていることを認識してもよいし、第１８の識別情報、及び／又は第１９の識別情報に基づいて、第２のシングルタイプのＰＤＵセッションの確立がサポートされていることを認識してもよいし、第２０の識別情報、及び／又は第２１の識別情報に基づいて、第３のシングルタイプのＰＤＵセッションの確立がサポートされていることを認識してもよい。
【０６０６】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第２２の識別情報、及び／又は第２３の識別情報に基づいて、第１のマルチタイプのＰＤＵセッションの確立がサポートされていることを認識してもよいし、第２４の識別情報、及び／又は第２５の識別情報に基づいて、第２のマルチタイプのＰＤＵセッションの確立がサポートされていることを認識してもよいし、第２６の識別情報、及び／又は第２７の識別情報に基づいて、第３のマルチタイプのＰＤＵセッションの確立がサポートされていることを認識してもよい。
【０６０７】
［１．３．３．フロー切替え手続き例］
次に、フロー切替え手続きの例について説明する。
【０６０８】
フロー切替え手続きは、ＵＥ＿Ａ１０、及び／又はコアネットワーク＿Ａ９０が、ユーザデータの送受信に用いるＰＤＵセッションを切替えための手続きである。ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、フロー切替え手続きにより、ユーザデータの送受信に用いるＰＤＵセッションを切替えることができる。なお、ＰＤＵセッションを切替えるユーザデータの粒度は、パケット単位であってもよく、フロー単位であってもよく、アプリケーション単位であってもよい。また、ＰＤＵセッションを切替えるユーザデータの粒度は
これに限らない。また、フロー切替え手続きは、複数のＰＤＵセッションが確立された後であれば、任意のタイミングで実行されてよい。
【０６０９】
なお、フロー切替え手続きはＵＥ＿Ａ１０が主導して開始するＵＥ主導のフロー切替え手続きとネットワーク主導のフロー切替え手続きがある。
【０６１０】
［１．３．３．１．ＵＥ主導のフロー切替え手続き例］
次に、ＵＥ主導のフロー切替え手続きの手順の例を説明する。なお、ＵＥ主導のフロー切替え手続きは、ＵＥ主導で、ユーザデータの送受信に用いるＰＤＵセッションを切替えための手続きである。
【０６１１】
図２３を用いてＵＥ主導のフロー切替え手続きの手順の例を説明する。
【０６１２】
ＵＥ＿Ａ１０は、選択したアクセスネットワークを介してＭＭＥ＿Ａ４０にフロー変更要求メッセージを送信する（Ｓ２３００）。なお、ＵＥ＿Ａ１０はフロー変更要求メッセージをアクセスネットワーク中の装置に送信し、送信されたフロー変更要求メッセージは選択したアクセスネットワークの装置を介してＭＭＥ＿Ａ４０に転送されてもよい。ＵＥ＿Ａ１０は、フロー変更要求メッセージに、第４４の識別情報を含めて送信してもよい。
【０６１３】
ＭＭＥ＿Ａ４０は、ＵＥ＿Ａ１０が送信したフロー変更要求メッセージを受信する。さらに、フロー変更要求メッセージの受信に基づいて、第４４の識別情報を取得してもよい。なお、ＭＭＥ＿Ａ４０は、取得した識別情報を記憶してもよい。
【０６１４】
ＭＭＥ＿Ａ４０は、フロー変更メッセージの受信、及び／又は第４４の識別情報に基づいて、切替え元のＰＤＵセッションを識別してもよいし、切替え先のＰＤＵセッションを識別してもよい。
【０６１５】
ＭＭＥ＿Ａ４０は、フロー変更メッセージの受信、及び／又は第４４の識別情報に基づいて、切替え元、及び／又は切替え先のＰＤＵセッションを確立している装置に対してリソース変更要求メッセージを送信する。
【０６１６】
具体的には、切替え元、及び／又は切替え先のＰＤＵセッションを確立している装置が、ＳＧＷ＿Ａ３５、及び／又はＰＧＷ＿Ａ３０の場合、ＭＭＥ＿Ａ４０はＳＧＷ＿Ａ３５にリソース変更要求メッセージを送信する（Ｓ２３０２）。また、切替え元、及び／又は切替え先のＰＤＵセッションを確立している装置が、ＳＣＥＦ＿Ａ４６の場合、ＭＭＥ＿Ａ４０はＳＣＥＦ＿Ａ４６にリソース変更要求メッセージを送信する（Ｓ２３０６）。なお、ＭＭＥ＿Ａ４０は、すくなくとも、第４４の識別情報、及び／又は第４５の識別情報を含めて送信してもよい。
【０６１７】
ＳＧＷ＿Ａ３５、及び／又はＳＣＥＦ＿Ａ４６は、ＭＭＥ＿Ａ４０が送信したリソース変更要求メッセージを受信する。さらに、ＳＧＷ＿Ａ３５、及び／又はＳＣＥＦ＿Ａ４６は、リソース変更要求メッセージの受信に基づいて、第４４の識別情報、及び／又は第４５の識別情報を取得してもよい。なお、ＳＧＷ＿Ａ３５、及び／又はＳＣＥＦ＿Ａ４６は、取得した識別情報を記憶してもよい。
【０６１８】
なお、ＳＧＷ＿Ａ３５がリソース変更要求メッセージを受信した場合、ＳＧＷ＿Ａ３５は、ＰＧＷ＿Ａ３０にリソース変更要求メッセージを送信する（Ｓ２３０６）。なお、ＳＧＷ＿Ａ３５は、すくなくとも、第４４の識別情報、及び／又は第４５の識別情報を含めて送信してもよい。
【０６１９】
ＰＧＷ＿Ａ３０は、ＳＧＷ＿Ａ３５が送信したリソース変更要求メッセージを受信する。さらに、ＰＧＷ＿Ａ３０は、リソース変更要求メッセージの受信に基づいて、第４４の識別情報、及び／又は第４５の識別情報を取得してもよい。なお、ＰＧＷ＿Ａ３０は、取得した識別情報を記憶してもよい。
【０６２０】
ＰＧＷ＿Ａ３０、及び／又はＳＣＥＦ＿Ａ４６は、リソース変更要求メッセージの受信に基づき、後述するネットワーク主導のフロー切替え手続きを実施する（Ｓ２３０８）。具体的には、ＰＧＷ＿Ａ３０がリソース変更要求メッセージを受信した場合、ＰＧＷ＿Ａ３０主導でネットワーク主導のフロー切替え手続きを実施してもよく、ＳＣＥＦ＿Ａ４６がリソース変更要求メッセージを受信した場合、ＳＣＥＦ＿Ａ４６主導でネットワーク主導のフロー切替え手続きを実施してもよい。
【０６２１】
ＵＥ主導のセッション確立手続きによって、ネットワーク主導のフロー切替え手続きが実施された場合、セッション変更要求メッセージは、リソース変更要求メッセージに対する応答メッセージであってよく、ＰＤＵセッション変更要求メッセージは、フロー変更要求メッセージであってよい。また、セッション変更要求メッセージ、及び／又はＰＤＵセッション変更要求メッセージに含まれる第４６の識別情報は、第４５の識別情報であってもよい。
【０６２２】
以上の手順により、ＵＥ主導のフロー切替え手続きを完了する。ＵＥ主導のフロー切替え手続きの完了に伴い、ＵＥ＿Ａ１０、及び又は、コアネットワーク＿Ａ９０は、ユーザデータの送受信に用いるＰＤＵセッションを切替えることができる。
【０６２３】
具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第４４の識別情報、及び／又は第４５の識別情報に基づいて、切替え元、及び／又は切替え先のＰＤＵセッションを識別してもよいし、ユーザデータの送受信に用いるＰＤＵセッションを切替えてもよいし、ユーザデータの送受信に用いるＰＤＵセッションが切替えられたことを認識してもよい。
【０６２４】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第４４の識別情報、及び／又は第４５の識別情報に基づいて、切り替え元のＰＤＵセッションを削除せず、維持してもよい。
【０６２５】
［１．３．３．２．ネットワーク主導のフロー切替え手続き例］
次に、ネットワーク主導のフロー切替え手続きの手順の例を説明する。なお、ネットワーク主導のフロー切替え手続きは、ＰＧＷ＿Ａ３０、及び／又はＳＣＥＦ＿Ａ４６主導で、ユーザデータの送受信に用いるＰＤＵセッションを切替えための手続きである。
【０６２６】
図２４を用いてネットワーク主導のフロー切替え手続きの手順の例を説明する。
【０６２７】
ネットワーク主導のフロー切替え手続きは、ＰＧＷ＿Ａ３０主導の手続きとＳＣＥＦ＿Ａ４６主導の手続きがある。なお、ＰＧＷ＿Ａ３０主導の手続きでは、Ｓ２４００からＳ２４０２までの手続きを実施し、ＳＣＥＦ＿Ａ４６主導の手続きでは、Ｓ２４０４の手続きを実施する。もしくは、ＭＭＥ＿Ａ４０主導の手続きでは、ＭＭＥ＿Ａ４０は、ネットワーク主導でフローを切り替えるための制御メッセージをＰＧＷ＿Ａ３０に送信し、ＰＧＷ＿Ａは、ＭＭＥ＿Ａ４０が送信する制御メッセージの受信に基づいて、ＰＧＷ＿Ａ３０主導の手続きを開始してもよい。同様に、ＭＭＥ＿Ａ４０は、ネットワーク主導でフローを切り替えるための制御メッセージをＳＣＥＦ＿Ａ４６に送信し、ＳＣＥＦ＿Ａ４６は、
ＭＭＥ＿Ａ４０が送信する制御メッセージの受信に基づいて、ＳＣＥＦ＿Ａ４６に主導の手続きを開始してもよい。なお、ＭＭＥ＿Ａ４０は、すくなくとも、第４６の識別情報を制御メッセージに含めて送信してもよい。
【０６２８】
まず、Ｓ２４００からＳ２４０４までの手続きについて各ステップを説明する。
【０６２９】
ＰＧＷ＿Ａ３０主導の手続きの場合、ＰＧＷ＿Ａ３０は、ＳＧＷ＿Ａ３５にセッション変更要求メッセージを送信する（Ｓ２４００）。ＰＧＷ＿Ａ３０は、すくなくとも、第４６の識別情報を、セッション変更要求メッセージに含めて送信してもよい。
【０６３０】
ＳＧＷ＿Ａ３５は、ＰＧＷ＿Ａ３０が送信したセッション変更要求メッセージを受信する。さらに、ＳＧＷ＿Ａ３５は、セッション変更要求メッセージの受信に基づき、第４６の識別情報を取得する。なお、ＳＧＷ＿Ａ３５は取得した識別情報を記憶してもよい。
【０６３１】
ＳＧＷ＿Ａ３５は、ＭＭＥ＿Ａ４０にセッション変更要求メッセージを送信する（Ｓ２４０２）。ＳＧＷ＿Ａ３５は、すくなくとも、第４６の識別情報を、セッション変更要求メッセージに含めて送信してもよい。
【０６３２】
ＭＭＥ＿Ａ４０は、ＳＧＷ＿Ａ３５が送信したセッション変更要求メッセージを受信する。さらに、ＭＭＥ＿Ａ４０は、セッション変更要求メッセージの受信に基づき、第４６の識別情報を取得する。なお、ＭＭＥ＿Ａ４０は取得した識別情報を記憶してもよい。
【０６３３】
次に、ＳＣＥＦ＿Ａ４６主導の手続きの場合、ＣＥＦ＿Ａ４６は、ＳＧＷ＿Ａ３５にセッション変更要求メッセージを送信する（Ｓ２４０４）。ＰＧＷ＿Ａ３０は、すくなくとも、第４６の識別情報を、セッション変更要求メッセージに含めて送信してもよい。
【０６３４】
ＭＭＥ＿Ａ４０は、ＳＣＥＦ＿Ａ４６が送信したセッション変更要求メッセージを受信する。さらに、ＭＭＥ＿Ａ４０は、セッション変更要求メッセージの受信に基づき、第４６の識別情報を取得する。なお、ＭＭＥ＿Ａ４０は取得した識別情報を記憶してもよい。
【０６３５】
以上により、Ｓ２４００からＳ２４０４までの手続きが終了する。
【０６３６】
次に、ＭＭＥ＿Ａ４０は、セッション変更要求メッセージの受信に基づいて、ＵＥ＿Ａ１０にＰＤＵセッション変更要求メッセージを送信する（Ｓ２４０６）。ＭＭＥ＿Ａ４０は、すくなくとも、第４６の識別情報を、ＰＤＵセッション変更要求メッセージに含めて送信してもよい。
【０６３７】
なお、ＭＭＥ＿Ａ４０は、ＰＤＵセッション変更要求メッセージをアクセスネットワーク中の装置に送信してもよく、送信されたＰＤＵセッション変更要求メッセージはアクセスネットワーク中の装置を介してＵＥ＿Ａ１０転送されてもよい。その場合、アクセスネットワーク中の装置は、ＰＤＵセッション変更要求メッセージをＲＲＣメッセージに含めて送信してもよい。なお、ＲＲＣメッセージは、ＲＲＣコネクション再設定要求メッセージであってよいし、ダイレクトトランスファーメッセージであってもよい。
【０６３８】
ＵＥ＿Ａ１０は、ＭＭＥ＿Ａ４０が送信したＰＤＵセッション変更要求メッセージ、及び／又はアクセスネットワーク中の装置が送信したＲＲＣメッセージを受信する。さらに、ＵＥ＿Ａ１０は、ＰＤＵセッション変更要求メッセージの受信に基づき、第４６の識別情報を取得する。なお、ＵＥ＿Ａ１０は取得した識別情報を記憶してもよい。
【０６３９】
ＵＥ＿Ａ１０は、ＰＤＵセッション変更要求メッセージの受信、及び／又は第４６の識
別情報に基づいて、切替え元のＰＤＵセッションを識別してもよいし、切替え先のＰＤＵセッションを識別してもよい。
【０６４０】
ＵＥ＿Ａ１０は、ＰＤＵセッション変更要求メッセージの受信に基づいて、ＭＭＥ＿Ａ４０にＰＤＵセッション変更受諾メッセージを送信する（Ｓ２４０８）。ＵＥ＿Ａ１０は、すくなくとも、第４７の識別情報を、ＰＤＵセッション変更受諾メッセージに含めて送信してもよい。
【０６４１】
なお、ＵＥ＿Ａ１０は、ＰＤＵセッション変更受諾メッセージをアクセスネットワーク中の装置に送信してもよく、送信されたＰＤＵセッション変更受諾メッセージはアクセスネットワーク中の装置を介してＭＭＥ＿Ａ４０に転送されてもよい。その場合、ＵＥ＿Ａ１０は、ＰＤＵセッション変更受諾メッセージをＲＲＣメッセージに含めて送信してもよい。なお、ＲＲＣメッセージは、ダイレクトトランスファーメッセージであってよい。
【０６４２】
また、ＵＥ＿Ａ１０は、ＲＲＣメッセージの受信に基づいて、ＰＤＵセッション変更受諾メッセージの送信とは別に、ＲＲＣメッセージをアクセスネットワーク中の装置に送信してもよい。この場合、ＲＲＣメッセージは、ＲＲＣコネクション再設定完了メッセージであってよい。
【０６４３】
ＭＭＥ＿Ａ４０は、ＵＥ＿Ａ１０が送信したＰＤＵセッション変更受諾メッセージを受信する。さらに、ＭＭＥ＿Ａ４０は、ＰＤＵセッション変更受諾メッセージの受信に基づき、第４７の識別情報を取得する。なお、ＭＭＥ＿Ａ４０は取得した識別情報を記憶してもよい。
【０６４４】
ＭＭＥ＿Ａ４０は、ＰＤＵセッション変更受諾メッセージの受信、及び／又は第４７の識別情報に基づいて、ユーザデータの送受信に用いるＰＤＵセッションの切替えが許可されたことを認識してもよい。また、ＭＭＥ＿Ａ４０は、第４７の識別情報に基づいて、切替え元のＰＤＵセッションを識別してもよいし、切替え先のＰＤＵセッションを識別してもよい。
【０６４５】
次に、ＭＭＥ＿Ａ４０は、ＰＤＵセッション変更受諾メッセージの受信に基づき、セッション変更応答メッセージを送信する。
【０６４６】
ネットワーク主導のフロー切替え手続きが、ＰＧＷ＿Ａ３０主導である場合、ＭＭＥ＿Ａ４０は、ＰＤＵセッション変更受諾メッセージの受信に基づき、ＳＧＷ＿Ａ３５にセッション変更応答メッセージを送信する（Ｓ２４１０）。ＭＭＥ＿Ａ４０は、すくなくとも、第４７の識別情報をセッション変更応答メッセージに含めて送信してもよい。
【０６４７】
ＳＧＷ＿Ａ３５は、ＭＭＥ＿Ａ４０が送信したセッション変更応答メッセージを受信する。さらに、ＳＧＷ＿Ａ３５は、セッション変更応答メッセージの受信に基づき、第４７の識別情報を取得する。なお、ＳＧＷ＿Ａ３５は取得した識別情報を記憶してもよい。
【０６４８】
ＳＧＷ＿Ａ３５は、セッション変更応答メッセージの受信に基づき、ＰＧＷ＿Ａ３０にセッション変更応答メッセージを送信する（Ｓ２４１２）。ＳＧＷ＿Ａ３５は、すくなくとも、第４７の識別情報をセッション変更応答メッセージに含めて送信してもよい。
【０６４９】
ＰＧＷ＿Ａ３０は、ＳＧＷ＿Ａ３５が送信したセッション変更応答メッセージを受信する。さらに、ＰＧＷ＿Ａ３０は、セッション変更応答メッセージの受信に基づき、第４７の識別情報を取得する。なお、ＰＧＷ＿Ａ３０は取得した識別情報を記憶してもよい。
【０６５０】
また、ネットワーク主導のフロー切替え手続きが、ＳＣＥＦ＿Ａ４６主導である場合、ＭＭＥ＿Ａ４０は、ＰＤＵセッション変更受諾メッセージの受信に基づき、ＳＣＥＦ＿Ａ４６にセッション変更応答メッセージを送信する。（Ｓ２４１４）。ＭＭＥ＿Ａ４０は、すくなくとも、第４７の識別情報をセッション変更応答メッセージに含めて送信してもよい。
【０６５１】
ＳＣＥＦ＿Ａ４６は、ＭＭＥ＿Ａ４０が送信したセッション変更応答メッセージを受信する。さらに、ＳＣＥＦ＿Ａ４６は、セッション変更応答メッセージの受信に基づき、第４７の識別情報を取得する。なお、ＳＣＥＦ＿Ａ４６は取得した識別情報を記憶してもよい。
【０６５２】
以上の手順により、ネットワーク主導のフロー切替え手続きを完了する。ネットワーク主導のフロー切替え手続きの完了に伴い、ＵＥ＿Ａ１０、及び又は、コアネットワーク＿Ａ９０は、ユーザデータの送受信に用いるＰＤＵセッションを切替えることができる。
【０６５３】
具体的には、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第４６の識別情報、及び／又は第４７の識別情報に基づいて、切替え元、及び／又は切替え先のＰＤＵセッションを識別してもよいし、ユーザデータの送受信に用いるＰＤＵセッションを切替えてもよいし、ユーザデータの送受信に用いるＰＤＵセッションが切替えられたことを認識してもよい。
【０６５４】
さらに、ＵＥ＿Ａ１０、及び／又はＭＭＥ＿Ａ４０、及び／又はＳＧＷ＿Ａ３５、及び／又はＰＧＷ＿Ａ３０、及び／又はＳＣＥＦ＿Ａ４６は、第４６の識別情報、及び／又は第４７の識別情報に基づいて、切り替え元のＰＤＵセッションを削除せず、維持してもよい。
【０６５５】
［１．３．３．本実施形態の変形例］
本実施形態における各装置は、上記で説明した装置とは別の装置であってもよい。
【０６５６】
例えば、ＭＭＥ＿Ａ４０は、ＵＥ＿Ａ１０等の各装置のモビリティの管理、及び又は各装置間のセッションの管理の役割を担う装置であるが、本実施形態におけるコアネットワーク＿Ａ９０では、モビリティの管理の役割とセッションの管理の役割とは、別の装置で担ってもよい。
【０６５７】
具体的にいうと、ＳＭＥ（Ｓｅｓｓｉｏｎ  Ｍａｎａｇｅｍｅｎｔ  Ｅｎｔｉｔｙ）が、ＭＭＥ＿Ａ４０の内、セッション管理の機能を担ってもよい。その場合、本実施形態におけるＭＭＥ＿Ａ４０は、ＳＭＥ（Ｓｅｓｓｉｏｎ  Ｍａｎａｇｅｍｅｎｔ  Ｅｎｔｉｔｙ）に置き換えることができる。さらに本実施形態における通信手続きで説明した、ＭＭＥ＿Ａ４０が送受信する各メッセージは、ＳＭＥが送受信してもよいし、ＭＭＥ＿Ａ４０が実施する各処理は、ＳＭＥが実施してもよい。
【０６５８】
［２．変形例］
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０６５９】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０６６０】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明は当該技術による新たな集積回路を用いることも可能である。
【０６６１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０６６２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０６６３】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４０  ＭＭＥ＿Ａ
４５  ｅＮＢ＿Ａ
４６  ＳＣＥＦ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
１２０  ５Ｇ  ＲＡＮ
１２２  ５ＧＢＳ＿Ａ
１２５  ＷＬＡＮ  ＡＮｃ
１２６  ＷＡＧ＿Ａ
【図１】
2019134197.tif 000003
【図２】
2019134197.tif 000004
【図３】
2019134197.tif 000005
【図４】
2019134197.tif 000006
【図５】
2019134197.tif 000007
【図６】
2019134197.tif 000008
【図７】
2019134197.tif 000009
【図８】
2019134197.tif 000010
【図９】
2019134197.tif 000011
【図１０】
2019134197.tif 000012
【図１１】
2019134197.tif 000013
【図１２】
2019134197.tif 000014
【図１３】
2019134197.tif 000015
【図１４】
2019134197.tif 000016
【図１５】
2019134197.tif 000017
【図１６】
2019134197.tif 000018
【図１７】
2019134197.tif 000019
【図１８】
2019134197.tif 000020
【図１９】
2019134197.tif 000021
【図２０】
2019134197.tif 000022
【図２１】
2019134197.tif 000023
【図２２】
2019134197.tif 000024
【図２３】
2019134197.tif 000025
【図２４】
2019134197.tif 000026